(57)【要約】  輸送機内に存在する端末に対して有用なデータを配信する。輸送機内に設置され、当該輸送機内に存在する端末に対してデータを送信する通信装置が、端末が存在する走行中の輸送機の位置情報を取得し、その取得した位置情報に基づいて、位置に関連する複数のデータの中から、輸送機の現在位置よりも進行方向側の位置に関連する進行先データを選択するデータ選択部と、進行先データを含む信号を光変調信号として送信する照明部と、を備える。
2019003857.tif 000002
【特許請求の範囲】
【請求項１】
輸送機内に設置され、前記輸送機内に存在する端末に対してデータを送信する通信装置であって、
前記端末が存在する走行中の輸送機の位置情報を取得し、前記位置情報に基づいて、位置に関連する複数のデータの中から、前記輸送機の現在位置よりも進行方向側の位置に関連する進行先データを選択するデータ選択部と、
前記進行先データを含む信号を光変調信号として送信する照明部と、
を備える通信装置。
【請求項２】
前記データ選択部は、現在時刻を含む時刻情報をさらに取得し、前記位置情報及び前記時刻情報に基づいて、前記進行先データの中から、現在時刻以降の時間帯に対応付けられている進行先データを選択する、
請求項１に記載の通信装置。
【請求項３】
前記データ選択部は、各照明部の前記輸送機中における設置位置に応じて、当該照明部に送信させる前記進行先データを決定する、
請求項１または２に記載の通信装置。
【請求項４】
前記データ選択部は、各照明部に送信させる進行先データに、当該照明部に対応付けられている無線基地局を特定するための情報を含める、
請求項１から３の何れか１項に記載の通信装置。
【請求項５】
前記位置に関連する複数のデータは、位置に関連する広告を、前記進行先データを含む信号を受信した端末の表示部に表示させるためのデータである、
請求項１から４の何れか１項に記載の通信装置。
【請求項６】
前記照明部は、可視光を用いて前記光変調信号を送信する照明装置である、
請求項１から５の何れか１項に記載の通信装置。
【請求項７】
輸送機内に設置された照明部から、前記輸送機内に存在する端末に対してデータを送信する通信方法であって、
前記端末が存在する走行中の輸送機の位置情報を取得し、前記位置情報に基づいて、位置に関連する複数のデータの中から、前記輸送機の現在位置よりも進行方向側の位置に関連する進行先データを選択し、
前記進行先データを含む信号を光変調信号として送信する、
通信方法。
【発明の詳細な説明】
【技術分野】
【０００１】
本開示は、通信装置及び通信方法に関する。
【背景技術】
【０００２】
例えば、鉄道内、商業施設などの場所において、ユーザが広告などの情報を得る方法として、あらかじめ設置されたディスプレイに映し出される情報から得るという方法がある。【０００３】
ユーザがより適切な情報を得る方法として、非特許文献１に開示されているように、インターネットを用いた検索を利用する方法がある。
【先行技術文献】
【非特許文献】
【０００４】
【非特許文献１】“Comparing Internet search engines,” Computer, volume 30, Issue 4, April 1997.
【発明の概要】
【０００５】
しかしながら、ユーザは、より適切な情報を得るために、端末に、例えば、検索キーワードを入力する必要があり、手軽に情報を入手するのが難しいという課題が発生する。一方で、ディスプレイに表示されている画像から情報を得る場合、ディスプレイに映し出された情報が、ユーザが望む適切な情報でない可能性がある。
【０００６】
本開示の一態様は、ユーザが、より適切な情報を、より簡単に入手することができる通信装置及び通信方法を提供する。
【０００７】
本開示の一態様に係る通信装置は、輸送機内に設置され、前記輸送機内に存在する端末に対してデータを送信する通信装置であって、前記端末が存在する走行中の輸送機の位置情報を取得し、前記位置情報に基づいて、位置に関連する複数のデータの中から、前記輸送機の現在位置よりも進行方向側の位置に関連する進行先データを選択するデータ選択部と、前記進行先データを含む信号を光変調信号として送信する照明部と、を備える。
【０００８】
本開示の一態様に係る通信方法は、輸送機内に設置された照明部から、前記輸送機内に存在する端末に対してデータを送信する通信方法であって、前記端末が存在する走行中の輸送機の位置情報を取得し、前記位置情報に基づいて、位置に関連する複数のデータの中から、前記輸送機の現在位置よりも進行方向側の位置に関連する進行先データを選択し、前記進行先データを含む信号を光変調信号として送信する。
【０００９】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００１０】
本開示の一態様によれば、ユーザは、簡単な手段で、より適切な情報を入手することができる。
【００１１】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】ラインスキャンサンプリングの原理の説明に供する図
【図２】露光時間が長い場合の撮像画像の一例を示す図
【図３】露光時間が短い場合の撮像画像の一例を示す図
【図４Ａ】４ＰＰＭの説明に供する図
【図４Ｂ】マンチェスタ符号方式の説明に供する図
【図５】可視光通信システムの構成例を示す図
【図６】実施の形態１に係る通信システムの構成例を示す図
【図７】実施の形態１に係るフレーム構成例を示す図
【図８】実施の形態２に係る機器と端末との位置関係を示す図
【図９】実施の形態３に係る通信システムの構成例を示す図
【図１０】実施の形態３に係る第１の機器が送信する変調信号のフレーム構成例を示す図
【図１１】実施の形態３に係る基地局が送信する変調信号のフレーム構成例を示す図
【図１２】実施の形態３に係る通信システムにおける処理例を示すフローチャート
【図１３】実施の形態４に係る通信システムの構成例を示す図
【図１４】実施の形態４に係る第１の機器が送信する変調信号のフレーム構成例を示す図
【図１５】実施の形態４に係る端末の無線装置が送信する変調信号のフレーム構成例を示す図
【図１６】実施の形態４に係る通信システムにおける処理例を示すフローチャート
【図１７】実施の形態５に係る通信システムの構成例を示す図
【図１８】実施の形態５に係る第３の機器が送信する、ＳＳＩＤを含む変調信号のフレーム構成例を示す図
【図１９】実施の形態５に係る第３の機器が送信する、暗号鍵を含む変調信号のフレーム構成例を示す図
【図２０】実施の形態５に係る通信システムにおける処理例を示すフローチャート
【図２１】実施の形態５に係る通信システムにおける他の処理例を示すフローチャート
【図２２】実施の形態６に係る通信システムの構成例を示す図
【図２３】実施の形態６に係る通信システムにおける処理例を示すフローチャート
【図２４】実施の形態７に係る通信システムの構成例を示す図
【図２５】実施の形態７に係る第５の機器が送信する変調信号のフレーム構成例を示す図
【図２６】実施の形態７に係る第５の機器が送信する変調信号のフレーム構成例を示す図
【図２７】実施の形態７に係る第５の機器が送信する変調信号のフレーム構成例を示す図
【図２８】実施の形態７に係る第５の機器によるフレームの送信方法の一例を示す図
【図２９】実施の形態７に係る通信システムを配置する空間の一例を示す図
【図３０】実施の形態７に係る通信システムにおける処理例を示すフローチャート
【図３１】可視光通信を行う他の通信システムの構成例を示す図
【図３２】実施の形態８に係る通信システムの構成例を示す図
【図３３】実施の形態８に係る広告配信の例を示す図
【図３４】実施の形態８に係る広告配信の例を示す図
【図３５】実施の形態８に係る広告配信の例を示す図
【図３６】実施の形態８に係る通信システムの構成例を示す図
【図３７】実施の形態８に係る広告配信の例を示す図
【図３８】実施の形態８に係る広告配信の例を示す図
【図３９】実施の形態８に係る広告配信の例を示す図
【図４０】実施の形態９に係る通信システムの構成例を示す図
【図４１】実施の形態９に係る通信システムの構成例を示す図
【図４２】実施の形態１０に係る端末の動かし方で表示を切り替える例を示す図
【図４３】実施の形態１０に係る端末の移動方向を推定する例を示す図
【図４４】実施の形態１１に係るデータ更新方法に関連する装置の接続例を示す図
【図４５】実施の形態１１に係る広告入札状況の一例を示す図
【図４６】実施の形態１１に係る広告入札状況の一例を示す図
【図４７】実施の形態１２に係る通信装置を保有している人物とモニターの配置の一例を示す図
【図４８】実施の形態１２に係る通信装置を保有している人物とモニターの配置の他の例を示す図
【図４９】実施の形態１３に係る通信システムの構成例を示す図
【図５０】実施の形態１３に係る広告の入札状況の一例を示す図
【図５１】実施の形態１３に係る広告の入札状況の別の一例を示す図
【図５２】実施の形態１３に係る広告の入札状況の別の一例を示す図
【図５３】実施の形態１３に係る広告の入札状況の別の一例を示す図
【図５４】実施の形態１４に係るデータ生成装置の構成例を示す図
【発明を実施するための形態】
【００１３】
以下、本開示の実施の形態について図面を参照して詳細に説明する。
【００１４】
［可視光通信の変復調方法］
本実施の形態では、変調信号を例えば可視光信号として送受信する可視光通信方式を用いる。
【００１５】
まず、可視光通信方式の概要について具体的に説明する。
【００１６】
＜ラインスキャンサンプリング＞
スマートフォンまたはデジタルカメラなどには、ＣＭＯＳ（Complementary Metal Oxide Semiconductor）センサなどのイメージセンサが搭載されている。ＣＭＯＳセンサで撮像された画像は、全体が厳密に同じ時刻の風景を写しているわけではなく、１ライン毎にセンサが受光した光の量を読み出す。そのため、読み出しに要する時間を見計らって、１ライン毎に時間差をおいて受光の開始、終了の制御が行われる。つまり、ＣＭＯＳセンサで撮像された画像は、少しずつタイムラグのある多数のラインを重ねた形になる。
【００１７】
本実施の形態で用いる可視光通信方式は、このＣＭＯＳセンサの性質に着目した方式であり、可視光信号受信の高速化を実現している。すなわち、可視光通信方式では、ライン毎に露光時間が微妙に異なることを利用することで、図１に示すように、１枚の画像（イメージセンサの撮像画像）から、複数の時点における光源の輝度、色をライン毎に測定することができ、フレームレートよりも高速に変調された信号を捉えることができる。
【００１８】
以下では、このサンプリング手法を「ラインスキャンサンプリング」と呼び、同じタイミングで露光される１列の画素を「露光ライン」と呼ぶ。
【００１９】
ただし、カメラ機能（動画または静止画の撮影機能）における撮像時の撮像設定では、高速で点滅する光源を撮影しても、点滅が露光ラインに沿った縞模様として現れることはない。なぜなら、この設定では、露光時間が光源の点滅周期よりも非常に長いため、図２に示すように、光源の点滅（発光パターン）による輝度の変化が均一化されて露光ライン間の画素値の変化は極めて小さくなり、ほぼ一様な画像になるからである。
【００２０】
これに対して、図３に示すように、露光時間を光源の点滅周期程度に設定することで、光源の点滅の状態（発光パターン）を露光ラインの輝度変化として観測することができる。
【００２１】
例えば、露光ラインは、イメージセンサの長辺方向に平行になるように設計される。この場合、一例として、フレームレートを３０ｆｐｓ（frames per second）とすると、１９２０×１０８０のサイズの解像度では、毎秒３２４００以上のサンプルが得られ、３８４０×２１６０のサイズの解像度では、毎秒約６４８００以上のサンプルが得られる。
【００２２】
＜光源と変調方式＞
可視光通信では、例えば、ＬＥＤ（Light Emitting Diode）を送信機として利用することができる。ＬＥＤは、照明またはディスプレイのバックライト光源として普及しつつあり、高速に点滅させることが可能である。
【００２３】
ただし、可視光通信の送信機として利用する光源は、可視光通信のために自由に点滅させられるわけではない。可視光通信による点滅が人間に見えてしまうと、照明などの本来の光源の機能を損ねてしまう。そのため、送信信号は、人間の目にちらつきが感じられないよう、かつ、できるだけ明るく照らすようにすることが求められる。
【００２４】
この要求に応える変調方式として、例えば、４ＰＰＭ（4-Pulse Position Modulation）と呼ばれる変調方式がある。４ＰＰＭは、図４Ａに示すように、光源の明暗の４回の組み合わせによって２ビットを表現する方式である。また、４ＰＰＭは、図４Ａに示すように、４回のうち３回が明るい状態、１回が暗い状態となるため、信号の内容に依らず、明るさの平均（平均輝度）は３／４＝７５％となる。
【００２５】
比較のため、同様の方式として、図４Ｂに示すマンチェスタ符号方式がある。マンチェスタ符号方式は、２状態で１ビットを表現する方式であり、変調効率は４ＰＰＭと同じ５０％であるが、２回のうち１回が明るい状態、１回が暗い状態となるため、平均輝度は１／２＝５０％となる。すなわち、可視光通信の変調方式としては、４ＰＰＭの方がマンチェスタ符号方式よりも適しているといえる。
【００２６】
＜通信システムの全体構成例＞
図５に示すように、可視光通信を行う通信システムは、少なくとも、光信号を送信（照射）する送信機と、光信号を受信（受光）する受信機とを含む。例えば、送信機には、表示する映像またはコンテンツに応じて送信内容を変更する可変光送信機と、固定の送信内容を送信し続ける固定光送信機の２種類がある。
【００２７】
受信機は、送信機からの光信号を受信し、例えば、当該光信号に対応付けられた関連情報を取得してユーザへ提供することができる。
【００２８】
以上、可視光通信方式の概要について説明したが、以下の実施の形態で説明する光通信に適用可能な通信方式は上記の方式に限定されない。例えば、送信機の発光部は、複数の光源を用いて、データ送信を行ってもよい。また、受信装置の受信部は、ＣＭＯＳなどのイメージセンサではなく、例えば、フォトダイオードなどの光信号を電気信号に変換可能なデバイスを用いることができる通信方式であってもよい。この場合、上述したラインスキャンサンプリングを用いてサンプリングを行う必要はないため、毎秒３２４００以上のサンプリングが必要な方式であっても適用可能である。また、用途によっては、例えば、赤外線、紫外線のような可視光以外の周波数の無線を用いた通信方式を用いてもよい。
【００２９】
（実施の形態１）
図６は、本実施の形態のおける機器１００および端末１５０の構成の一例を示す。
【００３０】
［機器１００の構成］
機器１００（可視光通信の送信機に対応）は、ＬＥＤ（Light Emitting Diode）などの可視光源、照明、あるいはライト（総称して、光源ともいう）を具備する。なお、以下では、機器１００を「第１の機器」と呼ぶこともある。
【００３１】
図６の第１の機器１００において、送信部１０２は、例えば、場所に関する情報または位置に関する情報１０１を入力とする。また、送信部１０２は、時刻に関する情報１０５を入力としてもよい。また、送信部１０２は、場所に関する情報または位置に関する情報１０１と、時刻に関する情報１０５との両方を入力としてもよい。
【００３２】
送信部１０２は、場所に関する情報または位置に関する情報１０１、および／または、時刻に関する情報１０５を入力とし、これらの入力信号に基づいて、（光）変調信号１０３を生成し、変調信号１０３を出力する。そして、変調信号１０３は、例えば、光源１０４から送信される。
【００３３】
ここで、場所に関する情報または位置に関する情報１０１の例について説明する。
【００３４】
＜例１＞
場所に関する情報または位置に関する情報１０１は、場所・位置の緯度および／または経度の情報であってもよい。例えば、「北緯４５度、東経１３５度」という情報を、場所に関する情報または位置に関する情報１０１としてもよい。
【００３５】
＜例２＞
場所に関する情報または位置に関する情報１０１は、住所の情報であってもよい。例えば、「東京と千代田区○○町１−１−１」という情報を、場所に関する情報または位置に関する情報１０１としてもよい。
【００３６】
＜例３＞
場所に関する情報または位置に関する情報１０１は、建物、施設などの情報であってもよい。例えば、「東京タワー」という情報を、場所に関する情報または位置に関する情報１０１としてもよい。
【００３７】
＜例４＞
場所に関する情報または位置に関する情報１０１は、建物、施設などに設置したものの固有の場所・位置に関する情報であってもよい。
【００３８】
例えば、駐車場において５台分の自動車を停めることができるスペースがあるものとする。そのとき、第１の駐車スペースをＡ−１、第２の駐車スペースをＡ−２、第３の駐車スペースをＡ−３、第４の駐車スペースをＡ−４、第５の駐車スペースをＡ−５と呼ぶ。この場合、例えば、「Ａ−３」という情報を、場所に関する情報または位置に関する情報１０１としてもよい。
【００３９】
なお、このような例は、駐車場でのケースに限ったものではない。例えば、コンサート施設、野球・サッカー・テニスなどのスタジアム、飛行機、空港ラウンジ、鉄道、駅、などにある、「エリア・座席・店舗・施設など」に関する情報を、場所に関する情報または位置に関する情報１０１としてもよい。
【００４０】
以上、場所に関する情報または位置に関する情報１０１の例について説明した。なお、場所に関する情報または位置に関する情報１０１の構成方法については、上述の例に限ったものではない。
【００４１】
［端末１５０の構成］
図６の端末１５０（可視光通信の受信機に対応）は、第１の機器１００から送信された変調信号１０３を受信する。
【００４２】
受光部（受光機）１５１は、例えば、ＣＭＯＳ（Complementary Metal Oxide Semiconductor）、または、有機ＣＭＯＳなどのイメージセンサである。受光部１５１は、第１の機器１００から送信された変調信号を含む光を受光し、受信信号１５２を出力する。
【００４３】
なお、受光部１５１から出力される受信信号１５２は、イメージセンサで取得された画像、動画の情報を含んだ信号であってもよく、その他の光−電気変換を行う（光から電気信号に変換する）素子の出力信号であってもよい。以降の説明では、受光部１５１で行われる処理について特に説明することなく受信側の装置が変調信号を受信すると記載した場合、受信側の装置が受光部１５１で、変調信号を含んだ光から、光−電気変換を行う（光から電気信号に変換する）ことにより、「画像および／または動画の信号」と「情報を伝送するための変調信号」とを取得することを意味する。ただし、上述した方法は受信側の装置が変調信号の受信する方法の一例であり、変調信号の受信方法はこれらに限定されない。
【００４４】
そして、受信部１５３は、受信信号１５２を入力とし、受信信号１５２に含まれる変調信号に対して復調、誤り訂正復号などの処理を行い、受信データ１５４を出力する。
【００４５】
データ解析部１５５は、受信データ１５４を入力とし、受信データ１５４を解析することにより、例えば、端末１５０の場所・位置を推定し、少なくとも端末１５０の場所および／または位置情報を含む情報１５６を出力する。
【００４６】
表示部１５７は、情報１５６を入力とし、情報１５６に含まれる端末１５０の場所・位置情報から、端末１５０の場所・位置に関する表示を行う。
【００４７】
［フレーム構成］
図７は、第１の機器１００が送信する変調信号のフレーム構成の一例を示す。
【００４８】
図７において、横軸は時間である。第１の機器１００は、例えば、プリアンブル２０１を送信し、その後、制御情報シンボル２０２、場所情報または位置情報に関するシンボル２０３、時刻情報に関するシンボル２０４を送信する。
【００４９】
プリアンブル２０１は、第１の機器１００が送信する変調信号を受信する端末１５０が、例えば、信号検出、時間同期、フレーム同期などを行うためのシンボルである。
【００５０】
制御情報シンボル２０２は、例えば、変調信号の構成方法、使用している誤り訂正符号化方式の方法、フレーム構成方法などのデータを含んでいるシンボルである。
【００５１】
場所情報または位置情報に関するシンボル２０３は、図６で示した場所に関する情報または位置に関する情報１０１を含んだシンボルである。
【００５２】
なお、フレームには、シンボル２０１、２０２、２０３以外のシンボルを含んでいてもよい。例えば、図７に示すように、時刻情報に関するシンボル２０４を含んでいてもよい。時刻情報に関するシンボル２０４は、例えば、第１の機器１００が変調信号を送信する時刻に関する情報１０５が含まれているものとする。なお、第１の機器１００が送信する変調信号のフレームの構成は、図７に限ったものではなく、また、変調信号に含まれるシンボルは図７の構成に限ったものではない。フレームには、他のデータ・情報を含むシンボルが含まれていてもよい。
【００５３】
［効果］
図６、図７で説明したように、第１の機器１００が変調信号を送信し、端末１５０がその変調信号を受信した際の効果について説明する。
【００５４】
第１の機器１００は、可視光により変調信号を送信しているため、この変調信号を受信することができる端末１５０は、第１の機器１００が存在している場所から大きく離れた場所にはいない。したがって、第１の機器１００が送信した場所・位置情報を端末１５０が得ることで、端末１５０は、高精度な位置情報を簡単に（複雑な信号処理を行わずに）得ることが可能である。
【００５５】
また、ＧＰＳからの衛星電波を受信しにくい場所に第１の機器１００を設置すれば、端末１５０は、ＧＰＳの衛星からの電波が受信しづらい状況でも、第１の機器１００が送信する変調信号を受信することで、高精度な位置情報を安全に入手することができる。
【００５６】
（実施の形態２）
本実施の形態では、実施の形態１で説明した第１の機器１００が複数台存在する場合について説明する。
【００５７】
本実施の形態では、例えば、図８のように、図６に示す第１の機器１００と同様の構成を持つ第１−１の機器３０１−１が変調信号を送信する。図６に示す端末１５０と同様の構成を持つ端末３０２は、第１−１の機器３０１−１が送信した変調信号を受信し、例えば、第１−１の場所・位置に関する情報、および、第１−１の時刻に関する情報を得る。
【００５８】
同様に、図６に示す第１の機器１００と同じ構成を持つ第１−２の機器３０１−２が変調信号を送信する。端末３０２は、第１−２の機器３０１−２が送信した変調信号を受信し、例えば、第１−２の場所・位置に関する情報、および、第１−２の時刻に関する情報を得る。
【００５９】
そして、端末３０２は、第１−１の場所・位置に関する情報、および、第１−２の場所・位置に関する情報から、図８における第１−１の機器３０１−１と第１−２の機器３０１−２との間の距離を算出することができる。また、端末３０２は、第１−１の時刻に関する情報と、例えば、端末３０２が第１−１の機器３０１−１が送信した変調信号を受信した時刻とに基づいて、端末３０２と第１−１の機器３０１−１との距離を算出することができる。同様に、端末３０２は、第１−２の時刻に関する情報と、例えば、端末３０２が第１−２の機器３０１−２が送信した変調信号を受信した時刻とに基づいて、端末３０２と第１−２の機器３０１−２との間の距離を算出することができる。
【００６０】
また、端末３０２は、第１−１の場所・位置に関する情報から、第１−１の機器３０１−１の位置が分かる。端末３０２は、第１−２の場所・位置に関する情報から、第１−２の機器３０１−２の位置が分かる。
【００６１】
また、端末３０２は、「第１−１の機器３０１−１と第１−２の機器３０１−２との間の距離」、「第１−１の機器３０１−１と端末３０２との間の距離」、「第１−２の機器３０１−２と端末３０２との間の距離」から、「第１−１の機器３０１−１と第１−２の機器３０１−２と端末３０２とが構成する三角形」が分かる。
【００６２】
したがって、端末３０２は、「第１−１の機器３０１−１の位置」、「第１−２の機器３０１−２の位置」、「第１−１の機器３０１−１と第１−２の機器３０１−２と端末３０２とが構成する三角形」から、端末３０２の位置を高精度に計算し、得ることができる。
【００６３】
ただし、端末３０２が、場所・位置情報を得るための測地測量方法は、上述の説明に限ったものではなく、どのような方法で測地測量を行ってもよい。例えば、測地測量方法の例としては、三角測量、多角測量、三辺測量、水準測量などがある。
【００６４】
以上のように、本実施の形態では、端末３０２が、場所情報を送信する光源を具備する複数の機器３０１から、上述のような情報を得ることで、端末３０２は、端末３０２の位置の推定を高精度に行うことができる。
【００６５】
また、本実施の形態では、実施の形態１で説明したように、ＧＰＳからの衛星電波を受信しにくい場所に、場所情報を送信する光源を具備する機器３０１を設置すると、端末３０２は、ＧＰＳの衛星からの電波が受信しづらい状況でも、機器３０１が送信する変調信号を受信することで、高精度な位置情報を安全に入手することができる。
【００６６】
なお、上述の例では、端末３０２が、２台の機器３０１が送信した変調信号を受信する例について説明しているが、端末３０２が、２台より多くの機器３０１が送信した変調信号を受信する場合でも同様に実施することができる。なお、機器３０１の台数が多いほど、端末３０２は位置情報を高精度に算出することができるという利点がある。
【００６７】
（実施の形態３）
図９は、本実施の形態のおける、機器４００、端末４５０、および、端末４５０と通信を行う基地局４７０（または、ＡＰ（access point））の構成の一例を示す。
【００６８】
機器４００は、例えば、ＬＥＤなどの可視光源、照明、光源、またはライトを具備する。なお、以下では、機器４００を「第１の機器」と呼ぶこともある。
【００６９】
なお、図９に示す第１の機器４００において、図６に示す第１の機器１００と同様に動作する構成については、同一の符号を付している。また、図９に示す端末４５０において、図６に示す端末１５０と同様に動作する構成については同一の符号を付している。
【００７０】
図９の第１の機器４００において、送信部１０２は、例えば、場所に関する情報または位置に関する情報１０１、基地局４７０の識別子であるＳＳＩＤ（service set identifier）に関する情報４０１−１、アクセス先に関する情報４０１−２を入力とする。また、送信部１０２は、時刻に関する情報１０５を入力としてもよい。
【００７１】
送信部１０２は、場所に関する情報または位置に関する情報１０１、ＳＳＩＤに関する情報４０１−１、および、アクセス先に関する情報４０１−２、および／または、時刻に関する情報１０５を入力とし、これらの入力信号に基づいて、（光）変調信号１０３を生成し、変調信号１０３を出力する。そして、変調信号１０３は、例えば、光源１０４から送信される。
【００７２】
なお、場所に関する情報または位置に関する情報１０１の例については、実施の形態１で説明したので、ここでは説明を省略する。
【００７３】
次に、ＳＳＩＤに関する情報４０１−１、および、アクセス先に関する情報４０１−２について説明する。
【００７４】
まず、ＳＳＩＤに関する情報４０１−１について説明する。
【００７５】
ＳＳＩＤに関する情報４０１−１は、図９における基地局４７０のＳＳＩＤを示す情報である。ここで、光信号により通知されるＳＳＩＤが安全な基地局のＳＳＩＤであることが判明している場合、第１の機器４００は、端末４５０に対して安全なアクセス先である基地局４７０へのアクセスを提供することができる。これにより、図９の端末４５０が、基地局４７０より、情報を安全に入手することができる。
【００７６】
一方、第１の機器４００は、基地局４７０に対してアクセスする端末を、第１の機器４００が送信（照射）した光信号を受信可能な空間に位置する端末に制限することができる。
【００７７】
なお、端末４５０は、予め定められた方式で送信された光信号を受信した場合に、通知されたＳＳＩＤが安全な基地局のＳＳＩＤであると判別してもよい。また、端末４５０は、通知されたＳＳＩＤが安全であるか否かを判別する処理を別途実施してもよい。例えば、第１の機器４００が所定の識別子を光信号に含めて送信し、端末４５０は、受信した識別子に基づいて、通知されたＳＳＩＤが安全な基地局のＳＳＩＤであるか否かを判断してもよい。また、端末４５０は、安全な基地局であるか否かを判断する処理を行わずに、可視光の特性を利用して、ユーザが安全性の高い第１の機器４００を選択して、端末４５０で第１の機器４００から光信号の受信を行い、安全性の高い基地局のＳＳＩＤを取得してもよい。
【００７８】
なお、図９では、基地局４７０のみを示しているが、例えば、基地局４７０以外の他の基地局（または、ＡＰ）が１つ以上存在する場合も、端末４５０は、第１の機器４００から取得したＳＳＩＤを用いて基地局４７０にアクセスし、情報を入手することになる。
【００７９】
次に、アクセス先に関する情報４０１−２について説明する。
【００８０】
アクセス先に関する情報４０１−２は、端末４５０が、基地局４７０にアクセスした後に、情報を入手するためのアクセス先に関する情報である。なお、本実施の形態の具体的な動作例については後述する。
【００８１】
以上、ＳＳＩＤに関する情報４０１−１、および、アクセス先に関する情報４０１−２について説明した。
【００８２】
端末４５０は、第１の機器４００から送信された変調信号１０３を受信する。
【００８３】
受光部１５１は、例えば、ＣＭＯＳ、または、有機ＣＭＯＳなどのイメージセンサである。受光部１５１は、第１の機器４００から送信された変調信号を含む光を受光し、受信信号１５２を出力する。
【００８４】
そして、受信部１５３は、受光部１５１で受信した受信信号１５２を入力とし、受信信号１５２に含まれる変調信号に対して復調・誤り訂正復号などの処理を行い、受信データ１５４を出力する。
【００８５】
データ解析部１５５は、受信データ１５４を入力とし、受信データ１５４から、例えば、端末４５０の場所・位置を推定する。そして、データ解析部１５５は、少なくとも端末４５０の場所・位置情報を含む情報１５６、ＳＳＩＤに関する情報４５１、および、アクセス先に関する情報４５２を出力する。
【００８６】
表示部１５７は、端末４５０の場所・位置情報を含む情報１５６、ＳＳＩＤに関する情報４５１、アクセス先に関する情報４５２を入力とし、例えば、端末４５０の場所・位置、端末４５０が具備する無線装置４５３がアクセスする通信相手のＳＳＩＤ、および／または、アクセス先を表示する（以下、この表示を「第１の表示」と呼ぶ）。
【００８７】
例えば、第１の表示後、無線装置４５３は、ＳＳＩＤに関する情報４５１、および、アクセス先に関する情報４５２を入力とする。そして、無線装置４５３は、ＳＳＩＤに関する情報４５１に基づいて、通信を行う相手先と、例えば、電波を利用することで接続する。なお、図９の場合、無線装置４５３は、基地局４７０と接続することになる。
【００８８】
そして、無線装置４５３は、アクセス先に関する情報４５２に基づいて、アクセス先に関する情報を含むデータから変調信号を生成し、この変調信号を、基地局４７０に対して、例えば、電波を用いて送信する。
【００８９】
図９において端末４５０の通信相手である基地局４７０は、端末４５０が具備する無線装置４５３が送信した変調信号を受信する。
【００９０】
そして、基地局４７０は、受信した変調信号の復調、誤り訂正復号などの処理を行い、端末４５０から送信されたアクセス先の情報を含む受信データ４７１を出力する。基地局４７０は、このアクセス先の情報に基づいて、ネットワークを介し、所望のアクセス先にアクセスするとともに、例えば、アクセス先から所望の情報４７２を得る。そして、基地局４７０は、所望の情報４７２を入力とし、所望の情報４７２から変調信号を生成し、この変調信号を、端末４５０（無線装置４５３）に対して、例えば、電波を用いて送信する。
【００９１】
端末４５０の無線装置４５３は、基地局４７０から送信された変調信号を受信し、復調・誤り訂正復号などの処理を行い、所望の情報４７２を得る。
【００９２】
例えば、所望の情報４７２が、地図、建物の地図・フロアガイド、施設の地図・フロアガイド、駐車場の地図・フロアガイド、コンサート施設・スタジアム・飛行機・空港ラウンジ・鉄道・駅などにある「エリア・座席・店舗・施設」の情報などであるとする。
【００９３】
表示部１５７は、所望の情報４７２を含む情報４５４、少なくとも端末４５０の場所・位置情報を含む情報１５６、ＳＳＩＤに関する情報４５１を入力とし、第１の表示後、所望の情報４７２と、少なくとも端末４５０の場所・位置情報を含む情報１５６とから、地図・フロアガイド・施設の情報・座席の情報・店舗の情報の表示上に、端末４５０の位置をマッピングした表示を行う。
【００９４】
図１０は、図９に示す第１の機器４００が送信する変調信号のフレーム構成の一例を示す。図１０において、横軸は時間である。また、図１０において、図７と同様の情報を伝送するシンボルについては、同一の符号を付しており、その説明を省略する。
【００９５】
第１の機器４００は、プリアンブル２０１、制御情報シンボル２０２、場所情報または位置情報に関するシンボル２０３、時刻情報に関するシンボル２０４に加え、ＳＳＩＤに関するシンボル６００−１、アクセス先に関するシンボル６００−２を送信する。
【００９６】
ＳＳＩＤに関するシンボル６００−１は、図９におけるＳＳＩＤに関する情報４０１−１を送信するためのシンボルであり、アクセス先に関するシンボル６００−２は、図９のアクセス先に関する情報４０１−２を送信するためのシンボルである。なお、図１０のフレームにおいて、図１０に記載しているシンボル以外のシンボルが含まれていてもよい。また、シンボルの送信する順番を含め、フレーム構成は、図１０の構成に限ったものではない。
【００９７】
図１１は、図９に示す基地局４７０が送信する変調信号のフレーム構成の一例を示す。図１１において、横軸は時間である。
【００９８】
図１１に示すように、基地局４７０は、例えば、プリアンブル７０１を送信し、その後、制御情報シンボル７０２、情報シンボル７０３を送信する。
【００９９】
プリアンブル７０１は、基地局４７０が送信する変調信号を受信する端末４５０が、例えば、信号検出、時間同期、フレーム同期、周波数同期、周波数オフセット推定などを行うためのシンボルである。
【０１００】
制御情報シンボル７０２は、例えば、変調信号を生成するのに使用された、誤り訂正符号化方式の方法、変調方式に関する情報、フレーム構成に関する情報などのデータを含むシンボルである。端末４５０の無線装置４５３は、制御情報シンボル７０２の情報に基づいて、変調信号の復調などを実施する。
【０１０１】
情報シンボル７０３は、情報を伝送するためのシンボルである。なお、本実施の形態の場合、情報シンボル７０３は、上述で説明した所望の情報４７２を伝送するためのシンボルである。
【０１０２】
なお、図９に示す基地局４７０は、図１１に記載しているシンボル以外のシンボルを含むフレームを送信してもよい。例えば、基地局４７０は、情報シンボル７０３の途中でパイロットシンボル（リファレンスシンボル）が含まれるフレームなどを送信してもよい。また、シンボルの送信する順番を含め、フレーム構成は、図１１の構成に限ったものではない。また、図１１において、周波数軸方向に複数のシンボルが存在してもよい。つまり、図１１において、複数の周波数（複数のキャリア）にシンボルが存在してもよい。
【０１０３】
また、例えば、第１の機器４００が送信する図１０に示すフレーム構成の変調信号は、規則的なタイミングで、例えば、繰り返し、送信する方法が考えられる。これにより、複数の端末４００が、上述したような動作を実施することができる。
【０１０４】
図１２は、上述した、図９に示す「第１の機器４００」、「端末４５０」、「基地局４７０」が実施する処理の一例を示すフローチャートである。
【０１０５】
まず、第１の機器４００は、図１０に示すフレーム構成の変調信号を送信する（ＳＴ８０１）。
【０１０６】
そして、端末４５０は、第１の機器４００が送信した変調信号を受信し、端末４５０の場所・位置推定を行う（ＳＴ８０２）。
【０１０７】
併せて、端末４５０は、第１の機器４００が送信した変調信号を受信し、端末４５０がアクセスする基地局４７０のＳＳＩＤを把握する（ＳＴ８０３）。
【０１０８】
そして、端末４５０は、地図などの情報を入手するためのアクセス先に関する情報４５２を含むデータを含む変調信号を、例えば、電波を用いて、基地局４７０に送信する（ＳＴ８０４）。
【０１０９】
基地局４７０は、端末４５０が送信した変調信号を受信し、アクセス先の情報を得て、ネットワークを介して、所望のアクセス先にアクセスし、地図などの所望の情報（端末４５０に送信する情報）を得る（ＳＴ８０５）。
【０１１０】
そして、基地局４７０は、入手した地図などの所望の情報を含む変調信号を、例えば、電波を用いて、端末４５０に送信する（ＳＴ８０６）。
【０１１１】
端末４５０は、基地局４７０が送信した変調信号を受信し、地図などの情報を得る。そして、端末４５０は、地図などの情報と、既に得ている端末４５０の場所・位置の情報に基づいて、表示を行う（ＳＴ８０７）。
【０１１２】
なお、端末４５０は、地図（周辺情報）と位置情報を、端末４５０が具備する記憶部（図示せず）に記録し、端末４５０を使用するユーザが必要なときに、記憶部に記録されている情報を取り出せるようにしてもよい。これにより、ユーザはより便利に地図（周辺情報）と位置情報を活用することができる。
【０１１３】
以上のように、第１の機器４００は、可視光により変調信号を送信しているため、この変調信号を受信することができる端末４５０は、第１の機器４００の位置から光信号を受光できる範囲内に限定される。したがって、第１の機器４００が送信した場所・位置情報を端末４５０が受信することで、端末４５０は、高精度な位置情報を簡単に（複雑な信号処理をせずに）取得できる。
【０１１４】
また、ＧＰＳからの衛星電波を受信しにくい場所に第１の機器４００を設置すると、端末４５０は、ＧＰＳの衛星からの電波が受信しづらい状況でも、第１の機器４００が送信する変調信号を受信することで、高精度な位置情報を、安全に入手することができる。
【０１１５】
さらに、第１の機器４００から送信されたＳＳＩＤの情報に基づいて、端末４５０が、基地局（または、ＡＰ）４７０と接続して情報を得ることで、端末４５０は、情報を安全に入手することができる。なぜなら、端末４５０が可視光の変調信号から情報を得た場合、可視光であるが故に、ユーザは変調信号を送信した第１の機器４００を目視等により容易に認識することができ、情報元が安全かどうかの判断を行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０１１６】
なお、図９の端末４５０の無線装置４５３に、さらに複数の信号が入力されてもよい。例えば、無線装置４５３を制御するための制御信号、および、基地局４７０に送信する情報などが、無線装置４５３に入力されてもよい。このとき、無線装置４５３が制御信号に基づいて通信を開始するという動作が一例として考えられる。以上のように、本実施の形態では、第１の機器の構成は図９の第１の機器４００の構成に限ったものではなく、端末の構成は、図９の端末４５０の構成に限ったものではなく、基地局の接続先および構成についても図９に示した基地局４７０の接続先および構成に限定されない。
【０１１７】
また、図９において、基地局４７０が１つ配置されている場合について記載しているが、端末４５０がアクセス可能な（安全な）基地局（または、ＡＰ）が複数存在していてもよい。このとき、図９の第１の機器４００が送信するＳＳＩＤに関するシンボルには、これらの複数の基地局（または、ＡＰ）のそれぞれのＳＳＩＤを示す情報が含まれていてもよい。この場合、図９の端末４５０の表示部１５７には、アクセス先の表示（前述した「第１の表示」）として、複数の基地局のＳＳＩＤのリスト、および／または複数のアクセス先のリストが表示される。そして、図９の端末４５０は、複数の基地局（または、ＡＰ）のＳＳＩＤの情報に基づいて、実際に無線接続する１つ以上の基地局を選択してもよい（つまり、複数の基地局と同時に接続してもよい）。
【０１１８】
例えば、基地局４７０が３つ配置されるとする。ここでは、３つの基地局４７０をそれぞれ基地局＃Ａ、基地局＃Ｂ、基地局＃Ｃと呼ぶ。また、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とする。この場合、第１の機器４００が送信する変調信号の図１０に示すフレーム構成におけるＳＳＩＤに関するシンボル６００−１は、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」とする情報を含んでいる。そして、図９の端末４５０は、ＳＳＩＤに関するシンボル６００−１を受信し、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」の情報に基づいて、実際に無線接続する１つ以上の基地局４７０を選択する。
【０１１９】
（実施の形態４）
図１３は、本実施の形態における通信システムの構成の一例を示す図である。
【０１２０】
図１３の通信システムは、例えば、機器１０００、端末１０５０、および、端末１０５０と通信を行う基地局（または、ＡＰ）４７０を含む。
【０１２１】
機器１０００は、例えば、ＬＥＤなどの可視光源、照明、光源、ライト（以下、光源１０４という）を具備する。なお、以下では、機器１０００を本実施の形態における「第２の機器」と呼ぶこともある。
【０１２２】
なお、図１３に示す第２の機器１０００において、図６に示す第１の機器１００と同様に動作する構成要素については、同一の番号を付している。また、図１３に示す端末１０５０において、図６に示す端末１５０と同様に動作する構成要素については同一の番号を付している。また、図１３に示す端末１０５０の無線装置４５３と基地局４７０との間の通信は、例えば、電波を用いるものとする。
【０１２３】
図１３の第２の機器１０００において、送信部１０２は、ＳＳＩＤに関する情報１００１−１、暗号鍵に関する情報１００１−２、および、データ１００２を入力とし、これらの入力信号に基づいて、（光）変調信号１０３を生成し、変調信号１０３を出力する。そして、変調信号１０３は、例えば、光源１０４から送信される。
【０１２４】
次に、ＳＳＩＤに関する情報１００１−１、および、暗号鍵に関する情報１００１−２について説明する。
【０１２５】
まず、ＳＳＩＤに関する情報１００１−１について説明する。
【０１２６】
ＳＳＩＤに関する情報１００１−１は、図１３における基地局４７０のＳＳＩＤを示す情報である。なお、例として、基地局４７０は、端末１０５０への変調信号を電波で送信し、端末１０５からの変調信号を電波で受信する。つまり、第２の機器１０００は、端末１０５０に対して安全なアクセス先である基地局４７０へのアクセスを提供することができる。これにより、図１３の端末１０５０が、基地局４７０から、情報を安全に入手することができる。
【０１２７】
一方、第２の機器１０００は、基地局４７０に対してアクセスする端末を、第２の機器１０００が送信（照射）した光信号を受信可能な空間に位置する端末に制限することができる。
【０１２８】
なお、端末１０５０は、予め定められた方式で送信された光信号を受信した場合に、通知されたＳＳＩＤが安全な基地局のＳＳＩＤであると判別してもよい。また、端末１０５０は、通知されたＳＳＩＤが安全であるか否かを判別する処理を別途行ってもよい。例えば、第２の機器１０００が所定の識別子を光信号に含めて送信し、端末１０５０は、受信した識別子に基づいて、通知されたＳＳＩＤが安全な基地局のＳＳＩＤであるか否かを判断してもよい。
【０１２９】
なお、図１３では、基地局４７０のみを示しているが、例えば、基地局４７０以外の基地局（または、ＡＰ）が存在する場合も、端末１０５０は、第２の機器１０００から取得したＳＳＩＤを用いて基地局４７０にアクセスし、情報を入手することになる。
【０１３０】
次に、暗号鍵に関する情報１００１−２について説明する。
【０１３１】
暗号鍵に関する情報１００１−２は、端末１０５０が基地局４７０と通信を行うために必要となる暗号鍵に関する情報である。端末１０５０は、第２の機器１０００から、暗号鍵に関する情報１００１−２を得ることで、基地局４７０との間で暗号化された通信を行うことが可能となる。
【０１３２】
以上、ＳＳＩＤに関する情報１００１−１、および、暗号鍵に関する情報１００１−２について説明した。
【０１３３】
図１３の端末１０５０は、第２の機器１０００が送信した変調信号を受信する。なお、図１３の端末１０５０において、図６の端末１５０、図９の端末４５０と同様に動作する構成要素については、同一の番号を付している。
【０１３４】
端末１０５０が具備する受光部１５１は、例えば、ＣＭＯＳ、または、有機ＣＭＯＳなどのイメージセンサである。受光部１５１は、第２の機器１０００から送信された変調信号を含む光を受光し、受信信号１５２を出力する。
【０１３５】
そして、受信部１５３は、受光部１５１で受信した受信信号１５２を入力とし、受信信号１５２に含まれる変調信号に対して復調・誤り訂正復号などの処理を行い、受信データ１５４を出力する。
【０１３６】
データ解析部１５５は、受信データ１５４を入力とし、受信データ１５４から、例えば、接続先となる基地局のＳＳＩＤの情報１０５１、および、接続先となる基地局と通信を行うための暗号鍵の情報１０５２を出力する。例えば、無線ＬＡＮ（Local Area Network）では、暗号化の方式として、WEP（Wired Equivalent Privacy）、WPA（Wi-Fi Protected Access）、WPA2（Wi-Fi Protected Access 2）（PSK(Pre-Shared Key)モード、EAP(Extended Authentication Protocol)モード）がある。なお、暗号化方法はこれに限ったものではない。
【０１３７】
表示部１５７は、ＳＳＩＤの情報１０５１、暗号鍵の情報１０５２を入力とし、例えば、端末１０５０が具備する無線装置４５３がアクセスする通信相手のＳＳＩＤ、および、暗号鍵を表示する（この表示を本実施の形態における「第１の表示」と呼ぶ）。
【０１３８】
例えば、第１の表示後、無線装置４５３は、ＳＳＩＤの情報１０５１、および、暗号鍵の情報１０５２を入力とし、基地局４７０との接続を確立する（例えば、接続は電波を利用するものとする）。このとき、基地局４７０も、端末１０５０が具備する無線装置４５３と通信を行う場合、変調信号を、例えば電波を用いて送信する。
【０１３９】
その後、無線装置４５３は、データ１０５３、および、制御信号１０５４を入力とし、制御信号１０５４に示される制御に従って、データ１０５３に対して変調を施し、変調信号を電波により送信する。
【０１４０】
そして、例えば、基地局４７０は、ネットワークに対して、データの送信（４７１）、およびネットワークからのデータの受信（４７２）を行う。その後、例えば、基地局４７０は、端末１０５０に対して、変調信号を電波により送信する。
【０１４１】
端末１０５０が具備する無線装置４５３は、電波により受信した変調信号に対し、復調、誤り訂正復号などの処理を行い、受信データ１０５６を取得する。表示部１５７は、受信データ１０５６に基づいて表示を行う。
【０１４２】
図１４は、図１３に示す第２の機器１０００が送信する変調信号のフレーム構成の一例を示している。図１４において、横軸は時間である。また、図１４において、図７、図１０と同様のシンボルについては、同一の番号を付しており、その説明を省略する。
【０１４３】
ＳＳＩＤに関するシンボル６００−１は、図１３のＳＳＩＤに関する情報１００１−１を送信するためのシンボルであり、暗号鍵に関するシンボル１１０１は、図１３の暗号鍵に関する情報１００１−２を送信するためのシンボルである。データシンボル１１０２は、図１３のデータ１００２を送信するためのシンボルである。
【０１４４】
第２の機器１０００は、プリアンブル２０１、制御情報シンボル２０２、ＳＳＩＤに関するシンボル６００−１、暗号鍵に関するシンボル１１０１、データシンボル１１０２を送信する。なお、第２の機器１０００は、図１４で記載しているシンボル以外のシンボルを含むフレームを送信してもよい。また、シンボルを送信する順番を含め、フレーム構成は図１４の構成に限ったものではない。
【０１４５】
図１５は、図１３の端末１０５０が具備する無線装置４５３が送信する変調信号のフレーム構成の一例を示している。図１５において、横軸は時間である。
【０１４６】
図１５に示すように、端末１０５０が具備する無線装置４５３は、例えば、プリアンブル１２０１を送信し、その後、制御情報シンボル１２０２、情報シンボル１２０３を送信する。
【０１４７】
プリアンブル１２０１は、端末１０５０の無線装置４５３が送信する変調信号を受信する基地局４７０が、例えば、信号検出、時間同期、フレーム同期、周波数同期、周波数オフセット推定などを行うために用いるシンボルである。
【０１４８】
制御情報シンボル１２０２は、例えば、変調信号を生成するのに使用した誤り訂正符号化方式の方法、変調方式に関する情報、フレーム構成に関する情報、送信方法に関する情報などのデータを含むシンボルである。基地局４７０は、制御情報シンボル１２０２に含まれる情報に基づいて、変調信号の復調などを実施する。
【０１４９】
情報シンボル１２０３は、端末１０５０の無線装置４５３がデータを伝送するためのシンボルである。
【０１５０】
なお、端末１０５０の無線装置４５３は、図１５に記載しているシンボル以外のシンボルを含むフレームを送信してもよい。例えば、無線装置４５３は、情報シンボル１２０３の途中でパイロットシンボル（リファレンスシンボル）が含まれるフレームを送信してもよい。また、シンボルを送信する順番を含め、フレーム構成は、図１５の構成に限ったものではない。また、図１５において、周波数軸方向に複数のシンボルが存在していてもよい。つまり、図１５において、複数の周波数（複数のキャリア）にシンボルが存在していてもよい。また、実施の形態３において、図９の端末４５０が具備する無線装置４５３が変調信号を送信する際、図１５のフレーム構成を用いてもよい。
【０１５１】
本実施の形態における基地局４７０が送信する変調信号のフレーム構成は、実施の形態３で説明した図１１のフレーム構成と同様である。すなわち、図１１に示すように、基地局４７０は、例えば、プリアンブル７０１を送信し、その後、制御情報シンボル７０２、情報シンボル７０３を送信する。
【０１５２】
プリアンブル７０１は、基地局４７０が送信する変調信号を受信する端末１０５０の無線装置４５３が、例えば、信号検出、時間同期、フレーム同期、周波数同期、周波数オフセット推定などを行うためのシンボルである。
【０１５３】
制御情報シンボル７０２は、例えば、変調信号を生成するのに使用された、誤り訂正符号化方式の方法、変調方式に関する情報、フレーム構成に関する情報、送信方法に関する情報などのデータを含むシンボルである。端末１０５０の無線装置４５３は、制御情報シンボル７０２の情報に基づいて、変調信号の復調などを実施する。
【０１５４】
情報シンボル７０３は、基地局４７０がデータを伝送するためのシンボルである。
【０１５５】
なお、図１３に示す基地局４７０は、図１１に記載しているシンボル以外のシンボルを含むフレームを送信してもよい。例えば、基地局４７０は、情報シンボル７０３の途中でパイロットシンボル（リファレンスシンボル）が含まれるフレームなどを送信してもよい。また、シンボルを送信する順番を含め、フレーム構成は、図１１の構成に限ったものではない。また、図１１において、周波数軸方向に複数のシンボルが存在していてもよい。つまり、図１１において、複数の周波数（複数のキャリア）にシンボルが存在してもよい。
【０１５６】
また、例えば、第２の機器１０００が送信する図１４のフレーム構成の変調信号は、規則的なタイミングで、例えば、繰り返し、送信する方法が考えられる。これにより、複数の端末１０５０が、上述したような動作を実施することができる。
【０１５７】
図１６は、図１３に示す「第２の機器１０００」、「端末１０５０」、「基地局４７０」が実施する処理の一例を示すフローチャートである。
【０１５８】
まず、第２の機器１０００は、図１４に示すフレーム構成の変調信号を送信する（ＳＴ１３０１）。
【０１５９】
そして、端末１０５０は、第２の機器１０００が送信した変調信号を受信し、端末１０５０がアクセスする基地局４７０のＳＳＩＤを取得する（ＳＴ１３０２）。
【０１６０】
併せて、端末１０５０は、端末１０５０がアクセスする基地局４７０との通信に用いる暗号鍵を取得する（ＳＴ１３０３）。
【０１６１】
そして、端末１０５０は、基地局４７０との電波による接続を実施する（ＳＴ１３０４）。端末１０５０が基地局４７０の応答を受信することにより、基地局４７０との接続が完了する（ＳＴ１３０５）。
【０１６２】
そして、端末１０５０は、基地局４７０に対して、接続先の情報を電波を用いて送信する（ＳＴ１３０６）。
【０１６３】
基地局４７０は、ネットワークから、端末１０５０に送信するための情報を入手する（ＳＴ１３０７）。
【０１６４】
そして、基地局４７０は、入手した情報を端末１０５０に、電波を用いて送信し、端末１０５０は情報を得る（ＳＴ１３０８）。端末１０５０は、例えば、必要なとき、基地局４７０を介して、ネットワークから必要な情報を取得する。
【０１６５】
以上のように、第２の機器１０００から送信されたＳＳＩＤの情報、暗号鍵の情報に基づいて、端末１０５０は、基地局４７０と接続し、情報を取得することで、安全性の保証された基地局４７０を介して情報を安全に入手することができる。なぜなら、端末１０５０が可視光の変調信号から情報を得た場合、可視光であるが故に情報元が安全かどうかの判断をユーザが行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０１６６】
なお、本実施の形態では、第２の機器１０００が、暗号鍵の情報を送信する場合について説明した。しかし、例えば、基地局４７０が暗号鍵を用いた暗号化された通信を行っていない場合、第２の機器１０００は、暗号鍵の情報を送信せず、ＳＳＩＤに関する情報のみを送信してもよい。この場合、上述した構成のうち、暗号鍵に関する構成を削除するだけで、同様に実施することができる。
【０１６７】
また、第２の機器の構成は図１３に示す第２の機器１０００の構成に限ったものではなく、端末の構成は図１３に示す端末１０５０の構成に限ったものではなく、基地局の接続先、構成は、図１３に示す基地局４７０の接続先、構成に限ったものではない。
【０１６８】
また、図１３において、基地局４７０が１つ配置されている場合について記載しているが、端末１０５０がアクセス可能な（安全な）基地局（または、ＡＰ）が複数存在していてもよい。なお、これらの複数の基地局と端末１０５０は、電波を用いて、変調信号の送受信をそれぞれ行うことになる。このとき、図１３の第２の機器１０００が送信するＳＳＩＤに関するシンボルには、これらの複数の基地局（または、ＡＰ）のそれぞれのＳＳＩＤの情報が含まれていてもよい。この場合、図１３の端末１０５０の表示部１５７には、アクセス先の表示として、複数の基地局のＳＳＩＤのリスト、および／または複数のアクセス先のリストが表示される。また、図１３の第２の機器１０００が送信する暗号鍵に関するシンボルには、これらの複数の基地局（または、ＡＰ）のそれぞれと接続するために用いる暗号鍵の情報が含まれていてもよい。そして、図１３の端末１０５０は、複数の基地局のＳＳＩＤの情報、暗号鍵の情報に基づいて、（例えば、電波により）実際に無線接続する１つ以上の基地局を選択してもよい（つまり、複数の基地局と同時に接続してもよい）。
【０１６９】
例えば、基地局４７０が３つ配置されるとする。ここでは、３つの基地局４７０をそれぞれ基地局＃Ａ、基地局＃Ｂ、基地局＃Ｃと呼ぶ。また、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とする。また、基地局＃Ａと接続するための暗号鍵を「１２３」とし、基地局＃Ｂと接続するための暗号鍵を「４５６」とし、基地局＃Ｃと接続するための暗号鍵を「７８９」とする。
【０１７０】
この場合、第２の機器１０００が送信する変調信号の図１４のフレーム構成におけるＳＳＩＤに関するシンボル６００−１は、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」とする情報を含んでいる。また、図１４のフレーム構成における暗号鍵に関するシンボル１１０１は、「基地局＃Ａと接続するための暗号鍵を「１２３」」、「基地局＃Ｂと接続するための暗号鍵を「４５６」」、「基地局＃Ｃと接続するための暗号鍵を「７８９」」とする情報を含んでいる。
【０１７１】
そして、図１３の端末１０５０は、ＳＳＩＤに関するシンボル６００−１を受信し、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」の情報を得る。また、端末１０５０は、暗号鍵に関するシンボル１１０１を受信し、「基地局＃Ａと接続するための暗号鍵を「１２３」」、「基地局＃Ｂと接続するための暗号鍵を「４５６」」、「基地局＃Ｃと接続するための暗号鍵を「７８９」」に関する情報を得る。そして、端末１０５０は、これらの情報に基づいて、（例えば、電波により）実際に無線接続する１つ以上の基地局を選択し、接続する。
【０１７２】
また、本実施の形態のように、ＬＥＤを例とする光源を利用して、端末１０５０がアクセスする基地局４７０を設定することで、端末１０５０が送信する無線のための変調信号に、端末１０５０と基地局４７０との無線通信の接続のための手続きを行う特別な設定のためのモードが不要となる。また、基地局４７０が送信する変調信号に、端末１０５０と基地局４７０との無線通信の接続のための手続きを行う特別な設定のためのモードが不要となる。よって、本実施の形態では、無線通信のデータ伝送効率を向上させることができる。
【０１７３】
また、暗号鍵は、上述したように、無線ＬＡＮのＳＳＩＤのための暗号鍵であってもよく、接続形態、サービス形態、ネットワークの接続範囲などを制限するための暗号鍵であってもよい。つまり、何らかの制限のために暗号鍵が導入されればよい。
【０１７４】
（実施の形態５）
図１７は、本実施の形態における通信システムの構成の一例を示す図である。
【０１７５】
図１７の通信システムは、例えば、機器１４００Ａ、１４００Ｂ、端末１０５０、および、端末１０５０と通信を行う基地局（または、ＡＰ）４７０を含む。
【０１７６】
機器１４００Ａ，１４００Ｂは、例えば、ＬＥＤなどの可視光源、照明、光源、ライト（以下、光源１４０６−１、１４０６−２という）を具備する。なお、以下では、機器１４００Ａを本実施の形態における「第３の機器」と呼び、機器１４００Ｂを本実施の形態における「第４の機器」と呼ぶ。
【０１７７】
なお、図１７に示す端末１０５０において、図６に示す端末１５０又は図１３に示す端末１０５０と同様に動作する構成要素については、同一番号を付している。また、図１７に示す基地局（またはＡＰ）４７０についても、図９に示す基地局４７０と同様に動作する構成要素については、図９と同一番号を付している。また、図１７に示す端末１０５０の無線装置４５３と基地局４７０との間の通信は、例えば、電波を用いるものとする。
【０１７８】
図１７の第３の機器１４００Ａにおいて、送信部１４０４−１は、ＳＳＩＤに関する情報１４０１−１、データ１４０２−１を入力とし、これらの入力信号に基づいて、（光）変調信号１４０５−１を生成し、変調信号１４０５−１を出力する。そして、変調信号１４０５−１は、例えば、光源１４０６−１から送信される。
【０１７９】
図１７の第４の機器１４００Ｂにおいて、送信部１４０４−２は、暗号鍵に関する情報１４０３−２、データ１４０２−２を入力とし、これらの入力信号に基づいて、（光）変調信号１４０５−２を生成し、変調信号１４０５−２を出力する。そして、変調信号１４０５−２は、例えば、光源１４０６−２から送信される。
【０１８０】
次にＳＳＩＤに関する情報１４０１−１、および、暗号鍵に関する情報１４０３−２について説明する。
【０１８１】
まず、ＳＳＩＤに関する情報１４０１−１について説明する。
【０１８２】
ＳＳＩＤに関する情報１４０１−１は、図１７における基地局４７０のＳＳＩＤを示す情報である。つまり、第３の機器１４００Ａは、端末１０５０に対して電波による安全なアクセス先である基地局４７０へのアクセスを提供することができる。これにより、図１７の端末１０５０は、基地局４７０から、情報を安全に入手することができる。
【０１８３】
なお、端末１０５０は、予め定められた方式で送信された光信号を受信した場合に、通知されたＳＳＩＤが安全な基地局のＳＳＩＤであると判別してもよい。また、端末１０５０は、通知されたＳＳＩＤが安全であるか否かを判別する処理を別途行ってもよい。例えば、第３の機器１４００Ａが所定の識別子を光信号に含めて送信し、端末１０５０は、受信した識別子に基づいて、通知されたＳＳＩＤが安全な基地局のＳＳＩＤであるか否かを判断してもよい。
【０１８４】
なお、図１７では、基地局４７０のみを示しているが、例えば、基地局４７０以外の基地局（または、ＡＰ）が存在する場合も、端末１０５０は、第３の機器１４００Ａから取得したＳＳＩＤおよび第４の機器１４００Ｂから取得した暗号鍵を用いて基地局４７０にアクセスし、情報を入手することになる。
【０１８５】
次に、暗号鍵に関する情報１４０３−２について説明する。
【０１８６】
暗号鍵に関する情報１４０３−２は、端末１０５０が基地局４７０と電波による通信を行うために必要となる暗号鍵に関する情報である。端末１０５０は、第４の機器１４００Ｂから、暗号鍵に関する情報１４０３−２を得ることで、基地局４７０との間で暗号化された通信を行うことが可能となる。
【０１８７】
以上、ＳＳＩＤに関する情報１４０１−１、および、暗号鍵に関する情報１４０３−２について説明した。
【０１８８】
図１７の端末１０５０は、第３の機器１４００Ａが送信した変調信号を受信する。
【０１８９】
端末１０５０が具備する受光部１５１は、例えば、ＣＭＯＳ、または、有機ＣＭＯＳなどのイメージセンサである。受光部１５１は、第３の機器１４００Ａから送信された変調信号を含む光を受光し、受信信号１５２を出力する。
【０１９０】
そして、受信部１５３は、受光部１５１で受信した受信信号１５２を入力とし、受信信号１５２に含まれる変調信号に対して復調・誤り訂正復号などの処理を行い、受信データ１５４を出力する。
【０１９１】
データ解析部１５５は、受信データ１５４を入力とし、受信データから、例えば、接続先となる基地局のＳＳＩＤの情報１０５１を出力する。無線装置４５３は、ＳＳＩＤの情報１０５１から、無線装置４５３が電波により接続する基地局４７０のＳＳＩＤの情報を得ることになる。
【０１９２】
図１７の端末１０５０は、第４の機器１４００Ｂが送信した変調信号を受信する。
【０１９３】
端末１０５０が具備する受光部１５１は、例えば、ＣＭＯＳ、または、有機ＣＭＯＳなどのイメージセンサなどである。受光部１５１は、第４の機器１４００Ｂから送信された変調信号を含む光を受光し、受信信号１５２を出力する。
【０１９４】
そして、受信部１５３は、受光部１５１で受信した受信信号１５２を入力とし、受信信号１５２に含まれる変調信号に対して復調・誤り訂正復号などの処理を行い、受信データ１５４を出力する。
【０１９５】
データ解析部１５５は、受信データ１５４を入力とし、受信データから、例えば、接続先となる基地局と通信を行うための暗号鍵の情報１０５２を出力する。例えば、無線ＬＡＮ（Local Area Network）では、暗号化の方式として、WEP（Wired Equivalent Privacy）、WPA（Wi-Fi Protected Access）、WPA2（Wi-Fi Protected Access 2）（PSK(Pre-Shared Key)モード、EAP(Extended Authentication Protocol)モード）がある。なお、暗号化方法はこれに限ったものではない。
【０１９６】
端末１０５０が具備する無線装置４５３は、（例えば、電波による）接続先となる基地局と通信を行うための暗号鍵の情報１０５２から、無線装置４５３が接続する基地局４７０の暗号鍵の情報を得ることになる。
【０１９７】
表示部１５７は、ＳＳＩＤの情報１０５１、暗号鍵の情報１０５２を入力とし、例えば、端末１０５０が具備する無線装置４５３がアクセスする通信相手のＳＳＩＤ、および、暗号鍵を表示する（この表示を本実施の形態における「第１の表示」と呼ぶ）。
【０１９８】
例えば、第１の表示後、無線装置４５３は、ＳＳＩＤの情報１０５１、および、暗号鍵の情報１０５２を入力とし、基地局４７０との電波による接続を確立する。このとき、基地局４７０も、端末１０５０が具備する無線装置４５３と通信を行う場合、変調信号を、例えば電波を用いて送信する。
【０１９９】
その後、無線装置４５３は、データ１０５３、および、制御信号１０５４を入力とし、制御信号１０５４に示される制御に従って、データ１０５３に対して変調を施し、変調信号を電波により送信する。
【０２００】
そして、例えば、基地局４７０は、ネットワークに対して、データの送信（４７１）、およびネットワークからのデータの受信（４７２）を行う。その後、例えば、基地局４７０は、端末１０５０に対して、変調信号を電波により送信する。
【０２０１】
端末１０５０が具備する無線装置４５３は、電波により受信した変調信号に対し、復調、誤り訂正復号などの処理を行い、受信データ１０５６を取得する。表示部１５７は、受信データ１０５６に基づいて表示を行う。
【０２０２】
図１８は、図１７に示す第３の機器１４００Ａが送信する変調信号のフレーム構成の一例を示している。図１８において、横軸は時間である。また、図１８において、図２、図１０、図１４と同様のシンボルについては、同一の符号を付しており、説明を省略する。
【０２０３】
ＳＳＩＤに関するシンボル６００−１は、図１７のＳＳＩＤに関する情報１４０１−１を送信するためのシンボルである。データシンボル１１０２は、データ１４０２−１を送信するためのシンボルである。
【０２０４】
第３の機器１４００Ａは、プリアンブル２０１、制御情報シンボル２０２、ＳＳＩＤに関するシンボル６００−１、データシンボル１１０２を送信する。なお、第３の機器１４００Ａは、図１８で記載しているシンボル以外のシンボルを含むフレームを送信してもよい。また、シンボルを送信する順番を含め、フレーム構成は図１８の構成に限ったものではない。
【０２０５】
図１９は、図１７の第４の機器１４００Ｂが送信する変調信号のフレーム構成の一例を示している。図１９において、横軸は時間である。また、図１９において、図７、図１４と同様のシンボルについては、同一符号を付しており、説明を省略する。
【０２０６】
暗号鍵に関するシンボル１１０１は、図１７の暗号鍵に関する情報１４０３−２を送信するためのシンボルである。データシンボル１１０２は、データ１４０２−２を送信するためのシンボルである。
【０２０７】
第４の機器１４００Ｂは、プリアンブル２０１、制御情報シンボル２０２、暗号鍵に関するシンボル１１０１、データシンボル１１０２を送信する。なお、図１７の第４の機器１４００Ｂは、図１９で記載しているシンボル以外のシンボルを含むフレームを送信してもよい。また、シンボルを送信する順番を含め、フレーム構成は図１９に限ったものではない。
【０２０８】
本実施の形態における無線装置４５３が送信する変調信号のフレーム構成は、実施の形態４で説明した図１５のフレーム構成と同様である。すなわち、図１５に示すように、端末１０５０が具備する無線装置４５３は、例えば、プリアンブル１２０１を送信し、その後、制御情報シンボル１２０２、情報シンボル１２０３を送信する。
【０２０９】
プリアンブル１２０１は、図１７の端末１０５０の無線装置４５３が送信する変調信号を受信する基地局（または、ＡＰ）４７０が、例えば、信号検出、時間同期、フレーム同期、周波数同期、周波数オフセット推定などを行うために用いるシンボルである。
【０２１０】
制御情報シンボル１２０２は、例えば、変調信号を生成するのに使用された、誤り訂正符号化方式の方法、変調方式に関する情報、フレーム構成に関する情報、送信方法に関する情報などのデータを含むシンボルである。基地局４７０は、制御情報シンボル１２０２に含まれる情報に基づいて、変調信号の復調などを実施する。
【０２１１】
情報シンボル１２０３は、端末１０５０の無線装置４５３がデータを伝送するためのシンボルである。
【０２１２】
なお、図１７に示す端末１０５０の無線装置４５３は、図１５に記載しているシンボル以外のシンボルを含むフレームを送信してもよい。例えば、無線装置４５３は、情報シンボル１２０３の途中でパイロットシンボル（リファレンスシンボル）が含まれるフレームなどを送信してもよい。また、シンボルを送信する順番を含め、フレーム構成は、図１５の構成に限ったものではない。また、図１５において、周波数軸方向に複数のシンボルが存在していてもよい。つまり、図１５において、複数の周波数（複数のキャリア）にシンボルが存在していてもよい。
【０２１３】
本実施の形態における基地局４７０が送信する変調信号のフレーム構成は、実施の形態３で説明した図１１のフレーム構成と同様である。すなわち、図１１に示すように、基地局４７０は、例えば、プリアンブル７０１を送信し、その後、制御情報シンボル７０２、情報シンボル７０３を送信する。
【０２１４】
プリアンブル７０１は、基地局４７０が送信する変調信号を受信する図１７の端末１０５０の無線装置４５３が、例えば、信号検出、時間同期、フレーム同期、周波数同期、周波数オフセット推定などを行うためのシンボルである。
【０２１５】
制御情報シンボル７０２は、例えば、変調信号を生成するのに使用された、誤り訂正符号化方式の方法、変調方式に関する情報、フレーム構成に関する情報、送信方法に関する情報などのデータを含むシンボルである。図１７の端末１０５０の無線装置４５３は、制御情報シンボル７０２の情報に基づいて、変調信号の復調などを実施する。
【０２１６】
情報シンボル７０３は、図１７の基地局４７０がデータを伝送するためのシンボルである。
【０２１７】
なお、図１７に示す基地局４７０は、図１１に記載しているシンボル以外のシンボルを含むフレームを送信してもよい。例えば、基地局４７０は、情報シンボル７０３の途中でパイロットシンボル（リファレンスシンボル）が含まれるフレームなどを送信してもよい。また、シンボルを送信する順番を含め、フレーム構成は、図１１の構成に限ったものではない。また、図１１において、周波数軸方向に複数のシンボルが存在していてもよい。つまり、図１１において、複数の周波数（複数のキャリア）にシンボルが存在してもよい。
【０２１８】
また、例えば、第３の機器１４００Ａが送信する図１８のフレーム構成の変調信号は、規則的なタイミングで、例えば、繰り返し、送信する方法が考えられる。これにより、複数の端末１０５０が、上述したような動作を実施することができる。同様に、第４の機器１４００Ｂが送信する図１９のフレーム構成の変調信号は、規則的なタイミングで、例えば、繰り返し、送信する方法が考えられる。これにより、複数の端末１０５０が、上述したような動作を実施することができる。
【０２１９】
図２０は、図１７に示す「第３の機器１４００Ａ」、「第４の機器１４００Ｂ」、「端末１０５０」、「基地局４７０」が実施する処理の第１の例を示すフローチャートである。なお、図２０において、図１６と同様に動作するものについては、同一番号を付している。
【０２２０】
まず、第３の機器１４００Ａは、図１８に示すフレーム構成の変調信号を送信する（ＳＴ１７０１）。
【０２２１】
そして、端末１０５０は、第３の機器１４００Ａが送信した変調信号を受信し、端末１０５０がアクセスする基地局４７０のＳＳＩＤを取得する（ＳＴ１７０２）。
【０２２２】
次に、第４の機器１４００Ｂは、図１９に示すフレーム構成の変調信号を送信する（ＳＴ１７０３）。
【０２２３】
そして、端末１０５０、第４の機器１４００Ｂが送信した変調信号を受信し、端末１０５０がアクセスする基地局４７０との通信に用いる暗号鍵を取得する（ＳＴ１７０４）。
【０２２４】
そして、端末１０５０は、基地局４７０との電波による接続を実施する（ＳＴ１３０４）。端末１０５０が基地局４７０の応答を受信することにより、基地局４７０との電波による接続が完了する（ＳＴ１３０５）。
【０２２５】
そして、端末１０５０は、基地局４７０に対して、接続先の情報を電波を用いて送信する（ＳＴ１３０６）。
【０２２６】
基地局４７０は、ネットワークから、端末１０５０に送信するための情報を入手する（ＳＴ１３０７）。
【０２２７】
そして、基地局４７０は、入手した情報を端末１０５０に、電波を用いて送信し、端末１０５０は情報を得る（ＳＴ１３０８）。端末１０５０は、例えば、必要なとき、基地局４７０を介して、ネットワークから必要な情報を取得する。
【０２２８】
図２１は、図１７に示す「第３の機器１４００Ａ」、「第４の機器１４００Ｂ」、「端末１０５０」、「基地局４７０」が実施する処理の第２の例を示すフローチャートである。なお、図２１において、図１６と同様に動作するものについては、同一番号を付している。
【０２２９】
まず、第４の機器１４００Ｂは、図１９に示すフレーム構成の変調信号を送信する（ＳＴ１８０１）。
【０２３０】
そして、端末１０５０は、第４の機器１４００Ｂが送信した変調信号を受信し、端末１０５０がアクセスする基地局４７０との通信に用いる暗号鍵を取得する（ＳＴ１８０２）。
【０２３１】
次に、第３の機器１４００Ａは、図１８に示すフレーム構成の変調信号を送信する（ＳＴ１８０３）。
【０２３２】
そして、端末１０５０は、第３の機器１４００Ａが送信した変調信号を受信し、端末１０５０がアクセスする基地局４７０のＳＳＩＤを取得する（ＳＴ１８０４）。
【０２３３】
そして、端末１０５０は、基地局４７０との電波による接続を実施する（ＳＴ１３０４）。端末１０５０が基地局４７０の応答を受信することにより、基地局４７０との電波による接続が完了する（ＳＴ１３０５）。
【０２３４】
そして、端末１０５０は、基地局４７０に対して、接続先の情報を電波を用いて送信する（ＳＴ１３０６）。
【０２３５】
基地局４７０は、ネットワークから、端末１０５０に送信するための情報を入手する（ＳＴ１３０７）。
【０２３６】
そして、基地局４７０は、入手した情報を端末１０５０に、電波を用いて送信し、端末１０５０は情報を得る（ＳＴ１３０８）。端末１０５０は、例えば、必要なとき、基地局４７０を介して、ネットワークから必要な情報を取得する。
【０２３７】
以上のように、第３の機器１４００Ａから送信されたＳＳＩＤ、および、第４の機器１４００Ｂから送信された暗号鍵の情報に基づいて、端末１０５０は、基地局４７０と接続し、情報を取得する。すなわち、端末１０５０がＳＳＩＤの情報を取得する機器と暗号鍵の情報を取得する機器とが異なるので、安全性の保証された基地局４７０を介して情報を安全に入手することができる。なぜなら、端末１０５０が可視光の変調信号から情報を得た場合、可視光であるが故に情報元が安全かどうかの判断をユーザが行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０２３８】
なお、本実施の形態では、第４の機器１４００Ｂが、暗号鍵の情報を送信する場合を説明した。しかし、例えば、基地局４７０が暗号鍵を用いた暗号化された通信を行っていない場合、第４の機器１４００Ｂによって暗号鍵の情報が送信されず、第３の機器１４００ＡによってＳＳＩＤに関する情報のみが送信されればよい。この場合、上述下構成のうち、暗号鍵に関する構成を削除するだけで、同様に実施することができる。
【０２３９】
また、本実施の形態のように、ＳＳＩＤに関する情報を送信する機器（第３の機器１４００Ａ）と、暗号鍵に関する情報を送信する機器（第４の機器１４００Ｂ）とを別にすることで、端末１０５０は基地局４７０とより安全な通信を実現することができる。
【０２４０】
なお、端末１０５０が基地局４７０と通信を行うための暗号鍵を（例えば、ある時間区間ごとに）変更することで、変更前の暗号鍵を保持する端末１０５０は、基地局４７０と通信が行うことができなくなる。このような運用を行うことで、より安全な通信を行うことが可能となる。
【０２４１】
また、第３の機器の構成、第４の機器の構成は図１７に示す第３の機器１４００Ａ、第４の機器１４００Ｂの構成に限ったものではなく、端末の構成は、図１７に示す端末１０５０の構成に限ったものではなく、基地局の接続先、構成は、図１７に示す基地局４７０の接続先、構成に限ったものではない。
【０２４２】
また、図１７において、基地局４７０が１つ配置されている場合について記載しているが、端末１０５０がアクセス可能な（安全な）基地局（または、ＡＰ）が複数存在していてもよい。このとき、図１７の第３の機器１４００Ａが送信するＳＳＩＤに関するシンボルには、これらの複数の基地局４７０のそれぞれのＳＳＩＤの情報が含まれていてもよい。また、図１７の第４の機器１４００Ｂが送信する暗号鍵に関するシンボルには、これらの複数の基地局のそれぞれと接続するために用いる暗号鍵の情報が含まれていてもよい。この場合、図１７の端末１０５０の表示部１５７には、アクセス先の表示（前述した「第１の表示」）として、複数の基地局のＳＳＩＤのリスト、および／または複数のアクセス先のリストが表示される。そして、図１７の端末１０５０は、複数の基地局のＳＳＩＤの情報、暗号鍵の情報に基づいて、実際に無線接続する１つ以上の基地局を選択してもよい（つまり、複数の基地局と同時に接続してもよい）。
【０２４３】
例えば、基地局４７０が３つ配置されるとする。ここでは、３つの基地局４７０をそれぞれ基地局＃Ａ、基地局＃Ｂ、基地局＃Ｃと呼ぶ。また、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とする。また、基地局＃Ａと接続するための暗号鍵を「１２３」とし、基地局＃Ｂと接続するための暗号鍵を「４５６」とし、基地局＃Ｃと接続するための暗号鍵を「７８９」とする。
【０２４４】
この場合、第３の機器１４００Ａが送信する変調信号の図１８のフレーム構成におけるＳＳＩＤに関するシンボル６００−１は、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」とする情報を含んでいる。また、第４の機器１４００Ｂが送信する変調信号の図１９のフレーム構成における暗号鍵に関するシンボル１１０１は、「基地局＃Ａと接続するための暗号鍵を「１２３」」、「基地局＃Ｂと接続するための暗号鍵を「４５６」」、「基地局＃Ｃと接続するための暗号鍵を「７８９」」とする情報を含んでいる。
【０２４５】
そして、図１７の端末１０５０は、ＳＳＩＤに関するシンボル６００−１を受信し、「基地局＃ＡのＳＳＩＤを「ａｂｃｄｅｆ」」、「基地局＃ＢのＳＳＩＤを「ｇｈｉｊｋ」」、「基地局＃ＣのＳＳＩＤを「ｐｑｒｓｔｕ」」の情報を得る。また、端末１０５０は、暗号鍵に関するシンボル１１０１を受信し、「基地局＃Ａと接続するための暗号鍵を「１２３」」、「基地局＃Ｂと接続するための暗号鍵を「４５６」」、「基地局＃Ｃと接続するための暗号鍵を「７８９」」に関する情報を得る。そして、端末１０５０は、これらの情報に基づいて、（例えば、電波による）無線接続する基地局を選択し、接続する。
【０２４６】
また、本実施の形態のように、ＬＥＤを例とする光源を利用して、端末１０５０がアクセスする基地局４７０を設定することで、端末１０５０が送信する無線のための変調信号に、端末１０５０と基地局４７０との無線通信の接続のための手続きを行う特別な設定のためのモードが不要となる。また、基地局４７０が送信する変調信号に、端末１０５０と基地局４７０との無線通信の接続のための手続きを行う特別な設定のためのモードが不要となる。よって、本実施の形態では、無線通信のデータ伝送効率を向上させることができる。
【０２４７】
また、暗号鍵は、上述したように、無線ＬＡＮのＳＳＩＤのための暗号鍵であってもよく、接続形態、サービス形態、ネットワークの接続範囲などを制限するための暗号鍵であってもよい。つまり、何らかの制限のために暗号鍵が導入されればよい。
【０２４８】
（実施の形態６）
図２２は、本実施の形態における通信システムの構成の一例を示す図である。
【０２４９】
図２２の通信システムは、例えば、基地局２０００、および、端末１０５０を含む。また、基地局２０００は、送信装置２００１と無線装置２００２とを備える。なお、図２２において、図６、図１３と同様に動作するものについては、同一番号を付している。また、図２２の無線装置２００２と無線装置４５３との通信は、例えば、電波を用いるものとする。
【０２５０】
図２２の基地局（または、ＡＰ）２０００の送信装置２００１は、例えば、ＬＥＤなどの可視光源、照明、光源、ライト（以下、光源１０４という）を具備する。まず、送信装置２００１（つまり、「ＬＥＤなどの可視光源、照明、光源、ライトに関連する部分」）の動作について説明する。
【０２５１】
送信装置２００１において、送信部１０２は、ＳＳＩＤに関する情報１００１−１、暗号鍵に関する情報１００１−２、データ１００２を入力とし、これらの入力信号に基づいて、（光）変調信号１０３を生成し、変調信号１０３を出力する。そして、変調信号１０３は、例えば、光源１０４から送信される。
【０２５２】
次に、ＳＳＩＤに関する情報１００１−１、および、暗号鍵に関する情報１００１−２について説明する。
【０２５３】
まず、ＳＳＩＤに関する情報１００１−１について説明する。
【０２５４】
ＳＳＩＤに関する情報１００１−１は、図２２における基地局２０００の、電波を用いる無線装置２００２のＳＳＩＤを示す情報である。つまり、送信装置２００１は、端末１０５０に対して安全な無線によるアクセス先である無線装置２００２へのアクセスを提供することができる。これにより、図２２の端末１０５０が、無線装置２００２から、情報を安全に入手することができる。
【０２５５】
一方、送信装置２００１は、無線装置２００２に対してアクセスする端末を、送信装置２００１が送信（照射）した光信号を受信可能な空間に位置する端末に制限することができる。
【０２５６】
なお、端末１０５０は、予め定められた方式で送信された光信号を受信した場合に、通知されたＳＳＩＤが安全な基地局のＳＳＩＤであると判別してもよい。また、端末１０５０は、通知されたＳＳＩＤが安全であるか否かを判別する処理を別途行ってもよい。例えば、送信装置２００１が所定の識別子を光信号に含めて送信し、端末１０５０は、受信した識別子に基づいて、通知されたＳＳＩＤが安全な基地局のＳＳＩＤであるか否かを判断してもよい。
【０２５７】
なお、図２２では、基地局２０００のみを示しているが、例えば、基地局２０００以外の基地局（または、ＡＰ）が存在する場合も、端末１０５０は、送信装置２００１から取得したＳＳＩＤおよび暗号鍵を用いて基地局２０００の無線装置２００２にアクセスし、情報を入手することになる。
【０２５８】
次に、暗号鍵に関する情報１００１−２について説明する。
【０２５９】
暗号鍵に関する情報１００１−２は、端末１０５０が無線装置２００２と通信を行うために必要となる暗号鍵に関する情報である。端末１０５０は、送信装置２００１から、暗号鍵に関する情報１００１−２を得ることで、無線装置２００２との間で暗号化された通信を行うことが可能となる。
【０２６０】
以上、ＳＳＩＤに関する情報１００１−１、および、暗号鍵に関する情報１００１−２について説明した。
【０２６１】
図２２の端末１０５０は、送信装置２００１が送信した変調信号を受信する。なお、図２２の端末１０５０において、図６の端末１５０、図１３の端末１０５０と同様に動作する構成要素については、同一の番号を付している。
【０２６２】
端末１０５０が具備する受光部１５１は、例えば、ＣＭＯＳ、または、有機ＣＭＯＳなどのイメージセンサである。受光部１５１は、送信装置２００１から送信された変調信号を含む光を受光し、受信信号１５２を出力する。
【０２６３】
そして、受信部１５３は、受光部１５１で受信した受信信号１５２を入力とし、受信信号１５２に含まれる変調信号に対して復調・誤り訂正復号などの処理を行い、受信データ１５４を出力する。
【０２６４】
データ解析部１５５は、受信データ１５４を入力とし、受信データから、例えば、接続先となる基地局２０００の無線装置２００２のＳＳＩＤの情報１０５１、および、接続先となる基地局２０００の無線装置２００２と通信を行うための暗号鍵の情報１０５２を出力する。例えば、無線ＬＡＮ（Local Area Network）では、暗号化の方式として、WEP（Wired Equivalent Privacy）、WPA（Wi-Fi Protected Access）、WPA2（Wi-Fi Protected Access 2）（PSK(Pre-Shared Key)モード、EAP(Extended Authentication Protocol)モード）がある。なお、暗号化方法はこれに限ったものではない。
【０２６５】
表示部１５７は、ＳＳＩＤの情報１０５１、暗号鍵の情報１０５２を入力とし、例えば、端末１０５０が具備する無線装置４５３がアクセスする通信相手のＳＳＩＤ、および、暗号鍵を表示する（この表示を本実施の形態における「第１の表示」と呼ぶ）。
【０２６６】
例えば、第１の表示後、無線装置４５３は、ＳＳＩＤの情報１０５１、および、暗号鍵の情報１０５２を入力とし、基地局２０００の無線装置２００２との接続を確立する（例えば、接続は電波を利用するものとする）。このとき、基地局２０００の無線装置２００２も、端末１０５０が具備する無線装置４５３と通信を行う場合、変調信号を、例えば電波を用いて送信する。
【０２６７】
その後、無線装置４５３は、データ１０５３、および、制御信号１０５４を入力とし、制御信号１０５４に示される制御に従って、データ１０５３に対して変調を施し、変調信号を電波により送信する。
【０２６８】
そして、例えば、基地局２０００の無線装置２００２は、ネットワークに対して、データの送信（４７１）、およびネットワークからのデータの受信（４７２）を行う。その後、例えば、基地局２０００の無線装置２００２は、端末１０５０に対して、変調信号を電波により送信する。
【０２６９】
端末１０５０が具備する無線装置４５３は、電波により受信した変調信号に対し、復調、誤り訂正復号などの処理を行い、受信データ１０５６を取得する。表示部１５７は、受信データ１０５６に基づいて表示を行う。
【０２７０】
本実施の形態における基地局２０００の無線装置２００２が送信する変調信号のフレーム構成は、実施の形態４で説明した図１４のフレーム構成と同様である。すなわち、図１４において、ＳＳＩＤに関するシンボル６００−１は、図２２のＳＳＩＤに関する情報１００１−１を送信するためのシンボルであり、暗号鍵に関するシンボル１１０１は、図２２の暗号鍵に関する情報１００１−２を送信するためのシンボルである。データシンボル１１０２は、図２２のデータ１００２を送信するためのシンボルである。
【０２７１】
図１４に示すように、基地局２０００の無線装置２００２は、プリアンブル２０１、制御情報シンボル２０２、ＳＳＩＤに関するシンボル６００−１、暗号鍵に関するシンボル１１０１、データシンボル１１０２を送信する。なお、基地局２０００の無線装置２００２は、図１４で記載しているシンボル以外のシンボルを含むフレームを送信してもよい。また、シンボルを送信する順番を含め、フレーム構成は図１４の構成に限ったものではない。
【０２７２】
本実施の形態における端末１０５０が具備する無線装置４５３が送信する変調信号のフレーム構成は、実施の形態４で説明した図１５のフレーム構成と同様である。すなわち、図１５に示すように、図２２の端末１０５０が具備する無線装置４５３は、例えば、プリアンブル１２０１を送信し、その後、制御情報シンボル１２０２、情報シンボル１２０３を送信する。
【０２７３】
このとき、プリアンブル１２０１は、無線装置４５３が送信する変調信号を受信する基地局２０００の無線装置２００２が、例えば、信号検出、時間同期、フレーム同期、周波数同期、周波数オフセット推定などを行うために用いるシンボルである。
【０２７４】
制御情報シンボル１２０２は、例えば、端末１０５０が変調信号を生成するのに使用した誤り訂正符号化方式の方法、変調方式に関する情報、フレーム構成に関する情報、送信方法に関する情報などのデータを含むシンボルである。基地局２０００の無線装置２００２は、制御情報シンボル１２０２に含まれる情報に基づいて、変調信号の復調などを実施する。
【０２７５】
情報シンボル１２０３は、端末１０５０の無線装置４５３がデータを伝送するためのシンボルである。
【０２７６】
なお、端末１０５０の無線装置４５３は、図１５に記載しているシンボル以外のシンボルを含むフレームを送信してもよい。例えば、無線装置４５３は、情報シンボル１２０３の途中でパイロットシンボル（リファレンスシンボル）が含まれるフレームを送信してもよい。また、シンボルを送信する順番を含め、フレーム構成は、図１５の構成に限ったものではない。また、図１５において、周波数軸方向に複数のシンボルが存在していてもよい。つまり、図１５において、複数の周波数（複数のキャリア）にシンボルが存在していてもよい。
【０２７７】
本実施の形態における無線装置２００２が送信する変調信号のフレーム構成は、実施の形態３で説明した図１１のフレーム構成と同様である。すなわち、図１１に示すように、無線装置２００２は、例えば、プリアンブル７０１を送信し、その後、制御情報シンボル７０２、情報シンボル７０３を送信する。
【０２７８】
プリアンブル７０１は、無線装置２００２が送信する変調信号を受信する端末１０５０の無線装置４５３が、例えば、信号検出、時間同期、フレーム同期、周波数同期、周波数オフセット推定などを行うためのシンボルである。
【０２７９】
制御情報シンボル７０２は、例えば、変調信号を生成するのに使用された、誤り訂正符号化方式の方法、変調方式に関する情報、フレーム構成に関する情報、送信方法に関する情報などのデータを含むシンボルである。端末１０５０の無線装置４５３は、制御情報シンボル７０２の情報に基づいて、変調信号の復調などを実施する。
【０２８０】
情報シンボル７０３は、無線装置２００２がデータを伝送するためのシンボルである。
【０２８１】
なお、図２２に示す基地局２０００の無線装置２００２は、図１１に記載しているシンボル以外のシンボルを含むフレームを送信してもよい。例えば、無線装置２００２は、情報シンボル７０３の途中でパイロットシンボル（リファレンスシンボル）が含まれるフレームなどを送信してもよい。また、シンボルを送信する順番を含め、フレーム構成は、図１１の構成に限ったものではない。また、図１１において、周波数軸方向に複数のシンボルが存在していてもよい。つまり、図１１において、複数の周波数（複数のキャリア）にシンボルが存在していてもよい。
【０２８２】
また、例えば、送信装置２００１が送信する図１４のフレーム構成の変調信号は、規則的なタイミングで、例えば、繰り返し、送信する方法が考えられる。これにより、複数の端末１０５０が、上述したような動作を実施することができる。
【０２８３】
図２３は、図２２に示す「基地局２０００の送信装置２００１」、「端末１０５０」、「基地局２０００の無線装置２００２」が実施する処理の一例を示すフローチャートである。
【０２８４】
まず、送信装置２００１は、図１４のフレーム構成の変調信号を送信する（ＳＴ１３０１）。
【０２８５】
そして、端末１０５０は、送信装置２００１が送信した変調信号を受信し、端末１０５０がアクセスする基地局２０００（無線装置２００２）のＳＳＩＤを取得する（ＳＴ１３０２）。
【０２８６】
併せて、端末１０５０は、端末１０５０がアクセスする基地局２０００（無線装置２００２）との通信に用いる暗号鍵を取得する（ＳＴ１３０３）。
【０２８７】
そして、端末１０５０は、基地局２０００の無線装置２００２との電波による接続を実施する（ＳＴ１３０４）。端末１０５０が基地局２０００の無線装置２００２の応答を受信することにより、端末１０５０と基地局２０００の無線装置２００２との接続が完了する（ＳＴ１３０５）。
【０２８８】
そして、端末１０５０は、基地局２０００の無線装置２００２に対して、接続先の情報を電波を用いて送信する（ＳＴ１３０６）。
【０２８９】
基地局２０００の無線装置２００２は、ネットワークから、端末１０５０に送信するための情報を入手する（ＳＴ１３０７）。
【０２９０】
そして、基地局２０００の無線装置２００２は、入手した情報を端末１０５０に、電波を用いて送信し、端末１０５０は情報を得る（ＳＴ１３０８）。端末１０５０は、例えば、必要なとき、基地局２０００の無線装置２００２を介して、ネットワークから必要な情報を取得する。
【０２９１】
以上のように、基地局２０００の送信装置２００１から送信されたＳＳＩＤの情報、暗号鍵の情報に基づいて、端末１０５０は、基地局２０００の無線装置２００２と接続し、情報を取得することで、安全性の保証された基地局２０００を介して情報を安全に入手することができる。なぜなら、端末１０５０が可視光の変調信号から情報を得た場合、可視光であるが故に情報元が安全かどうかの判断をユーザが行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０２９２】
なお、本実施の形態では、送信装置２００１が、暗号鍵の情報を送信する場合を説明した。しかし、例えば、基地局２０００の無線装置２００２が暗号鍵を用いた暗号化された通信を行っていない場合、送信装置２００１は、暗号鍵の情報を送信せず、ＳＳＩＤに関する情報のみを送信してもよい。この場合、送信装置２００１の構成のうち、暗号鍵に関する構成を削除するだけで、同様に実施することができる。
【０２９３】
また、図２２のように、基地局２０００の無線装置２００２のＳＳＩＤおよび暗号鍵を書き換え可能な構成をとってもよい。例えば、図２２では、無線装置２００２には、ＳＳＩＤに関する情報１００１−１、暗号鍵に関する情報１００１−２が入力される。基地局２０００の無線装置２００２は、入力されたＳＳＩＤに関する情報１００１−１、暗号鍵に関する情報１００１−２により、ＳＳＩＤと暗号鍵を書き換える。このようにすると、端末１０５０と基地局２０００の無線装置２００２との通信の安全性がさらに確保されることになる。なお、図２２では、基地局２０００の無線装置２００２がＳＳＩＤ及び暗号鍵の書き換え機能を有しているが、ＳＳＩＤ及び暗号鍵の双方又は何れか一方の書き換え機能がない構成であってもよい。
【０２９４】
また、送信装置の構成は図２２に示す送信装置２００１の構成に限ったものではなく、端末の構成は、図２２に示す端末１０５０の構成に限ったものではなく、無線装置の接続先、構成は、図２２に示す無線装置２００２の接続先、構成に限ったものではない。
【０２９５】
また、図２２において、基地局２０００が１つ配置されている場合について記載しているが、端末１０５０がアクセス可能な（安全な）基地局（または、ＡＰ）２０００の無線装置２００２が複数存在していてもよい。なお、これらの複数の基地局２０００の無線装置２００２と端末１０５０は、電波を用いて、変調信号の送受信を行うことになる。このとき、図２２の送信装置２００１が送信するＳＳＩＤに関するシンボルには、これらの複数の基地局２０００の無線装置２００２のそれぞれのＳＳＩＤの情報が含まれていてもよい。また、図２２の送信装置２００１が送信する暗号鍵に関するシンボルには、これらの複数の基地局２０００の無線装置２００２のそれぞれと接続するために用いる暗号鍵の情報が含まれていてもよい。そして、図２２の端末１０５０は、複数の基地局２０００の無線装置２００２のＳＳＩＤの情報、暗号鍵の情報に基づいて、（例えば、電波による）無線接続する基地局２０００の無線装置２００２を選択してもよい（または、複数の基地局の無線装置と接続してもよい）。
【０２９６】
例えば、無線装置２００２を具備する基地局２０００が３つあるとする。ここでは、３つの基地局２０００の無線装置２００２をそれぞれ無線装置＃Ａ、無線装置＃Ｂ、無線装置＃Ｃと呼ぶ。また、無線装置＃ＡのＳＳＩＤを「ａｂｃｄｅｆ」とし、無線装置＃ＢのＳＳＩＤを「ｇｈｉｊｋ」とし、無線装置＃ＣのＳＳＩＤを「ｐｑｒｓｔｕ」とする。また、無線装置＃Ａと接続するための暗号鍵を「１２３」とし、無線装置＃Ｂと接続するための無線装置を「４５６」とし、無線装置＃Ｃと接続するための暗号鍵を「７８９」とする。
【０２９７】
この場合、送信装置２００１が送信する変調信号の図１４のフレーム構成におけるＳＳＩＤに関するシンボル６００−１は、「無線装置＃ＡのＳＳＩＤを「ａｂｃｄｅｆ」」、「無線装置＃ＢのＳＳＩＤを「ｇｈｉｊｋ」」、「無線装置＃ＣのＳＳＩＤを「ｐｑｒｓｔｕ」」とする情報を含んでいる。また、図１４のフレーム構成における暗号鍵に関するシンボル１１０１は、「無線装置＃Ａと接続するための暗号鍵を「１２３」」、「無線装置＃Ｂと接続するための暗号鍵を「４５６」」、「無線装置＃Ｃと接続するための暗号鍵を「７８９」」とする情報を含んでいる。
【０２９８】
そして、図２２の端末１０５０は、ＳＳＩＤに関するシンボル６００−１を受信し、「無線装置＃ＡのＳＳＩＤを「ａｂｃｄｅｆ」」、「無線装置＃ＢのＳＳＩＤを「ｇｈｉｊｋ」」、「無線装置＃ＣのＳＳＩＤを「ｐｑｒｓｔｕ」」の情報を得る。また、端末１０５０は、暗号鍵に関するシンボル１１０１を受信し、「無線装置＃Ａと接続するための暗号鍵を「１２３」」、「無線装置＃Ｂと接続するための暗号鍵を「４５６」」、「無線装置＃Ｃと接続するための暗号鍵を「７８９」」に関する情報を得る。そして、端末１０５０は、これらの情報に基づいて、（例えば、電波による）無線接続する基地局を選択し、接続する。
【０２９９】
また、本実施の形態のように、ＬＥＤを例とする光源を利用して、端末１０５０がアクセスする基地局２０００の無線装置２００２を設定することで、端末１０５０が送信する無線のための変調信号に、端末１０５０と基地局２０００との無線通信の接続のための手続きを行う特別な設定のためのモードが不要となる。また、基地局２０００が送信する変調信号に、端末１０５０と基地局２０００との無線通信の接続のための手続きを行う特別な設定のためのモードが不要となる。よって、本実施の形態では、無線通信のデータ伝送効率を向上させることができる。
【０３００】
また、暗号鍵は、上述したように、無線ＬＡＮのＳＳＩＤのための暗号鍵であってもよく、接続形態、サービス形態、ネットワークの接続範囲などを制限するための暗号鍵であってもよい。つまり、何らかの制限のために暗号鍵が導入されればよい。
【０３０１】
（実施の形態７）
図２４は、本実施の形態における通信システムの構成の一例を示す図である。
【０３０２】
図２４の通信システムは、機器１０００、端末１０５０、端末１０５０と通信を行う基地局（またはＡＰ）４７０−１（基地局＃１）、基地局（またはＡＰ）４７０−２（基地局＃２）、基地局（またはＡＰ）４７０−３（基地局＃３）を含む。なお、図２４において、図６、図９、図１３と同様に動作するものについては同一番号を付している。
【０３０３】
機器１０００は、例えば、ＬＥＤなどの可視光、照明、光源、ライト（光源１０４）を具備する。なお、以下では、機器１０００を本実施の形態における「第５の機器」と呼ぶ。また、図２４の無線装置４５３と基地局４７０−１（基地局＃１）の通信、無線装置４５３と基地局４７０−２（基地局＃２）の通信、無線装置４５３と基地局４７０−３（基地局＃３）の通信は、例えば、電波を用いるものとする。
【０３０４】
図２４の第５の機器１０００において、送信部１０１は、ＳＳＩＤに関する情報１００１−１、暗号鍵に関する情報１００１−２、データ１００２を入力とし、これらの入力信号に基づいて、（光）変調信号１０３を生成し、変調信号１０３を出力する。そして、変調信号１０３は、例えば、光源１０４から送信される。
【０３０５】
次に、ＳＳＩＤに関する情報１００１−１、および、暗号鍵に関する情報１００１−２について説明する。
【０３０６】
まず、ＳＳＩＤに関する情報１００１−１について説明する。
【０３０７】
ＳＳＩＤに関する情報１００１−１は、例えば、図２４における基地局４７０−１（基地局＃１）のＳＳＩＤを示す情報、基地局４７０−２（基地局＃２）のＳＳＩＤを示す情報、および、基地局４７０−３（基地局＃３）のＳＳＩＤを示す情報を含む。なお、例として、基地局４７０−１、４７０−２、４７０−３は、変調信号を電波で送信し、電波の変調信号を受信する。つまり、第５の機器１０００は、端末１０５０に対して安全なアクセス先である基地局４７０−１、４７０−２、４７０−３へのアクセスを提供することができる。これにより、図２４の端末１０５０が、基地局４７０−１、４７０−２、４７０−３から、情報を安全に入手することができる。
【０３０８】
一方、第５の機器１０００は、基地局４７０−１、４７０−２、４７０−３に対してアクセスする端末を、第５の機器１０００が送信（照射）した光信号を受信可能な空間に位置する端末に制限することができる。
【０３０９】
なお、端末１０５０は、予め定められた方式で送信された光信号を受信した場合に、通知されたＳＳＩＤが安全な基地局のＳＳＩＤであると判別してもよい。また、端末１０５０は、通知されたＳＳＩＤが安全であるか否かを判別する処理を別途行ってもよい。例えば、第５の機器１０００が所定の識別子を光信号に含めて送信し、端末１０５０は、受信した識別子に基づいて、通知されたＳＳＩＤが安全な基地局のＳＳＩＤであるか否かを判断してもよい。
【０３１０】
なお、図２４では、基地局４７０−１、４７０−２、４７０−３を示しているが、例えば、基地局４７０−１、４７０−２、４７０−３以外の基地局（または、ＡＰ）が存在してもよい。
【０３１１】
次に、暗号鍵に関する情報１００１−２について説明する。
【０３１２】
暗号鍵に関する情報１００１−２は、端末１０５０が基地局４７０−１、４７０−２、４７０−３と通信を行うために必要となる暗号鍵に関する情報である。端末１０５０は、第５の機器１０００から、暗号鍵に関する情報１００１−２を得ることで、「端末１０５０と基地局４７０−１との間」、「端末１０５０と基地局４７０−２との間」、「端末１０５０と基地局４７０−３との間」で、暗号化された通信を行うことが可能となる。
【０３１３】
以上、ＳＳＩＤに関する情報１００１−１、および、暗号鍵に関する情報１００１−２について説明した。
【０３１４】
図２４の端末１０５０は、第５の機器１０００が送信した変調信号を受信する。なお、図２４の端末１０５０において、図６の端末１５０、図９の端末４５０と同様に動作する構成要素については、同一の番号を付している。
【０３１５】
端末１０５０が具備する受光部１５１は、例えば、ＣＭＯＳ、または、有機ＣＭＯＳなどのイメージセンサなどである。受光部１５１は、第５の機器１０００から送信された変調信号を含む光を受光し、受信信号１５２を出力する。
【０３１６】
そして、受信部１５３は、受光部１５１で受信した受信信号１５２を入力とし、受信信号１５２に含まれる変調信号に対して復調・誤り訂正復号などの処理を行い、受信データ１５４を出力する。
【０３１７】
データ解析部１５５は、受信データ１５４を入力とし、受信データ１５４から、例えば、接続先となる基地局４７０−１、４７０−２、４７０−３のＳＳＩＤの情報１０５１、および、接続先となる基地局４７０−１、４７０−２、４７０−３と通信を行うための暗号鍵の情報１０５２を出力する。例えば、無線ＬＡＮ（Local Area Network）では、暗号化の方式として、WEP（Wired Equivalent Privacy）、WPA（Wi-Fi Protected Access）、WPA2（Wi-Fi Protected Access 2）（PSK(Pre-Shared Key)モード、EAP(Extended Authentication Protocol)モード）がある。なお、暗号化方法はこれに限ったものではない。
【０３１８】
表示部１５７は、ＳＳＩＤの情報１０５１、暗号鍵の情報１０５２を入力とし、例えば、端末１０５０が具備する無線装置４５３がアクセスする通信相手のＳＳＩＤ、および、暗号鍵を表示する（この表示を本実施の形態における「第１の表示」と呼ぶ）。
【０３１９】
例えば、第１の表示後、無線装置４５３は、ＳＳＩＤの情報１０５１、および、暗号鍵の情報１０５２を入力とし、基地局４７０−１、４７０−２、４７０−３のいずれかとの接続を確立する（例えば、接続は電波を利用するものとする）。このとき、接続された基地局４７０も、端末１０５０が具備する無線装置４５３と通信を行う場合、変調信号を、例えば電波を用いて送信する。
【０３２０】
その後、無線装置４５３は、データ１０５３、および、制御信号１０５４を入力とし、制御信号１０５４に示される制御に従って、データ１０５３に対して変調を施し、変調信号を電波として送信する。
【０３２１】
そして、例えば、接続された基地局４７０は、ネットワークに対し、データの送信（４７１−１、４７１−２、４７１−３のいずれか）、およびネットワークからのデータの受信（４７２−１、４７２−２、４７２−３のいずれか）を行う。その後、例えば、接続された基地局４７０は、端末１０５０に対して、変調信号を電波により送信する。
【０３２２】
端末１０５０が具備する無線装置４５３は、電波により受信した変調信号に対し、復調、誤り訂正復号などの処理を行い、受信データ１０５６を取得する。表示部１５７は、受信データ１０５６に基づいて表示を行う。
【０３２３】
第５の機器１０００が送信する変調信号として、図２４の場合、３種類のフレーム構成が存在する。図２５は３種類のフレーム構成のうちの１つであるフレーム２３００−１（フレーム＃１）であり、図２６は３種類のフレーム構成のうちの１つであるフレーム２３００−２（フレーム構成＃２）であり、図２７は３種類のフレーム構成のうちの１つであるフレーム２３００−３（フレーム構成＃３）である。
【０３２４】
図２５は、第５の機器１０００が送信する変調信号のフレーム２３００−１（フレーム＃１）の構成の例を示している。図２５において、横軸は時間である。また、図２５において、図２、図１４と同様のシンボルについては、同一番号を付しており、説明を省略する。図２５のフレーム２３００−１（フレーム＃１）は、図２４の基地局４７０−１（基地局＃１）のＳＳＩＤの情報と基地局４７０−１（基地局＃１）の暗号鍵（基地局４７０−１へアクセスするための暗号鍵）の情報を送信するためのフレームである。
【０３２５】
ＳＳＩＤに関するシンボル２３０１−１は、図２４のＳＳＩＤに関する情報１００１−１を送信するためのシンボルである。また、ＳＳＩＤに関するシンボル２３０１−１は、図２４の第５の機器１０００が基地局４７０−１（基地局＃１）のＳＳＩＤを送信するためのシンボルである。
【０３２６】
暗号鍵に関するシンボル２３０２−１は、図２４の暗号鍵に関する情報１００１−２を送信するためのシンボルである。また、暗号鍵に関するシンボル２３０２−１は、図２４の第５の機器１０００が基地局４７０−１（基地局＃１）の暗号鍵（基地局４７０−１へアクセスするための暗号鍵）を送信するためのシンボルである。
【０３２７】
第５の機器１０００は、プリアンブル２０１、制御情報シンボル２０２、ＳＳＩＤに関するシンボル２３０１−１、暗号鍵に関するシンボル２３０２−１、データシンボル１１０２を送信する。なお、第５の機器１０００は、図２５で記載しているシンボル以外のシンボルを含むフレーム２３００−１（フレーム＃１）を送信してもよい。また、シンボルの送信する順番を含め、フレーム２３００−１（フレーム＃１）の構成は図２５の構成に限ったものではない。
【０３２８】
図２６は、第５の機器１０００が送信する変調信号のフレーム２３００−２（フレーム＃２）の構成の例を示している。図２６において、横軸は時間である。また、図２６において、図２、図１４と同様のシンボルについては、同一番号を付しており、説明は省略する。図２６のフレーム２３００−２（フレーム＃２）は、図２４の基地局４７０−２（基地局＃２）のＳＳＩＤの情報と基地局４７０−２（基地局＃２）の暗号鍵（基地局４７０−２へアクセスするための暗号鍵）の情報を送信するためのフレームである。
【０３２９】
ＳＳＩＤに関するシンボル２３０１−２は、図２４のＳＳＩＤに関する情報１００１−１を送信するためのシンボルである。また、ＳＳＩＤに関するシンボル２３０１−２は、図２４の第５の機器１０００が基地局４７０−２（基地局＃２）のＳＳＩＤを送信するためのシンボルである。
【０３３０】
暗号鍵に関するシンボル２３０２−２は、図２４の暗号鍵に関する情報１００１−２を送信するためのシンボルである。また、暗号鍵に関するシンボル２３０２−２は、図２４の第５の機器１０００が基地局４７０−２（基地局＃２）の暗号鍵（基地局４７０−２へアクセスするための暗号鍵）を送信するためのシンボルである。
【０３３１】
第５の機器１０００は、プリアンブル２０１、制御情報シンボル２０２、ＳＳＩＤに関するシンボル２３０１−２、暗号鍵に関するシンボル２３０２−２、データシンボル１１０２を送信する。なお、第５の機器１０００は、図２６で記載しているシンボル以外のシンボルを含むフレーム２３００−２（フレーム＃２）を送信してもよい。また、シンボルの送信する順番を含め、フレーム２３００−２（フレーム＃２）の構成は図２６の構成に限ったものではない。
【０３３２】
図２７は、第５の機器１０００が送信する変調信号のフレーム２３００−３（フレーム＃３）の構成の例を示している。図２７において、横軸は時間である。また、図２７において、図２、図１４と同様のシンボルについては、同一番号を付しており、説明は省略する。図２７のフレーム２３００−３（フレーム＃３）は、図２４の基地局４７０−３（基地局＃３）のＳＳＩＤの情報と基地局４７０−３（基地局＃３）の暗号鍵（基地局４７０−３へアクセスするための暗号鍵）の情報を送信するためのフレームである。
【０３３３】
ＳＳＩＤに関するシンボル２３０１−３は、図２４のＳＳＩＤに関する情報１００１−１を送信するためのシンボルである。また、ＳＳＩＤに関するシンボル２３０１−３は、図２４の第５の機器１０００が基地局４７０−３（基地局＃３）のＳＳＩＤを送信するためのシンボルである。
【０３３４】
暗号鍵に関するシンボル２３０２−３は、図２４の暗号鍵に関する情報１００１−２を送信するためのシンボルである。また、暗号鍵に関するシンボル２３０２−３は、第５の機器１０００が基地局４７０−３（基地局＃３）の暗号鍵（基地局４７０−３へアクセスするための暗号鍵）を送信するためのシンボルである。
【０３３５】
第５の機器１０００は、プリアンブル２０１、制御情報シンボル２０２、ＳＳＩＤに関するシンボル２３０１−３、暗号鍵に関するシンボル２３０２−３、データシンボル１１０２を送信する。なお、第５の機器１０００は、図２７で記載しているシンボル以外のシンボルを含むフレーム２３００−３（フレーム＃３）を送信してもよい。また、シンボルの送信する順番を含め、フレーム２３００−３（フレーム＃３）の構成は図２７の構成に限ったものではない。
【０３３６】
図２８は、第５の機器１０００が、「図２５のフレーム２３００−１（フレーム＃１）」、「図２６のフレーム２３００−２（フレーム＃２）」、「図２７のフレーム２３００−３（フレーム＃３）」を送信する際の送信方法の例を示す。図２８において、横軸は時間である。
【０３３７】
図２８において、「フレーム＃１群送信」２６０１−１、２６０１−２では、図２５のフレーム２３００−１（フレーム＃１）が１つ以上送信される。また、「フレーム＃２群送信」２６０２−１、２６０２−２では、図２６のフレーム２３００−２（フレーム＃２）が１つ以上送信される。また、「フレーム＃３群送信」２６０３−１、２６０３−２では、図２７のフレーム２３００−３（フレーム＃３）が１つ以上送信される。
【０３３８】
このときの詳しい説明を以下で行う。
【０３３９】
まず、「フレーム＃１群送信」２６０１−１、２６０１−２において図２５のフレーム２３００−１（フレーム＃１）が１つ以上送信される点について説明する。
【０３４０】
例えば、受光部１５１において、ＣＭＯＳ、または、有機ＣＭＯＳなどのイメージセンサを用いた場合、動画または静止画におけるフレーム単位で、受信信号を処理する可能性がある。なお、例えば、動画において、「４Ｋ  ３０ｐ」と記載されていた場合、１フレームの画素数が３８４０×２１６０であり、１秒間のフレーム数が３０であることを意味している。
【０３４１】
したがって、第５の機器１０００が、１フレーム内に「図２５のフレーム２３００−１（フレーム＃１）」、「図２６のフレーム２３００−２（フレーム＃２）」、「図２７のフレーム２３００−３（フレーム＃３）」が存在するような構成の変調信号を送信すると、図２４の端末１０５０は、複数の基地局４７０−１、４７０−２、４７０−３から、アクセスする基地局４７０の選択が難しくなる。
【０３４２】
そこで、本実施の形態では、図２８に示すようなフレーム構成を提案する。
【０３４３】
＜第１−１の方法＞
第１−１の方法として、「フレーム＃１群送信」２６０１−１、２６０１−２の各々に、図２５のフレーム２３００−１（フレーム＃１）を複数含めることで、「フレーム＃１群送信」２６０１−１、２６０１−２の各々が占める時間区間が、動画または静止画におけるフレームよりも長い時間になるようにする。
【０３４４】
こうすることで、端末１０５０が、第５の機器１０００より、動画または静止画における１フレーム内に「図２５のフレーム２３００−１（フレーム＃１）」、「図２６のフレーム２３００−２（フレーム＃２）」、「図２７のフレーム２３００−３（フレーム＃３）」、つまり、異なるＳＳＩＤ、暗号鍵を含む変調信号を受信することを防ぐことができる。よって、図２４の端末１０５０は、複数の基地局４７０−１、４７０−２、４７０−３から、アクセスする基地局４７０を容易に選択することができる。
【０３４５】
＜第２−１の方法＞
第２−１の方法として、図２５のフレーム２３００−１（フレーム＃１）が占める時間区間を、動画または静止画におけるフレームよりも長い時間になるようにする。
【０３４６】
例えば、図２５におけるＳＳＩＤに関するシンボル２３０１−１には、「基地局＃１のＳＳＩＤの情報」が複数含まれており（つまり、「基地局＃１のＳＳＩＤの情報」が繰り返し含まれている）、暗号鍵に関するシンボル２３０２−１には、「基地局＃１の暗号鍵の情報（基地局＃１と接続するための暗号鍵の情報）」が複数含まれている（つまり、「基地局＃１の暗号鍵の情報（基地局＃１と接続するための暗号鍵の情報）」が繰り返し含まれている）構成でもよい。
【０３４７】
こうすることで、端末１０５０が、第５の機器１０００より、動画または静止画における１フレーム内に「図２５の２３００−１のフレーム＃１」、「図２６の２３００−２のフレーム＃２」、「図２７の２３００−３のフレーム＃３」、つまり、異なるＳＳＩＤ、暗号鍵を含む変調信号を受信することを防ぐことができる。よって、端末１０５０は、複数の基地局４７０−１、４７０−２、４７０−３から、アクセスする基地局４７０を容易に選択することができる。
【０３４８】
同様に考えると、「フレーム＃２群送信」２６０２−１、２６０２−２は、以下のような構成であるとよい。
【０３４９】
＜第１−２の方法＞
第１−２の方法として、「フレーム＃２群送信」２６０２−１、２６０２−２の各々に、図２６のフレーム２３００−２（フレーム＃２）を複数含めることで、「フレーム＃２群送信」が占める時間区間が、動画または静止画におけるフレームよりも長い時間になるようにする。
【０３５０】
＜第２−２の方法＞
第２−２の方法として、図２６のフレーム２３００−２（フレーム＃２）が占める時間区間が、動画または静止画におけるフレームよりも長い時間になるようにする。
【０３５１】
例えば、図２６におけるＳＳＩＤに関するシンボル２３０１−２には、「基地局＃２のＳＳＩＤの情報」が複数含まれており（つまり、「基地局＃２のＳＳＩＤの情報」が繰り返し含まれている）、暗号鍵に関するシンボル２３０２−２には、「基地局＃２の暗号鍵の情報（基地局＃２と接続するための暗号鍵の情報）」が複数含まれている（つまり、「基地局＃２の暗号鍵の情報（基地局＃２と接続するための暗号鍵の情報）」が繰り返し含まれている）構成でもよい。
【０３５２】
同様に考えると、「フレーム＃３群送信」２６０３−１、２６０３−２は、以下のような構成であるとよい。
【０３５３】
＜第１−３の方法＞
第１−３の方法として、「フレーム＃３群送信」２６０３−１、２６０３−２の各々に、図２７のフレーム２３００−３（フレーム＃３）を複数含めることで、「フレーム＃３群送信」が占める時間区間が、動画または静止画におけるフレームよりも長い時間になるようにする。
【０３５４】
＜第２−３の方法＞
第２−３の方法として、図２７のフレーム２３００−３（フレーム＃３）が占める時間区間が、動画または静止画におけるフレームよりも長い時間になるようにする。
【０３５５】
例えば、図２７におけるＳＳＩＤに関するシンボル２３０１−３には、「基地局＃３のＳＳＩＤの情報」が複数含まれており（つまり、「基地局＃３のＳＳＩＤの情報」が繰り返し含まれている）、暗号鍵に関するシンボル２３０２−３には、「基地局＃３の暗号鍵の情報（基地局＃３と接続するための暗号鍵の情報）」が複数含まれている（つまり、「基地局＃３の暗号鍵の情報（基地局＃３と接続するための暗号鍵の情報）」が繰り返し含まれている）構成でもよい。
【０３５６】
次に、図２５から図２８のように第５の機器１０００がフレームを送信した場合の効果について説明する。
【０３５７】
一例として、図２９における２７００のエリアについて考える。図２９では、「○」２７０１−１、２７０１−２、２７０１−３、２７０１−４、２７０１−５、２７０１−６、２７０１−７、２７０１−８、２７０１−８、２７０１−９、２７０１−１０の位置に、第５の機器１０００が配置される。また、「◎」２７０２−１の位置に基地局４７０−１（基地局＃１）が配置され、「◎」２７０２−２の位置に基地局４７０−２（基地局＃２）が配置され、「◎」２７０２−３の位置に基地局４７０−３（基地局＃３）が配置される。
【０３５８】
そして、例えば、エリア２７０３の内側に、端末１０５０の構成と同様の構成を具備する端末（以下、単に端末１０５０と表す）が９９台存在するものとする。
【０３５９】
このとき、例えば、「○」２７０１−５、２７０１−１０の位置に配置された第５の機器１０００がともに、基地局４７０−３（基地局＃３）のＳＳＩＤの情報を送信し、基地局４７０−３（基地局＃３）にアクセスするための暗号鍵の情報を送信する。これは、「○」２７０１−５、２７０１−１０の位置から最も近い基地局が基地局４７０−３（基地局＃３）であるからである。
【０３６０】
この場合、９９台の全ての端末１０５０は、基地局４７０−３（基地局＃３）にアクセスすることになる。すると、アクセス集中により、基地局４７０−３（基地局＃３）にアクセス困難な端末１０５０が存在する可能性が高くなってしまう。
【０３６１】
この点を考慮すると、９９台の端末１０５０が、基地局４７０−１（基地局＃１）（「○」２７０２−１の位置）、基地局４７０−２（基地局＃２）（［○］２７０２−２の位置）、基地局４７０−３（基地局＃３）（［○］２７０２−３の位置）にできる限り均等にアクセスするような制御を行うことで、上述したような、基地局４７０にアクセス困難な端末１０５０の存在を低減することができる。
【０３６２】
例えば、９９台の端末１０５０が第５の機器１０００にアクセスするタイミングは一般的には異なることになるので、本実施の形態のように、第５の機器１０００が、図２５から図２８のようにフレームを送信した場合、９９台の端末１０５０は、各々が第５の機器１０００にアクセスするタイミングに応じて、基地局４７０−１、４７０−２、４７０−３の何れか１つのＳＳＩＤおよび暗号鍵を取得することになる。これにより、「９９台の端末１０５０が、基地局４７０−１、４７０−２、４７０−３にできる限り均等にアクセスするような制御を行う」ことになる。したがって、上述したような、基地局４７０にアクセス困難な端末１０５０の存在を低減することができる。
【０３６３】
なお、図２８では、第５の機器１０００が、「図２５のフレーム２３００−１（フレーム＃１）」、「図２６のフレーム２３００−２（フレーム＃２）」、「図２７のフレーム２３００−３（フレーム＃３）」を送信する際の送信方法の例を示している。しかし、第５の機器１００が「図２５のフレーム２３００−１（フレーム＃１）」、「図２６のフレーム２３００−２（フレーム＃２）」、「図２７のフレーム２３００−３（フレーム＃３）」を送信する際の送信方法はこれに限ったものではない。
【０３６４】
例えば、図２８では、第５の機器１０００が「フレーム＃１群送信」、「フレーム＃２群送信」、「フレーム＃３群送信」の順に繰り返し送信する構成を示しているが、「フレーム＃１群送信」、「フレーム＃２群送信」、「フレーム＃３群送信」は、図２８のような順番で送信する必要はない。または、例えば、第５の機器１０００が「フレーム群１送信」、「フレーム群＃２送信」、「フレーム群＃３送信」を時間的にランダムに送信してもよいし、「フレーム群１送信」、「フレーム群＃２送信」、「フレーム群＃３送信」の送信の順番を、図２８とは異なる規則的な順番で送信してもよい。少なくとも、第５の機器１０００が「フレーム＃１群送信」、「フレーム＃２群送信」、「フレーム＃３群送信」を送信していればよい。
【０３６５】
また、図２８では、第５の機器１０００が「フレーム＃１群送信」、「フレーム＃２群送信」、「フレーム＃３群送信」を連続的に送信しているが、必ずしも連続的に送信しなくてもよい。例えば、図２８において、フレーム＃１群２６０１−１とフレーム＃２群送信２６０２−２に時間的な間隔があってもよい。
【０３６６】
また、図２８では、「フレーム＃１群送信」、「フレーム＃２群送信」、「フレーム＃３群送信」のみで構成しているが、他のシンボル、他のフレームが存在していてもよい。さらに、図２８および図２４において、基地局４７０の数を３台としているが、基地局４７０の数はこれに限ったものではなく、基地局４７０を２台以上とした場合でも、基地局４７０が３台の場合と同様に動作することが可能である。したがって、例えば、基地局４７０がＮ台（Ｎは２以上の整数）ある場合、第５の機器１０００が図２８のような送信を行う場合、「フレーム＃ｋ群送信」が存在することになる。なお、ｋは１以上Ｎ以下の整数となる。そして、「フレーム＃ｋ群送信」には、ＳＳＩＤに関するシンボル（基地局＃ｋのＳＳＩＤの情報）が含まれており、暗号鍵に関するシンボル（基地局＃ｋのアクセスのための暗号鍵の情報）が含まれていることになる。
【０３６７】
図２４の端末１０５０が具備する無線装置４５３が送信する変調信号のフレーム構成は、実施の形態４で説明した図１５のフレーム構成と同様である。すなわち、図１５に示すように、図２４の端末１０５０が具備する無線装置４５３は、例えば、プリアンブル１２０１を送信し、その後、制御情報シンボル１２０２、情報シンボル１２０３を送信する。
【０３６８】
プリアンブル１２０１は、端末１０５０の無線装置４５３が送信する変調信号を受信する基地局４７０−１、４７０−２、４７０−３が、例えば、信号検出、時間同期、フレーム同期、周波数同期、周波数オフセット推定などを行うために用いるシンボルである。
【０３６９】
制御情報シンボル１２０２は、例えば、変調信号を生成するのに使用された、誤り訂正符号化方式の方法、変調方式に関する情報、フレーム構成に関する情報、送信方法に関する情報などのデータを含むシンボルである。基地局４７０−１、４７０−２、４７０−３は、制御情報シンボル１２０２に含まれる情報に基づいて、変調信号の復調などを実施する。
【０３７０】
情報シンボル１２０３は、端末１０５０の無線装置４５３がデータを伝送するためのシンボルである。
【０３７１】
なお、図２４の端末１０５０の無線装置４５３は、図１５に記載しているシンボル以外のシンボルを含むフレームを送信してもよい（例えば、情報シンボル１２０３の途中でパイロットシンボル（リファレンスシンボル）が含まれるフレームなど）。また、シンボルを送信する順番を含め、フレーム構成は、図１５の構成に限ったものではない。そして、図１５において、周波数軸方向に複数のシンボルが存在していてもよい、つまり、複数の周波数（複数のキャリア）にシンボルが存在していてもよい。
【０３７２】
図２４の基地局４７０−１、４７０−２、４７０−３が送信する変調信号のフレーム構成は、実施の形態３で説明した図１１のフレーム構成と同様である。すなわち、図１１に示すように、基地局４７０−１、４７０−２、４７０−３は、例えば、プリアンブル７０１を送信し、その後、制御情報シンボル７０２、情報シンボル７０３を送信する。
【０３７３】
プリアンブル７０１は、基地局４７０−１、４７０−２、４７０−３が送信する変調信号を受信する端末１０５０の無線装置４５３が、例えば、信号検出、時間同期、フレーム同期、周波数同期、周波数オフセット推定などを行うためのシンボルである。
【０３７４】
制御情報シンボル７０２は、例えば、変調信号を生成するのに使用された、誤り訂正符号化方式の方法、変調方式に関する情報、フレーム構成に関する情報、送信方法に関する情報などのデータを含むシンボルである。端末１０５０の無線装置４５３は、制御情報シンボル７０２の情報に基づいて、変調信号の復調などを実施する。
【０３７５】
情報シンボル７０３は、基地局４７０−１、４７０−２、４７０−３がデータを伝送するためのシンボルである。
【０３７６】
なお、基地局４７０−１、４７０−２、４７０−３は、図１１に記載しているシンボル以外のシンボルを含むフレームを送信してもよい。例えば、基地局４７０−１、４７０−２、４７０−３は、情報シンボル７０３の途中でパイロットシンボル（リファレンスシンボル）が含まれるフレームなどを送信してもよい。また、シンボルを送信する順番を含め、フレーム構成は、図１１の構成に限ったものではない。そして、図１１において、周波数軸方向に複数のシンボルが存在していてもよい。つまり、図１１において、複数の周波数（複数のキャリア）にシンボルが存在していてもよい。
【０３７７】
図３０は、「第５の機器１０００」、「端末１０５０」、「基地局＃Ｘ」が実施する処理の一例を示すフローチャートである。なお、Ｘは１または２または３となる。
【０３７８】
まず、第５の機器１０００は、図２８のフレーム構成の変調信号を送信する（ＳＴ２８０１）。
【０３７９】
そして、端末１０５０は、第５の機器１０００が送信した変調信号を受信し、端末１０５０がアクセスする基地局を図２４の基地局４７０−１（基地局＃１）、基地局４７０−２（基地局＃２）、基地局４７０−３（基地局＃３）から選択する（ＳＴ２８０２）。
【０３８０】
以下、この点について説明する。端末１０５０は、基地局４７０の何れかとアクセスするために、第５の機器１０００が送信した変調信号を受信する。このとき、端末１０５０は、例えば、動画または静止画のある１フレームにおいて、図２８における「フレーム＃１群送信」、「フレーム＃２群送信」、「フレーム＃３群送信」のいずれかを得ることになる。そして、端末１０５０は、得られた基地局の情報（例えばＳＳＩＤ）から、端末１０５０がアクセスする基地局４７０を基地局４７０−１（基地局＃１）、基地局４７０−２（基地局＃２）、基地局４７０−３（基地局＃３）のいずれかに決定する。
【０３８１】
次に、端末１０５０は、第５の機器１０００が送信した変調信号を受信し、端末１０５０がアクセスする基地局＃ＸのＳＳＩＤを取得する（ＳＴ２８０３）。
【０３８２】
併せて、端末１０５０は、端末１０５０がアクセスする基地局＃Ｘとの通信に用いる暗号鍵を取得する（ＳＴ２８０４）。
【０３８３】
そして、端末１０５０は、基地局＃Ｘとの電波による接続を実施する（ＳＴ２８０５）。端末１０５０が基地局＃Ｘの応答を受信することにより、端末１０５０と基地局＃Ｘとの接続が完了する（ＳＴ２８０６）。
【０３８４】
そして、端末１０５０は、基地局＃Ｘに対し、接続先の情報を、電波を用いて送信する（ＳＴ２８０７）。
【０３８５】
基地局＃Ｘは、ネットワークから、端末１０５０に送信するための情報を入手する（ＳＴ２８０８）。
【０３８６】
そして、基地局＃Ｘは、入手した情報を端末１０５０に、電波を用いて送信し、端末１０５０は情報を得る（ＳＴ２８０９）。端末１０５０は、例えば、必要なとき、基地局＃Ｘを介して、ネットワークから必要な情報を取得する。
【０３８７】
以上のように、第５の機器１０００から送信されたＳＳＩＤの情報、暗号鍵の情報に基づいて、端末１０５０は、基地局４７０と接続し、情報を取得することで、安全性の保証された基地局４７０を介して情報を安全に入手することができる。なぜなら、可視光の変調信号から情報を得た場合、可視光であるが故に情報元が安全かどうかの判断をユーザが行いやすいからである。これに対して、例えば、ＳＳＩＤを無線ＬＡＮが送信した電波の変調信号から取得した場合、ユーザは電波を送信した機器の判別が難しい。このため、情報の安全性の確保という点では、可視光通信は、無線ＬＡＮ通信と比較して、ＳＳＩＤを取得することに適している。
【０３８８】
なお、本実施の形態では、第５の機器１０００が、暗号鍵の情報を送信する場合について説明した。しかし、例えば、基地局４７０が暗号鍵を用いた暗号化された通信を行っていない場合、第５の機器１０００は、暗号鍵の情報を送信せず、ＳＳＩＤに関する情報のみを送信してもよい。この場合、上述した構成のうち、暗号鍵に関する構成を削除するだけで、同様に実施することができる。
【０３８９】
また、第５の機器の構成は図２４に示す第５の機器１０００の構成に限ったものではなく、端末の構成は、図２４に示す端末１０５０の構成に限ったものではなく、基地局＃１、＃２、＃３の接続先、構成についても図２４に示す基地局４７０−１、４７０−２、４７０−３の接続先、構成に限ったものではない。
【０３９０】
また、本実施の形態によれば、あるエリアに端末１０５０が複数存在していた場合でも、基地局４７０にアクセス困難な端末１０５０の存在を低減することができる。
【０３９１】
なお、図２９において、「○」２７０１−１、２７０１−２、２７０１−３、２７０１−４、２７０１−５、２７０１−６、２７０１−７、２７０１−８、２７０１−８、２７０１−９、２７０１−１０の位置に配置した第５の機器１０００が送信する変調信号のフレーム構成は、全てが図２８の構成と同様であってもよく、第５の機器１０００が送信する変調信号がそれぞれ異なるフレーム構成であってもよく、同一のフレーム構成の変調信号を送信する第５の機器１０００が複数存在していてもよい。
【０３９２】
なお、可視光通信を行う通信システムの一例として、図５の構成について説明したが、可視光通信を行う通信システムの構成は、図５に示す構成に限らない。例えば、図３１に示すような構成でもよい（例えば、"IEEE 802.11-16/1499r1"を参照）。図３１では、送信信号は、アップコンバートされずにベースバンド帯において光信号として送信される。すなわち、本実施の形態の光信号を送信する機器（つまり、光源を具備する機器）が図３１に示す送信側の構成を具備し、本実施の形態の光信号を受光する端末が図３１に示す受信側の構成を具備してもよい。
【０３９３】
図３１の具体的な説明を行う。シンボルマッピング部は、送信データを入力し、変調方式に基づいたマッピングを行う、シンボル系列（ci）を出力する。
【０３９４】
等化前処理部は、シンボル系列を入力とし、受信側での等化処理を軽減するために、シンボル系列に対し、等化前処理を行い、等化前処理後のシンボル系列を出力する。
【０３９５】
エルミート対称性処理部は、等化前処理後のシンボル系列を入力とし、エルミート対称性が確保できるように、等化前処理後のシンボル系列に対しサブキャリア割り当てを行い、パラレル信号を出力する。
【０３９６】
逆（高速）フーリエ変換部は、パラレル信号を入力とし、パラレル信号に対し、逆（高速）フーリエ変換を施し、逆（高速）フーリエ変換後の信号を出力する。
【０３９７】
パラレルシリアル、および、サイクリックプレフィックス付加部は、逆（高速）フーリエ変換後の信号を入力とし、パラレルシリアル変換、および、サイクリックプレフィックスを付加し、信号処理後の信号として出力する。
【０３９８】
デジタルアナログ変換部は、信号処理後の信号を入力とし、デジタルアナログ変換を行い、アナログ信号を出力し、アナログ信号は、１つ以上の例えばＬＥＤから、光として出力される。
【０３９９】
なお、等化前処理部、エルミート対称性処理部は、なくてもよい。つまり、等化前処理部、エルミート対称性処理部での信号処理は、行わない場合もあり得る。
【０４００】
フォトダイオードは、光を入力とし、ＴＩＡ（Transimpedance Amplifier）により、受信信号を得る。
【０４０１】
アナログデジタル変換部は、受信信号に対し、アナログデジタル変換を行い、デジタル信号を出力する。
【０４０２】
サイクリックプレフィックス除去、および、シリアルパラレル変換部は、デジタル信号を入力とし、サイクリックプレフィックス除去を行い、その後、シリアルパラレル変換を行い、パラレル信号を入力とする。
【０４０３】
（高速）フーリエ変換部は、パラレル信号を入力とし、（高速）フーリエ変換を行い、（高速）フーリエ変換後の信号を出力する。
【０４０４】
検波部は、フーリエ変換後の信号を入力とし、検波を行い、受信シンボル系列を出力する。
【０４０５】
シンボルデマッパーは、受信シンボル系列を入力とし、デマッピングを行い、受信データ系列を得る。
【０４０６】
（実施の形態８）
図３２は、本実施の形態における通信システムの構成の一例を示す図である。図３２の通信システムは、通信装置３９００、端末＃１（３９２０＿１）、端末＃２（３９２０＿２）、端末＃３（３９２０＿３）、基地局＃１、基地局＃２、ＡＰ＃１、ネットワーク、サーバ等を含む。ここで、通信装置３９００は、例えば、輸送機（列車、バス、航空機等）に搭載されうる。本実施の形態では、一例として、列車に搭載された通信装置３９００について説明する。なお、基地局＃１、ネットワーク及びサーバをまとめて外部システム３９４０＿１、ＡＰ＃１、ネットワーク及びサーバをまとめて外部システム３９４０＿２、基地局＃２、ネットワーク及びサーバをまとめて外部システム３９４０＿３と呼んでもよい。
【０４０７】
例えば、列車で新横浜から東京方面に向かっている場合を考える。図３２の通信装置３９００は、列車の中に設置されている通信装置である。図３２の通信装置３９００は、データ選択部３９０１と、送信部３９０２と、照明部３９０３とを具備している。
【０４０８】
送信部３９０２は、データ選択部３９０１から入力されるデータに対し、送信のための処理を施して変調信号を生成し、照明部３９０３は、変調信号を光として送信する。以降では、照明部３９０３から送信する光を光変調信号と呼ぶ。なお、送信部３９０２、照明部３９０３の動作については、実施の形態１から実施の形態８で説明したので、詳細な説明を省略する。送信部３９０２及び照明部３９０３は、例えば、図６、図９、図１３、図２２、図２４中における送信部１０２及び光源１０４に相当する。
【０４０９】
次に、データ選択部３９０１の動作について説明する。データ選択部３９０１には、位置情報、例えば、走行位置、進行方向などが入力される。位置情報は、ＧＰＳ（Global Positioning Systems）の衛星からの変調信号を受信して得られる、通信装置３９００を搭載した列車の走行位置を示す走行位置情報であってもよいし、「通過した駅の情報」または「通過した駅からの距離または通過時点からの経過時間」に基づいた位置情報であってもよい。上記の走行位置情報は、列車の運行を管理する所定のシステムから送信されたものであってよいし、他の方法によって測位あるいは入手されたものであってもよい。
【０４１０】
位置情報は、さらに、列車の進行方向に関する進行方向情報を含んでいてもよい。列車の進行方向情報は、通信装置３９００を搭載した列車のダイヤグラムに基づいて予め設定されたものであってよいし、列車の運行を管理する所定のシステムから送信されたものであってもよい。進行方向情報は、他の方法によって算出あるいは入手されたものであってもよい。なお、位置情報の構成については、これらの例に限ったものではない。
【０４１１】
そして、データ選択部３９０１は、上記の位置情報に基づいて、照明部３９０３から送信するデータの選択を行い、選択データを送信部３９０２に出力する。なお、選択するデータについては、図３３、図３４を用いて後で説明する。
【０４１２】
そして、選択データは、送信部３９０２において信号処理が行われ、照明部３９０３から光変調信号として送信される。なお、送信部３９０２では、例えば、誤り訂正符号化、マッピングなどの信号処理を行い、光変調信号を生成し、照明部３９０３に出力する。
【０４１３】
照明部３９０３は、光の出力を制御して、送信部３９０２から入力された光変調信号を送信する。照明部３９０３は、例えば、列車の各車両に設置されている照明装置、または、列車の各座席に設置されている照明装置等である。
【０４１４】
なお、送信部３９０２の動作は、上述の実施の形態における送信部１０２、１０３または１４０４と同様であってよい。また、照明部３９０３の動作は、上述の実施の形態における光源１０４または１４０６と同様であってよい。なお、本実施の形態では、照明部３９０３が光を用いて信号を送信しているが、信号の送信手段を光に限定する必要は無く、電波を用いて信号を送信してもよい。すなわち、照明部３９０３は、無線伝送を実現するための一例である。
【０４１５】
次に、図３２における端末の動作例について詳細に説明する。
【０４１６】
端末３９２０＿１（端末＃１）は、照明部３９０３から送信された光変調信号を受信し、通信装置３９００が光変調信号を用いて送信したデータを得る。なお、端末３９２０＿１（端末＃１）が具備する光関連の受信装置の構成については、実施の形態１から実施の形態８で説明したので説明を省略する。例えば、図６の端末１５０、図９の端末４５０、図１３、図２２、図２４の端末１０５０に相当する。
【０４１７】
端末３９２０＿１（端末＃１）は、受信した光変調信号から得たデータに基づき、例えば、他の通信システムと接続することにより、データを得てもよい。例えば、端末３９２０＿１（端末＃１）は、基地局＃１およびネットワークを通して、サーバにアクセスし、サーバからデータを得てもよい。
【０４１８】
同様に、端末３９２０＿２（端末＃２）は、照明部３９０３から送信された光変調信号を受信し、通信装置３９００が光変調信号を用いて送信したデータを得る。なお、端末３９２０＿２（端末＃２）が具備する光関連の受信装置の構成については、実施の形態１から実施の形態８で説明したので説明を省略する。例えば、図６の端末１５０、図９の端末４５０、図１３、図２２、図２４の端末１０５０に相当する。
【０４１９】
端末３９２０＿２（端末＃２）は、受信した光変調信号から得たデータに基づき、例えば、他の通信システムと接続することにより、データを得てもよい。例えば、端末３９２０＿２（端末＃２）は、基地局＃２およびネットワークを通して、サーバにアクセスし、サーバからデータを得てもよい。
【０４２０】
また、端末３９２０＿３（端末＃３）は、照明部３９０３から送信された光変調信号を受信し、通信装置９００が光変調信号を用いて送信したデータを得る。なお、端末３９２０＿３（端末＃３）が具備する光関連の受信装置の構成については、実施の形態１から実施の形態８で説明したので説明を省略する。例えば、図６の端末１５０、図９の端末４５０、図１３、図２２、図２４の端末１０５０に相当する。
【０４２１】
端末３９２０＿３（端末＃３）は、受信した光変調信号から得たデータに基づき、例えば、他の通信システムと接続することにより、データを得てもよい。例えば、端末３９２０＿３（端末＃３）は、基地局＃３およびネットワークを通して、サーバにアクセスし、サーバからデータを得てもよい。
【０４２２】
次に、図３３、図３４を用いて、図３２の通信装置３９００が具備するデータ選択部３９０１が選択するデータ及びその選択方法の例を説明する。図３３、図３４は、図３２の通信装置３９００が具備するデータ選択部が選択及び出力するデータの例を示している。
【０４２３】
なお、図３３、図３４において、横軸は列車が走っている「場所」を示している。ここで、場所とは、例えば、列車の経路における場所を示すものであってもよい。ただし、横軸は、「場所」及び「時刻（または経過時間）」を示していてもよい。この場合、「場所」及び「時刻（または経過時間）」から、列車の「より具体的な場所（走行位置）」が特定可能となる。ここで、経過時間とは、例えば、直前の基準地点（駅等）を通過した時点からの経過時間である。
【０４２４】
図３３、図３４は、データ選択部３９０１が、複数のデータの中から、列車の現在の走行位置よりも進行方向側の位置に関連するデータを選択する方法の一例である。以下では、現在位置よりも進行方向側の位置に関連するデータを、「進行先データ」ということもある。データ選択部３９０１が選択対象とする複数のデータは、通信装置３９００のローカルに蓄積されていてもよいし、通信装置３９００が通信機能を用いてアクセス可能な外部のサーバに蓄積されていてもよい。また、本実施の形態では、位置に関連するデータが位置に関連する広告群である場合を例として説明するが、位置に関連するデータは、広告群に限らず、例えば、位置に関連する地図又は天気等、どのようなデータであってもよい。
【０４２５】
次に、図３３を用いて、新横浜駅から品川駅へ向かって進行する上り列車の車内において広告群を配信する例を説明する。
【０４２６】
図３３に示しているように、列車が新横浜駅から地点＃１までの区間Ａを走行中の場合、図３２の通信装置３９００が具備するデータ選択部３９０１は、例えば、データ選択部が蓄積しているデータのうち、広告群＃Ａのデータを選択し、広告群＃Ａのデータを選択データとして出力する。したがって、列車が新横浜駅から地点＃１までの区間Ａを走行中の場合、列車内の照明部３９０３は、広告群＃Ａのデータを、光変調信号を用いて送信する。
【０４２７】
列車が地点＃１から地点＃２までの区間Ｂを走行中の場合、図３２の通信装置３９００が具備するデータ選択部３９０１は、例えば、データ選択部が蓄積しているデータのうち、広告群＃Ｂのデータを選択し、広告群＃Ｂのデータを選択データとして出力する。したがって、列車が地点＃１から地点＃２までの区間Ｂを走行中の場合、列車内の照明部３９０３は、広告群＃Ｂのデータを、光変調信号を用いて送信する。
【０４２８】
列車が地点＃２から品川駅までの区間Ｃを走行中の場合、図３２の通信装置３９００が具備するデータ選択部３９０１は、例えば、データ選択部が蓄積しているデータのうち、広告群＃Ｃのデータを選択し、広告群＃Ｃのデータを選択データとして出力する。したがって、列車が地点＃２から品川駅までの区間Ｃを走行中の場合、列車内の照明部３９０３は、広告群＃Ｃのデータを、光変調信号を用いて送信する。
【０４２９】
次に、図３４を用いて、品川駅から東京駅へ向かって進行する上り列車の車内において、広告群を配信する例を説明する。
【０４３０】
図３４に示しているように、列車が品川駅から地点＃３までの区間Ｄを走行中の場合、図３２の通信装置３９００が具備しているデータ選択部３９０１は、例えば、データ選択部が蓄積しているデータのうち、広告群＃Ｄのデータを選択し、広告群＃Ｄのデータを選択データとして出力する。したがって、列車が品川駅から地点＃３までの区間Ｄを走行中の場合、列車内の照明部３９０３は、広告群＃Ｄのデータを、光変調信号を用いて送信する。
【０４３１】
列車が地点＃３から地点＃４までの区間Ｅを走行中の場合、図３２の通信装置３９００が具備するデータ選択部３９０１は、例えば、データ選択部が蓄積しているデータのうち、広告群＃Ｅのデータを選択し、広告群＃Ｅのデータを選択データとして出力する。したがって、列車が地点＃３から地点＃４までの区間Ｅを走行中の場合、列車内の照明部３９０３は、広告群＃Ｅのデータを、光変調信号を用いて送信する。
【０４３２】
列車が地点＃４から東京駅までの区間Ｆを走行中の場合、図３２の通信装置３９００が具備するデータ選択部３９０１は、例えば、データ選択部が蓄積しているデータのうち、広告群＃Ｆのデータを選択し、広告群＃Ｆのデータを選択データとして出力する。したがって、列車が地点＃４から東京駅までの区間Ｆを走行中の場合、列車内の照明部３９０３は、広告群＃Ｆのデータを、光変調信号を用いて送信する。
【０４３３】
なお、データ選択部３９０１が広告群のデータを得る方法は、蓄積データから広告群＃Ａのデータ、広告群＃Ｂのデータ、広告群＃Ｃのデータ、広告群＃Ｄのデータ、広告群＃Ｅのデータ、広告群＃Ｆのデータを得る方法に限られない。例えば、図３２の通信装置３９００のデータ選択部３９０１は、通信機能を有し、外部のサーバなどから広告群＃Ａのデータ、広告群＃Ｂのデータ、広告群＃Ｃのデータ、広告群＃Ｄのデータ、広告群＃Ｅのデータ、広告群＃Ｆのデータを得てもよい。
【０４３４】
ここで、例えば、図３３の広告群＃Ａ、広告群＃Ｂ、広告群＃Ｃは、「新横浜駅周辺の広告」、および、「列車が新横浜駅より前に停車、または、通過した駅周辺の広告」を含まず、さらに、「品川駅周辺の広告」、または、「列車が品川駅以降に停車、または、通過する駅周辺の広告」を含む。つまり、広告群＃Ａ、広告群＃Ｂ、広告群＃Ｃは、列車が向かっている方向の情報を含むものとする。すなわち、データ選択部３９０１は、列車の現在の走行位置よりも進行方向側の位置に関する広告群（つまり進行先の広告群）を選択する。ただし、広告群＃Ａ、広告群＃Ｂ、広告群＃Ｃが、この規則に従わない広告、または、駅周辺の広告とは関係が浅い広告を含んでいてもよい。
【０４３５】
同様に、図３４の広告群＃Ｄ、広告群＃Ｅ、広告群＃Ｆは、「品川駅周辺の広告」、および、「列車が品川駅より前に停車、または、通過した駅周辺の広告」を含まず、さらに、「東京駅周辺の広告」、または、「列車が東京駅以降に停車、または、通過する駅周辺の広告」を含む。つまり、広告群＃Ｄ、広告群＃Ｅ、広告群＃Ｆは、列車が向かっている方向の情報を含むものとする。すなわち、データ選択部３９０１は、列車の現在の走行位置よりも進行方向側の位置に関する広告群（つまり進行先の広告群）を選択する。ただし、広告群＃Ｄ、広告群＃Ｅ、広告群＃Ｆが、この規則に従わない広告、または、駅周辺の広告とは関係が浅い広告を含んでいてもよい。
【０４３６】
以上のように、図３２の通信装置３９００が送信する広告などのデータが、列車の位置に応じて、列車の走行位置および進行方向により適した広告などのデータに切り替わることにより、列車中で端末を使用するユーザが、所望するデータを図３２の通信装置３９００から得ることができる可能性を高めることができる。つまり、列車の現在の走行位置および進行方向に基づいて、端末に送信する広告群を選択することにより、列車の乗客（ユーザ）の端末に対して、その時々においてユーザ価値の高い広告群を配信することができる。
【０４３７】
なお、広告群のデータは、広告そのものの情報であってもよいし、広告の情報を得るためのアクセス先の情報（例えば、ＵＲＬ（Uniform Resource Locator））であってもよい。広告そのものの情報とは、例えば、広告自体を構成するデータ（例えば、文字、画像、音声データ、オーディオデータ）である。また、広告群のデータは、１つ以上の広告の情報を有していてもよい。また、上記の説明では、データ選択部３９０１が選択するデータとして、広告群を例に説明しているが、このデータは、広告群に限られない。例えば、進行方向側の場所（例えば、進行方向側にある駅の周辺）の地図情報でもあってもよいし、位置固有の情報（当該場所に特有の情報）であってもよい。ただし、情報はこれに限ったものではない。
【０４３８】
また、異なる２つの広告群（例えば、広告群＃Ａと広告群＃Ｂ）に、同一の広告が含まれてもよいし、異なる広告が含まれてもよい。図３３において、例えば、広告群＃Ａと広告群＃Ｂに、同一の広告の情報が存在していてもよい。つまり、異なる２つの広告群（例えば、広告群＃Ａと広告群＃Ｂ）に、同一の広告の情報が含まれていてもよい。一方で、例えば、広告群＃Ａと広告群＃Ｂに、異なる広告の情報が含まれていてもよい。つまり、異なる２つの広告群に、異なる広告の情報が含まれていてもよい。なお、この関係は広告に限ったものではない。
【０４３９】
なお、図３２の通信装置３９００が送信する広告群の送信フレームの構成は、図３３、図３４に限ったものではない。
【０４４０】
次に、図３５に、図３３とは異なる、図３２の通信装置３９００が具備するデータ選択部３９０１が選択及び出力するデータの例を示す。ここからは、図３５を用いて、新横浜駅から品川駅へ向かって進行する上り列車の車内において広告群を配信する、図３３とは別の例を説明する。すなわち、図３３では、広告群が対応付けられている複数の区間が重複しない例を説明したが、図３５では、広告群が対応付けられている複数の区間が、少なくとも一部において重複する例を説明する。
【０４４１】
なお、図３５における横軸は、図３３と同様、列車が走っている「場所」を示している。ここで、場所とは、例えば、列車の通過経路における場所を示すものであってもよい。ただし、横軸は、「場所」及び「時刻（または経過時間）」であってもよい。この場合、「場所」及び「時刻（または経過時間）」から、列車の「より具体的な場所（走行位置）」が特定可能となる。ここで、経過時間とは、例えば、直前の基準地点（駅等）を通過した時点からの経過時間である。
【０４４２】
図３５に示しているように、列車が新横浜駅から地点＃１までの区間Ａを走行中の場合、図３２の通信装置３９００が具備するデータ選択部３９０１は、例えば、データ選択部３９０１が蓄積しているデータのうち、広告群＃Ａのデータを選択し、広告群＃Ａのデータを選択データとして出力する。したがって、列車が新横浜浜駅から地点＃１までの区間Ａを走行中の場合、列車内の照明部３９０３は、広告群＃Ａのデータを、光変調信号を用いて送信する。
【０４４３】
列車が地点＃１から地点＃２までの区間Ｂを走行中の場合、図３２の通信装置３９００が具備するデータ選択部３９０１は、例えば、データ選択部３９０１が蓄積しているデータのうち、広告群＃Ｂのデータを選択し、広告群＃Ｂのデータを選択データとして出力する。したがって、列車が地点＃１から地点＃２までの区間Ｂを走行中の場合、列車内の照明部３９０３は、広告群＃Ｂのデータを、光変調信号を用いて送信する。
【０４４４】
列車が地点＃２から品川浜駅までの区間Ｃを走行中の場合、図３２の通信装置３９００が具備するデータ選択部３９０１は、例えば、データ選択部３９０１が蓄積しているデータのうち、広告群＃Ｃのデータを選択し、広告群＃Ｃのデータを選択データとして出力する。したがって、列車が地点＃２から品川浜駅までの区間Ｃを走行中の場合、列車内の照明部３９０３は、広告群＃Ｃのデータを、光変調信号を用いて送信する。
【０４４５】
列車が新横浜駅から品川駅までの区間Ｗを走行中の場合、図３２の通信装置３９００が具備するデータ選択部３９０１は、例えば、データ選択部３９０１が蓄積しているデータのうち、広告群＃Ｗのデータを選択し、広告群＃Ｗのデータを選択データとして出力する。したがって、列車が新横浜駅から品川駅までの区間Ｗを走行中の場合、列車内の照明部３９０３は、広告群＃Ｗのデータを、光変調信号を用いて送信する。
【０４４６】
列車が新横浜駅から地点＃１５までの区間Ｘを走行中の場合、図３２の通信装置３９００が具備するデータ選択部３９０１は、例えば、データ選択部３９０１が蓄積しているデータのうち、広告群＃Ｘのデータを選択し、広告群＃Ｘのデータを選択データとして出力する。したがって、列車が新横浜駅から地点＃１５までの区間Ｘを走行中の場合、列車内の照明部３９０３は、広告群＃Ｘのデータを、光変調信号を用いて送信する。
【０４４７】
列車が地点＃１１から地点＃１３までの区間Ｙを走行中の場合、図３２の通信装置３９００が具備するデータ選択部３９０１は、例えば、データ選択部３９０１が蓄積しているデータのうち、広告群＃Ｙのデータを選択し、広告群＃Ｙのデータを選択データとして出力する。したがって、列車が地点＃１１から地点＃１３までの区間Ｙを走行中の場合、列車内の照明部３９０３は、広告群＃Ｙのデータを、光変調信号を用いて送信する。
【０４４８】
列車が地点＃１２から地点＃１４までの区間Ｚを走行中の場合、図３２の通信装置３９００が具備するデータ選択部３９０１は、例えば、データ選択部３９０１が蓄積しているデータのうち、広告群＃Ｚのデータを選択し、広告群＃Ｚのデータを選択データとして出力する。したがって、列車が、地点＃１２から地点＃１４までの区間Ｚを走行中の場合、列車内の照明部３９０３は、広告群＃Ｚのデータを、光変調信号を用いて送信する。
【０４４９】
なお、図３２の通信装置３９００が具備するデータ選択部３９０１は、列車が走行している場所によっては、データ選択部３９０１が蓄積しているデータのうち、１つ以上の広告群のデータを選択し、選択データとして出力することもある。例えば、列車が地点＃１２から地点＃１３までの区間を走行中の場合、図３２の通信装置３９００が具備するデータ選択部３９０１は、データ選択部３９０１が蓄積しているデータのうち、広告群＃Ｂのデータ、広告群＃Ｗのデータ、広告群＃Ｘのデータ、広告群＃Ｚのテータ、広告群＃Ｙのデータを選択し、選択データとして出力する。したがって、通信装置３９００は、列車が地点＃１２から地点＃１３までの区間を走行中の場合、広告群＃Ｂのデータ、広告群＃Ｗのデータ、広告群＃Ｘのデータ、広告群＃Ｚのデータ、及び、広告群＃Ｙのデータを、光変調信号を用いて送信する。
【０４５０】
このように、現在の走行位置が、少なくとも一部において重複する複数の区間に同時に属している場合、図３２のデータ選択部３９０１は、現在の走行位置が属する複数の区間にそれぞれ対応付けられている広告群を複数個選択してもよい。
【０４５１】
なお、データ選択部３９０１が広告群のデータを得る方法は、蓄積データから広告群＃Ａのデータ、広告群＃Ｂのデータ、広告群＃Ｃのデータ、広告群＃Ｗのデータ、広告群＃Ｘのデータ、広告群＃Ｙのデータ、広告群＃Ｚのデータを得る方法に限られない。例えば、図３２の通信装置３９００のデータ選択部３９０１は、通信機能を有し、外部のサーバなどから広告群＃Ａのデータ、広告群＃Ｂのデータ、広告群＃Ｃのデータ、広告群＃Ｗのデータ、広告群＃Ｘのデータ、広告群＃Ｙのデータ、広告群＃Ｚのデータを得てもよい。
【０４５２】
＜変形例＞
図３６に、図３２とは異なる、本実施の形態における通信システムの構成の変形例を示す。なお、図３６において、図３２と同様に動作するものについては、同一番号を付しており、すでに説明を行っているので、詳細な説明を省略する。
【０４５３】
図３６における図３２と異なる点は、通信装置３９００が具備するデータ選択部３９０１に、時刻情報が入力される点である。すなわち、図３６のデータ選択部３９０１は、位置情報に加えて、時刻情報をも入力とし、位置情報及び時刻情報に基づいて、データを選択し、選択データとしてとして出力する。位置情報は、図３２の説明で記載した通りであり、時刻情報は、例えば現在時刻を示す情報である。
【０４５４】
次に、図３７、図３８を用いて、図３６のデータ選択部３９０１の動作例を説明する。図３７、図３８は、図３６の通信装置３９００が具備するデータ選択部３９０１が選択及び出力するデータの例を示している。
【０４５５】
なお、図３７、図３８において、横軸は列車が走っている「場所」を示す。ここで、場所とは、例えば、列車の経路における場所を示すものであってもよい。ただし、横軸は「場所」及び「経過時間」であってもよい。この場合、「場所」及び「経過時間」から、列車の「より具体的な場所（走行位置）」が特定可能となる。ここで、経過時間とは、直前の基準地点（駅等）を通過した時点からの経過時間である。そして、図３７、図３８において、縦軸は時刻（現在時刻）を示す。すなわち、図３７、図３８における上段及び下段は、異なる時間帯＃１及び＃２の各々において、同じ路線を走行する列車において配信される広告群の例を示す。時間帯＃２は、時間帯＃１より時間的に後である。
【０４５６】
図３７、図３８は、データ選択部３９０１が、複数のデータの中から、列車の走行位置、進行方向および現在時刻に基づいて、列車の現在の走行位置よりも進行方向側の位置に関連するデータを選択する方法の一例である。データ選択部３９０１が選択対象とする複数のデータは、通信装置３９００のローカルに蓄積されていてもよいし、通信装置３９００が通信機能を用いてアクセス可能な外部のサーバに蓄積されていてもよい。また、本実施の形態では、位置に関連するデータが位置に関連する広告群である場合について説明するが、位置に関連するデータは、広告群に限らず、例えば位置に関連する地図又は天気等、どのようなデータであってもよい。
【０４５７】
次に、図３７を用いて、時間帯＃１および＃２に新横浜駅から品川駅に向かって進行する上り列車の車内において広告群を配信する例を説明する。
【０４５８】
＜時間帯＃１＞
現在時刻が時間帯＃１に含まれ、かつ、列車が新横浜駅から地点＃１までの区間Ａを走行中の場合、図３６の通信装置３９００が具備するデータ選択部３９０１は、例えば、データ選択部３９０１が蓄積しているデータのうち、広告群＃Ａのデータを選択し、広告群＃Ａのデータを選択データとして出力する。したがって、時間帯＃１において、列車が新横浜駅から地点＃１までの区間Ａを走行中の場合、列車内の照明部３９０３は、広告群＃Ａのデータを、光変調信号を用いて送信する。ここで、広告群＃Ａのデータは、時間帯＃１に適した広告群のデータである。
【０４５９】
現在時刻が時間帯＃１に含まれ、かつ、列車が地点＃１から地点＃２までの区間Ｂを走行中の場合、図３６の通信装置３９００が具備するデータ選択部３９０１は、例えば、データ選択部３９０１が蓄積しているデータのうち、広告群＃Ｂのデータを選択し、広告群＃Ｂのデータを選択データとして出力する。したがって、時間帯＃１において、列車が地点＃１から地点＃２までの区間Ｂを走行中の場合、列車内の照明部３９０３は、広告群＃Ｂのデータを、光変調信号を用いて送信する。ここで、広告群＃Ｂのデータは、時間帯＃１に適した広告群のデータである。
【０４６０】
現在時刻が時間帯＃１に含まれ、かつ、列車が地点＃２から品川駅までの区間Ｃを走行中の場合、図３６の通信装置３９００が具備するデータ選択部３９０１は、例えば、データ選択部３９０１が蓄積しているデータのうち、広告群＃Ｃのデータを選択し、広告群＃Ｃのデータを選択データとして出力する。したがって、通信装置３９００は、列車が地点＃２から品川駅までの区間Ｃを走行中の場合、列車内の照明部３９０３は、広告群＃Ｃのデータを、光変調信号を用いて送信する。ここで、広告群＃Ｃのデータは、時間帯＃１に適した広告群のデータである。
【０４６１】
なお、データ選択部３９０１は、現在時刻が時間帯＃１内であることを時刻情報から知ることになり、走行している場所を位置情報から知ることになる。
【０４６２】
＜時間帯＃２＞
現在時刻が時間帯＃２に含まれ、かつ、列車が新横浜駅から地点＃３までの区間Ｎを走行中の場合、図３６の通信装置３９００が具備するデータ選択部３９０１は、例えば、データ選択部３９０１が蓄積しているデータのうち、広告群＃Ｎのデータを選択し、広告群＃Ｎのデータを選択データとして出力する。したがって、時間帯＃２において、列車が新横浜駅から地点＃３までの区間Ｎを走行中の場合、列車内の照明部３９０３は、広告群＃Ｎのデータを、光変調信号を用いて送信する。ここで、広告群＃Ｎのデータは、時間帯＃２に適した広告群のデータである。
【０４６３】
現在時刻が時間帯＃２に含まれ、かつ、列車が地点＃３から地点＃４までの区間Ｏを走行中の場合、図３６の通信装置３９００が具備するデータ選択部３９０１は、例えば、データ選択部３９０１が蓄積しているデータのうち、広告群＃Ｏのデータを選択し、広告群＃Ｏのデータを選択データとして出力する。したがって、時間帯＃２において、列車が地点＃３から地点＃４までの区間Ｏを走行中の場合、列車内の照明部３９０３は、広告群＃Ｏのデータを、光変調信号を用いて送信する。ここで、広告群＃Ｏのデータは、時間帯＃２に適した広告群のデータである。
【０４６４】
現在時刻が時間帯＃２に含まれ、かつ、列車が地点＃４から品川駅までの区間Ｐを走行中の場合、図３６の通信装置３９００が具備するデータ選択部３９０１は、例えば、データ選択部３９０１が蓄積しているデータのうち、広告群＃Ｐのデータを選択し、広告群＃Ｐのデータを選択データとして出力する。したがって、列車が地点＃４から品川駅までの区間を走行中Ｐの場合、列車内の照明部３９０３は、広告群＃Ｐのデータを、光変調信号を用いて送信する。ここで、広告群＃Ｐのデータは、時間帯＃２に適した広告群のデータである。
【０４６５】
なお、データ選択部３９０１は、現在時刻が時間帯＃２内であることを時刻情報から知ることになり、走行している場所を位置情報から知ることになる。
【０４６６】
ここで、例えば、図３７の広告群＃Ａ、広告群＃Ｂ、広告群＃Ｃ、広告群＃Ｎ、広告群＃Ｏ、広告群＃Ｐは、「新横浜駅周辺の広告」、および、「列車が新横浜駅より前に停車、または、通過した駅周辺の広告」を含まず、さらに、「品川駅周辺の広告」および／または「列車が品川駅以降に停車、または、通過する駅周辺の広告」を含む。つまり、広告群＃Ａ、広告群＃Ｂ、広告群＃Ｃ、広告群＃Ｎ、広告群＃Ｏ、広告群＃Ｐは、列車が向かっている方向の情報を含むものとする。すなわち、データ選択部３９０１は、列車の現在の走行位置よりも進行方向側の位置に関する広告群（つまり進行先の広告群）を選択する。ただし、広告群＃Ａ、広告群＃Ｂ、広告群＃Ｃ、広告群＃Ｎ、広告群＃Ｏ、広告群＃Ｐが、この規則に従わない広告、または、駅周辺の広告とは関係が浅い広告を含んでいてもよい。
【０４６７】
次に、図３８を用いて、時間帯＃１および＃２に品川駅から東京駅に向かって進行する上り列車の車内において広告を配信する例を説明する。
【０４６８】
＜時間帯＃１＞
図３８に示しているように、現在時刻が時間帯＃１に含まれ、かつ、列車が品川駅から地点＃１１までの区間Ｄを走行中の場合、図３６の送信装置３９００が具備するデータ選択部３９０１は、例えば、データ選択部３９０１が蓄積しているデータのうち、広告群＃３９０１のデータを選択し、広告群＃Ｄのデータを選択データとして出力する。したがって、列車が品川駅から地点＃１１までの区間Ｄを走行中の場合、列車内の照明部３９０３は、広告群＃Ｄのデータを、光変調信号を用いて送信する。ここで、広告群＃Ｄのデータは、時間帯＃１に適した広告群のデータである。
【０４６９】
現在時刻が時間帯１に含まれ、かつ、列車が地点＃１１から地点＃１２までの区間Ｅを走行中の場合、図３６の送信装置３９００が具備するデータ選択部３９０１は、例えば、データ選択部３９０１が蓄積しているデータのうち、広告群＃Ｅのデータを選択し、広告群＃Ｅのデータを選択データとして出力する。したがって、時間帯＃１において、列車が地点＃１１から地点＃１２までの区間Ｅを走行中の場合、列車内の照明部３９０３は、広告群＃Ｅのデータを、光変調信号を用いて送信する。ここで、広告群＃Ｅのデータは、時間帯＃１に適した広告群のデータである。
【０４７０】
現在時刻が時間帯＃１に含まれ、かつ、列車が地点＃１２から東京駅までの区間Ｆを走行中の場合、図３６の送信装置３９００が具備するデータ選択部３９０１は、例えば、データ選択部３９０１が蓄積しているデータのうち、広告群＃Ｆのデータを選択し、広告群＃Ｆのデータを選択データとして出力する。したがって、時間帯＃１において、列車が地点＃１２から東京の区間Ｆを走行中の場合、列車内の照明部３９０３は、広告群＃Ｆのデータを、光変調信号を用いて送信する。ここで、広告群＃Ｆのデータは、時間帯＃１に適した広告群のデータである。
【０４７１】
なお、データ選択部３９０１は、現在時刻が時間帯＃１内であることを時刻情報から知ることになり、走行している場所を位置情報から知ることになる。
【０４７２】
＜時間帯＃２＞
現在時刻が時間帯＃２に含まれ、かつ、列車が品川駅から地点＃１３までの区間Ｑを走行中の場合、図３６の送信装置３９００が具備するデータ選択部３９０１は、例えば、データ選択部３９０１が蓄積しているデータのうち、広告群＃Ｑのデータを選択し、広告群＃Ｑのデータを選択データとして出力する。したがって、時間帯＃２において、列車が品川駅から地点＃１３までの区間Ｑを走行中の場合、列車内の照明部３９０３は、広告群＃Ｑのデータを、光変調信号を用いて送信する。
【０４７３】
現在時刻が時間帯＃２に含まれ、かつ、列車が地点＃１３から地点＃１４までの区間Ｒを走行中の場合、図３６の送信装置３９００が具備するデータ選択部３９０１は、例えば、データ選択部３９０１が具備しているデータのうち、広告群＃Ｒのデータを選択し、広告群＃Ｒのデータを選択データとして出力する。したがって、時間帯＃２において、列車が地点＃１３から地点＃１４までの区間Ｒを走行中の場合、列車内の照明部３９０３は、広告群＃Ｒのデータを、光変調信号を用いて送信する。ここで、広告群＃Ｒのデータは、時間帯＃２に適した広告群のデータである。
【０４７４】
現在時刻が時間帯＃２に含まれ、かつ、列車が地点＃１４から東京駅までの区間Ｓを走行中の場合、図３６の送信装置３９００が具備するデータ選択部３９０１は、例えば、データ選択部３９０１が蓄積しているデータのうち、広告群＃Ｓのデータを選択し、広告群＃Ｓのデータを選択データとして出力する。したがって、時間帯＃２において、列車が地点＃１４から東京駅までの区間Ｓを走行中の場合、列車内の照明部３９０３は、広告群＃Ｓのデータを、光変調信号を用いて送信する。ここで、広告群＃Ｓのデータは、時間帯＃２に適した広告群のデータである。
【０４７５】
なお、データ選択部３９０１は、現在時刻が時間帯＃２内であることを時刻情報から知ることになり、走行している場所を位置情報から知ることになる。
【０４７６】
なお、データ選択部３９０１が広告群のデータを得る方法は、蓄積データから広告群＃Ａのデータ、広告群＃Ｂのデータ、広告群＃Ｃのデータ、広告群＃Ｄのデータ、広告群＃Ｅのデータ、広告群＃Ｆのデータ、広告群＃Ｎのデータ、広告群＃Ｏのデータ、広告群＃Ｐのデータ、広告群＃Ｑのデータ、広告群＃Ｒのデータ、広告群＃Ｓのデータを得る方法に限られない。例えば、図３６の通信装置３９００のデータ選択部３９０１は、通信機能を有し、外部のサーバなどから広告群＃Ａのデータ、広告群＃Ｂのデータ、広告群＃Ｃのデータ、広告群＃Ｄのデータ、広告群＃Ｅのデータ、広告群＃Ｆのデータ、広告群＃Ｎのデータ、広告群＃Ｏのデータ、広告群＃Ｐのデータ、広告群＃Ｑのデータ、広告群＃Ｒのデータ、広告群＃Ｓのデータを得てもよい。
【０４７７】
ここで、図３８の広告群＃Ｄ、広告群＃Ｅ、広告群＃Ｆ、広告群＃Ｑ、広告群＃Ｒ、広告群＃Ｓは、「品川駅周辺の広告」、および、「列車が品川駅より前に停車、または、通過した駅周辺の広告」を含まず、さらに、「東京駅周辺の広告」、または、「列車が東京駅以降に停車、または、通過する駅周辺の広告」を含む。つまり、広告群＃Ｄ、広告群＃Ｅ、広告群＃Ｆ、広告群＃Ｑ、広告群＃Ｒ、広告群＃Ｓは、列車が向かっている方向の情報を含むものとする。すなわち、データ選択部３９０１は、列車の現在の走行位置よりも進行方向側の位置に関する広告群（つまり進行先の広告群）を選択する。ただし、広告群＃Ｄ、広告群＃Ｅ、広告群＃Ｆ、広告群＃Ｑ、広告群＃Ｒ、広告群＃Ｓが、この規則に従わない広告、または、駅周辺の広告とは関係が浅い広告を含んでいてもよい。
【０４７８】
また、例えば、図３７、図３８において、例えば、時間帯＃１が「１０時から１２時」であり、時間帯＃２が「１６時から１８時」であるとする。このとき、例えば、時間帯＃１で配信する広告群は、昼食関連の店舗等の広告群であり、時間帯＃２で配信する広告群は、夕食関連の店舗等の広告群である。このように、現在時刻が含まれる時間帯に基づいて、端末に送信する広告群を選択することにより、列車の乗客（ユーザ）の端末に対して、その時々においてユーザ価値の高い広告群を配信することができる。すなわち、列車中で図３６における端末を使用するユーザは、現在時刻により適した情報を入手することができる。
【０４７９】
以上のように、図３６の通信装置３９００が送信する広告などのデータが、列車の走行位置、進行方向、及び、現在時刻が含まれる時間帯に応じて、列車の走行位置および進行方向により好適で、かつ、時間帯にも好適な広告などのデータに切り替わることにより、列車内で端末を使用するユーザが、所望するデータを図３６の通信装置３９００から得ることができる可能性を高めることができる。
【０４８０】
なお、広告群のデータは、広告そのものの情報であってもよいし、広告の情報を得るためのアクセス先の情報（例えば、ＵＲＬ（Uniform Resource Locator））であってもよい。広告そのものの情報とは、例えば、広告自体を構成するデータ（例えば、文字、画像、音声データ、オーディオデータ）である。また、広告群のデータは、１つ以上の広告の情報を有していてもよい。また、上記の説明では、データ選択部３９０１が選択するデータとして、広告群を例に説明しているが、広告群に限られない。例えば、進行方向側の場所（例えば、進行方向側にある駅の周辺）の地図情報でもあってもよいし、また、位置固有の情報（当該場所に特有の情報）であってもよい。ただし、情報はこれに限ったものではない。
【０４８１】
また、異なる２つの広告群（例えば、広告群＃Ａと広告群＃Ｂ）に、同一の広告が含まれてもよいし、異なる広告が含まれてもよい。図３７において、例えば、広告群＃Ａと広告群＃Ｂで、同一の広告の情報が存在していてもよい。つまり、異なる２つの広告群（例えば、広告群＃Ａと広告群＃Ｂ）で、同一の広告の情報が含まれていてもよい。一方で、例えば、広告群＃Ａと広告群＃Ｂに、異なる広告の情報が含まれていてもよい。つまり、異なる２つの広告群に、異なる広告の情報が含まれていてもよい。なお、この関係は広告に限ったものではない。
【０４８２】
なお、図３６の通信装置３９００が送信する広告群の送信フレームの構成は、図３７、図３８の例に限ったものではなく、また、時間帯の設定は、図３７、図３８の例に限ったものではない。図３９に、図３６の通信装置３９００が具備するデータ選択部３９０１が選択及び出力するデータの別の例を示す。
【０４８３】
図３９を用いて、時間帯＃３、＃４、＃５に新横浜駅から品川駅へ向かって進行する上り列車の車内において広告を配信する、図３７とは別の例を説明する。なお、図３７と同様に、図３９において、横軸は列車が走っている「場所」を示している。ただし、横軸は「場所」及び「経過時間」であってもよい。この場合、「場所」及び「経過時間」から、列車の「より具体的な場所（走行位置）」が特定可能となる。ここで、経過時間とは、直前の基準地点（駅等）を通過した時点からの経過時間である。そして、図３９において、縦軸は時刻（現在時刻）を示し、例えば、時間帯を３つにわけ、時間帯＃３、時間帯＃４、時間帯＃５と名づけている。
【０４８４】
図３９は、異なる３つの時間帯＃３、＃４、＃５における広告群の配信例を示す。時間帯＃３においては、図３７の上段と同様、区間＃Ａ、＃Ｂ、＃Ｃにおいて、それぞれ、広告群＃Ａ、広告群＃Ｂ、広告群＃Ｃを送信する。図３７中の時間帯＃１における広告群の配信方法を時間帯＃３に適用したものとなるので、詳細な説明を省略する。時間帯＃４においては、図３７の下段と同様に、区間＃Ｎ、＃Ｏ、＃Ｐにおいて、それぞれ、広告群＃Ｎ、広告群＃Ｏ、広告群＃Ｐを送信する。図３７中の時間帯＃２における広告群の配信方法を時間帯＃４に適用したものとなるので、詳細な説明を省略する。時間帯＃５においては、図３５と同様に、区間＃Ａ、＃Ｂ、＃Ｃ、＃Ｗ、＃Ｘ、＃Ｙ、＃Ｚにおいて、それぞれ、広告群＃Ａ、広告群＃Ｂ、広告群＃Ｃ、広告群＃Ｗ、広告群＃Ｘ、広告群＃Ｙ、広告群＃Ｚを送信する。時間帯＃５における送信方法については、図３５ですでに説明を行っているので、詳細な説明を省略する。
【０４８５】
なお、図３９は、図３６の通信装置３９００が送信する広告群の送信フレームの構成の一例であり、フレーム構成はこれに限ったものではない。
【０４８６】
以上、本実施の形態のように、列車等に搭載された通信装置が、場所、特に、列車等の走行位置、進行方向、時刻等の情報に基づいて、通信装置が端末に送信する広告群等の情報を切り替えることで、この通信装置と通信を行っている端末を使用しているユーザは、より好適な情報を入手することができる。
【０４８７】
なお、本実施の形態では上り列車を例に説明したが、下り列車の場合は、進行方向が上り列車とは異なるため、上り列車と区間および／または時間帯が同じであっても、上り列車の場合とは異なる広告群が配信される。例えば、図３４の路線において東京駅から品川駅に向かって進行する下り列車の車内では、東京駅から地点＃４までの区間Ｆにおいて、上り列車で配信される広告群＃Ｆとは異なる進行先の広告群が配信される。この配信される進行先の広告群は、「東京駅周辺の広告」および「列車が東京駅より前に停車（または通過）した駅周辺の広告」を含まず、「品川駅周辺の広告」および／または「列車が品川駅以降に停車（または通過）する駅周辺の広告」を含む。
【０４８８】
本実施の形態では、通信装置３９００は、複数のデータの中から、列車の走行位置、進行方向、および／または現在時刻に基づいて、進行先データを選択する。これにより、列車の乗客（ユーザ）の端末に対して、その時々において価値の高いデータを配信することができる。
【０４８９】
なお、本実施の形態では、列車に通信装置３９００を搭載する例を説明したが、これ以外の輸送機に通信装置３９００を搭載してもよい。例えば、バス、航空機などの輸送機に搭載された通信装置３９００が、当該輸送機の乗客（ユーザ）の端末に対して、送信先データを選択および配信してもよい。
【０４９０】
また、通信装置３９００は、照明部３９０３から送信するデータに、走行位置および／または現在時刻を示す情報を含めてもよい。これにより、端末は、受信したデータから走行位置および／または現在時刻を得ることができる。
【０４９１】
（実施の形態９）
図４０および図４１は、それぞれ、図３２および図３６の通信装置３９００が、さらに、各照明部３９０３の設置位置の情報（位置情報）を用いる構成の一例を示す図である。すなわち、図４０、図４１のデータ選択部３９０１には、各照明部の位置情報が入力される。
【０４９２】
図４０および図４１において、照明部３９０３＿１、３９０３＿２、３９０３＿３は、それぞれ、自身の設置位置の情報（位置情報）をデータ選択部３９０１へ送信する。例えば、照明部３９０３が、列車の各車両の天井に設置されている照明装置である場合、照明部３９０３の位置情報は、当該照明部３９００が設置されている車両の車両番号（例えばｎ号車であれば、ｎ。なお、例えば、ｎは自然数）を含んでいてもよい。なお、照明部３９０３は、照明部３９０３の位置情報に代えて、自分の識別情報をデータ選択部３９０１へ送信してもよい。これにより、端末は、自身が存在する車両の車両番号の情報を得ることができる。
【０４９３】
データ選択部３９０１は、照明部３９０３の位置情報（または識別情報）毎に、所定の情報を対応付けて管理する。例えば、以下の「例５」または「例６」のように、照明部３９０３の位置情報と所定の情報とを対応付けて管理する。なお、以下の例５と例６とは、組み合わせて実施されてもよい。
【０４９４】
＜例５＞
データ選択部３９０１は、各照明部３９０３の設置位置（例えば車両番号）に、その車両内の端末を接続させる基地局（またはＡＰ）の接続情報、例えばＳＳＩＤを対応付けて管理する。例えば、図４０において、照明部３９０３＿１（照明部＃１）に対して、当該照明部＃１から比較的近い（例えば同じ車両内の）基地局＃１のＳＳＩＤを対応付ける。同様に、照明部３９０３＿１（照明部＃２）に対して、当該照明部＃２から比較的近い（例えば同じ車両内の）ＡＰ＃１のＳＳＩＤを対応付ける。照明部３９０３＿１（照明部＃３）に対して、当該照明部＃３から比較的近い（例えば同じ車両内の）基地局＃２のＳＳＩＤを対応付ける。
【０４９５】
そして、データ選択部３９０１は、実施の形態８のように、照明部３９０３から光変調信号を用いて送信する広告群（データ）を選択する際、その照明部３９０３の設置位置に対応付けられているＳＳＩＤを選択し、当該データに含める。すなわち、照明部３９０３から端末３９２０に送信されるデータには、当該照明部３９０３の設置位置に対応付けられている基地局（またはＡＰ）のＳＳＩＤが含まれる。これにより、列車の各車両内の乗客（ユーザ）の端末３９２０を、車両毎に異なるＳＳＩＤに接続させることができる。例えば、図４０において、端末３９２０＿１（端末＃１）は、照明部＃１から、基地局＃１のＳＳＩＤを受信するので、当該端末＃１は、基地局＃１に接続する。同様に、端末３９２０＿２（端末＃２）は、照明部＃２から、ＡＰ＃１のＳＳＩＤを受信するので、当該端末＃２は、ＡＰ＃１に接続する。同様に、端末３９２０＿３（端末＃３）は、照明部＃３から、基地局＃２のＳＳＩＤを受信するので、当該端末＃３は、基地局＃２に接続する。
【０４９６】
＜例６＞
データ選択部３９０１は、各照明部３９０３の設置位置（例えば車両番号）に、その車両内の端末へ送信する広告群を対応付けて管理する。例えば、図４０において、照明部３９０３＿１（照明部＃１）に対して、当該照明部＃１が設置されている車両内の端末３９２０＿１（端末＃１）へ配信する広告群を対応付ける。同様に、照明部３９０３＿２（照明部＃２）に対して、当該照明部＃２が設置されている車両内の端末３９２０＿２（端末＃２）へ配信する広告群を対応付ける。照明部３９０３＿３（照明部＃３）に対して、当該照明部＃３が設置されている車両内の端末３９２０＿３（端末＃３）へ配信する広告群を対応付ける。
【０４９７】
そして、データ選択部３９０１は、実施の形態８のように列車の進行方向、走行位置および／または現在時刻に基づいて選択した進行先の広告群の中から、さらに、照明部３９０３毎に、その照明部３９０３の設置位置に対応付けられている広告群を選択する。すなわち、列車の各車両内の端末３９２０には、列車の進行方向、走行位置および／または現在時刻に基づいて選択された進行先の広告群のうち、照明部３９０３の設置位置（例えば車両番号）に基づいてさらに選択された広告群が、配信される。これにより、通信装置３９００は、列車の乗客（ユーザ）の端末３９２０に対して、進行先に関連し、かつ、車両毎に異なる広告群を配信することができる。
【０４９８】
なお、照明部３９０３の設置位置の情報は、列車の車両番号に限られない。例えば、照明部３９０３は、各座席の頭上に設置されている照明装置であり、照明部３９０３の設置位置は、列車の座席番号であってもよい。この場合、通信装置３９００は、列車の乗客（ユーザ）の端末３９２０に対して、座席毎に異なる広告群を配信することができる。
【０４９９】
また、本実施の形態では、列車に通信装置３９００を搭載する例を説明したが、これ以外の輸送機に通信装置３９００を搭載してもよい。例えば、バス、航空機などの輸送機に搭載された通信装置３９００が、当該輸送機の乗客（ユーザ）の端末３９２０に対してデータを送信してもよい。また、通信装置３９００は、光源３９０３から送信するデータに、走行位置および／または現在時刻の情報を含めてもよい。この場合、端末３９２０は、受信したデータから、走行位置および／または現在時刻を得ることができる。
【０５００】
また、通信装置は、広告などの情報とＳＳＩＤの情報の両者の情報を含んだ光変調信号を送信してもよい。
【０５０１】
（実施の形態１０）
これまでの実施の形態は、乗り物に関連するものであり、乗り物が向かっている進行方向の推定がわかりやすいものであった。一方、本実施の形態では、通信装置３９００が、端末を持つ歩行者（ユーザ）に対して、歩行者の進行方向に適した情報を、光変調信号を用いて送信する例について説明する。
【０５０２】
図４２は、通信装置３９００が、駅の西口方向に関連する広告群と、東口方向に関連する広告群とを含む光変調信号を端末に送信する例を示す図である。
【０５０３】
図４２において、通信装置３９００は、例えば、路上に設置されており、照明部３９０３から、駅の西口方向又は東口方向に関連する広告群を含む光変調信号を送信する。一方、端末は加速度センサおよび／またはジャイロセンサを有している。そして、例えば、端末を右方向（図４２では駅の西口方向）に動かすと、端末は、西口の方向に関連する情報を画面に表示し、端末を左方向（図４２では駅の東口方向）に動かすと、端末は、東口の方向に関連する情報を画面に表示する。なお、端末の動かし方については、これらに限ったものではなく、例えば、端末を左回転させると、端末は、西口の方向に関する情報を画面に表示し、端末を右回転させると、端末は、東口方向に関する情報を画面に表示するとしてもよい。
【０５０４】
ここで、通信装置３９００は、駅の西口方向に関連する広告群（データ）に対して、端末３９２０を西口方向に動かすと表示される旨の動作情報を対応付け、駅の東口方向に関連する広告群（データ）に対して、端末３９２０を東口方向に動かすと表示される旨の動作情報を対応付ける。端末３９２０は、この光変調信号を受信し、受信した光変調信号に含まれる駅の西口方向又は東口方向に関連する広告群並びに動作情報を記憶する。
【０５０５】
そして、歩行者（ユーザ）が端末３９２０を駅の西口方向（図４２の右方向）に動かす（例えば傾ける）と、端末３９２０は、当該動作の動作情報に対応付けられている駅の西口方向に関連する広告群を表示する。また、歩行者が端末３９２０を駅の東口方向（図４２の左方向）に動かす（例えば傾ける）と、端末３９２０は、当該動作の動作情報に対応付けられている東口方向に関連する広告群を表示する。端末３９２０の移動方向（または傾き方向）は、端末３９２０が備える加速度センサおよび／またはジャイロセンサ等によって検出されてよい。
【０５０６】
なお、端末３９２０の動かし方は、これらに限られない。例えば、歩行者が、端末３９２０を右回転させると、端末３９２０は西口方向に関連する広告群を表示し、端末３９２０を左回転させると、端末３９２０は東口方向に関連する広告群を表示してもよい。
【０５０７】
次に、通信装置３９００が、複数階床を有する商業施設に設置されている場合の例を説明する。
【０５０８】
この場合、各階床に設置されている通信装置３９００は、照明部３９０３から、上の階床及び下の階床に関連する広告群を含む光変調信号を送信する。ここで、通信装置３９００は、上の階床に関連する広告群（データ）に対して、端末３９２０を上方に動かすと表示される旨の動作情報を対応付け、下の階床に関連する広告群（データ）に対して、端末３９２０を下方に動かすと表示される旨の動作情報を対応付ける。端末３９２０は、この光変調信号を受信し、受信した光変調信号に含まれる上の階床及び下の階床に関連する広告群並びに動作情報を記憶する。
【０５０９】
そして、施設内の歩行者（ユーザ）が端末を上方向に動かす（例えば傾けるまたは回転させる）と、端末３９２０は、当該動作の動作情報に対応付けられている上の階床に関連する広告群を画面に表示する。また、施設内の歩行者（ユーザ）が、端末３９２０を下方向に動かす（例えば傾けるまたは回転させる）と、端末３９２０は、当該動作の動作情報に対応付けられている下階床に関連する広告群を画面に表示する、としてもよい。
【０５１０】
なお、端末を上方向に回転させると、上の階床に関連する広告群を画面に表示し、端末を下方向に回転させると、下の階床に関連する広告群を画面に表示する、としてもよい。
【０５１１】
図４３は、複数の照明部３９０３が並べて配置されている例を説明する図である。
【０５１２】
図４３では、複数の照明部３９０３を用意しておき、各照明部３９０３にはＩＤ（identification）が付与されている。そして、端末３９２０は２つ以上の照明部３９０３のＩＤを認識して、端末３９２０が向かっている方向（進行方向）を認識する。例えば、ＩＤ４，ＩＤ６と認識したら、右の方向に動いていると認識する。あるいは、端末３９２０は、イメージセンサでとらえた画像から、端末自身が動いている方向（進行方向）を認識してもよい。
【０５１３】
図４３において、複数の照明部３９０３のそれぞれにはＩＤが付与されている。通信装置３９００は、照明部３９０３から、当該照明部３９０３のＩＤを含むデータを送信する。端末３９２０は、照明部３９０３からデータを受信すると、当該データの送信元の照明部３９０３のＩＤを特定する。
【０５１４】
端末３９２０は、少なくとも２つの照明部３９０３のＩＤの受信順序に基づいて、当該端末３９２０の移動方向を推定する。例えば、図４３において、端末がＩＤ４、ＩＤ５、ＩＤ６の順序で照明部３９０３のＩＤを受信した場合、当該端末３９２０は、ＩＤ４（左）からＩＤ６（右）の方向へ移動していると推定する。なお、端末３９２０は、照明部３９０３からの光をイメージセンサでとらえ、そのイメージセンサによる撮影画像に基づいて、当該端末３９２０の進行方向を認識してもよい。
【０５１５】
本実施の形態では、通信装置３９００は、データと、当該データを表示させるための端末３９２０の動作を含む動作情報とを対応付けて送信し、端末３９２０は、複数のデータの中から、自端末３９２０の動作に適合する動作情報に対応付けられているデータを表示する。これにより、ユーザは、端末３９２０を動かす（例えば傾けるまたは回転させる等）だけで、端末３９２０に適切なデータを表示させることができる。
【０５１６】
なお、当然であるが、本明細書において説明した実施の形態、その他の内容を複数組み合わせて、実施してもよい。すなわち、上述の実施の形態の内容は、任意に組み合わせ可能である。また、上述の実施の形態８〜１０において、通信装置３９００は、光波（光変調信号）を用いて端末へデータを送信しているが、光波（光変調信号）に代えて、電波を用いて端末へデータを送信してもよい。また、上述の実施の形態８〜１０で説明した端末の動作は、当該端末にインストールされたアプリケーションプログラムの動作として実現されてもよい。
【０５１７】
なお、実施の形態８以降の実施の形態では、特に、列車に通信装置３９００を設置し、端末がこの通信装置３９００と通信を行う場合を例に説明しているが、バス、航空機などの乗り物に本開示の通信装置３９００を設置し、端末がこの通信装置３９００と通信を行う場合についても同様に実施することは可能である。また、通信装置３９００が送信する情報に、位置情報に加えて、時刻情報が含まれており、この通信装置３９００の通信相手である端末は、これにより、位置情報及び時刻情報を得てもよい。
【０５１８】
実施の形態８以降で、光変調信号を用いて情報を伝送している部分を、電波を利用して、その情報を伝送する構成であってもよい。
【０５１９】
また、図３２、図３６、図４０、図４１などの通信装置３９００は、図示はしていないが、データ選択部３９０１のデータを更新するためのインターフェースを有していてもよい。したがって、図３２、図３６、図４０、図４１などのデータ選択部３９０１は、他の機器やサーバと通信を行い、データを更新することが可能であってもよい。
【０５２０】
そして、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０５２１】
本明細書において、広告の情報について説明を行っているが、広告の情報が、端末で動作するインストールするアプリケーションの情報であってもよい。また、広告の情報のＵＲＬが、端末で動作するインストールするアプリケーションを入手できるＵＲＬの情報であってもよい。
【０５２２】
本明細書の説明では、広告に関する情報を通信装置が送信する場合について説明したが、広告に関する情報以外の情報を通信装置が送信してもよい。以降では、広告に関する情報以外の情報の例について説明する。
【０５２３】
通信装置３９００が列車に搭載されている場合、通信装置３９００は、列車が向かっている方向に存在する駅（例えば、新横浜駅を出発し、品川駅に向かっている場合、品川駅、および、品川駅以降の停車駅）のホームの地図に関する情報を送信してもよい。または、地図に関する情報は、地図そのものを示す情報であってもよいし、地図に関するＵＲＬの情報であってもよい。このとき、ホームの地図に関する情報には、改札、および、改札と近隣の施設・建物の関係に関する情報などを含んでいてもよい。また、通信装置が飛行機に搭載されている場合、通信装置３９００は、飛行機が向かっている空港の地図に関する情報を送信してもよい。または、地図に関する情報は、地図そのものを示す情報であってもよいし、地図に関するＵＲＬの情報であってもよい。
【０５２４】
さらに、例えば、バスに通信装置３９００が設置された場合、通信装置３９００は、光変調信号を車内に送信してもよいし、車外に送信してもよい。特に、車外に光変調信号を送信する場合、送信した光変調信号に、バスの行き先、停車するバス停の情報を含んでいてもよい。このとき、バスが通過したバス停の情報は含まなくてもよい。
【０５２５】
同様に、列車に通信装置３９００が設置された場合、通信装置３９００は、光変調信号を列車内に送信してもよいし、列車外に送信してもよい。特に、列車外に光変調信号を送信する場合、送信した光変調信号に、列車の行き先、停車駅の情報を含んでいてもよい。このとき、列車が通過した駅の情報は含まなくてもよい。
【０５２６】
また、端末は、通信装置３９００から得た情報とイメージセンサでとらえた画像（静止画、動画）を、例えば、端末に搭載されているメモリ（記憶部）に記憶することで、端末を使用するユーザが必要に応じて、記憶している情報呼び出すことが可能であり、これにより、ユーザの利便性が向上する。この場合、通信装置３９００は、列車、バス、飛行機などの乗り物に搭載されていなくても実施することが可能である。
【０５２７】
なお、端末が搭載しているディスプレイに、画像に重ねて通信装置３９００から得た情報を表示してもよいし、画像と通信装置３９００から得た情報を別々に（重ねずに）表示してもよい。
【０５２８】
そして、災害に関する情報、運行に関する情報など、緊急に同報する必要がある情報が発生した場合、通信装置３９００は、広告に関する情報の配信を停止し、緊急に同報する必要がある情報自身、または、緊急に同報する必要がある情報を提供するサーバのＵＲＬの情報を配信してもよい。また、広告に関する情報の配信を停止せずに、緊急に同報する必要がある情報自身、または、緊急に同報する必要がある情報を提供するサーバのＵＲＬの情報を配信してもよい。
【０５２９】
（実施の形態１１）
本実施の形態では、図３２、図３６、図４０、図４１などの通信装置３９００におけるデータ選択部３９０１のデータの更新方法について説明を行う。
【０５３０】
図４４は、データ更新方法に関連する装置の接続例を示している。通信装置３９００は、データ生成装置５１００と通信を行っており、通信装置３９００が具備しているデータ選択部３９０１は、データ生成装置５１００で生成されたデータを得ることで、端末に配信する広告などの情報の内容を更新することができる。
【０５３１】
データ生成装置５１００は、通信装置３９００以外に、装置＃ｋ（５１０１＿ｋ）と通信を行っている。なお、ｋは１以上Ｈ以下の整数であるものとする。このとき、Ｈは２以上の整数であるものとする。このとき、装置＃ｋ（５１０１＿ｋ）は、広告の具体的なコンテンツ、広告を配信する場所・区間に関する情報、入札の金額などの情報をデータ生成装置５１００に送信することになる。
【０５３２】
図４５は、図４４のデータ生成装置５１００により生成される広告の入札状況の一例を示している。例えば、図４４の装置＃ｋ（５１０１＿ｋ）は、図４５に相当する情報を得て、この状況に相当する情報を、装置＃ｋ（５１０１＿ｋ）の具備する表示部に表示することで、装置＃ｋ（５１０１＿ｋ）を使用するユーザ（広告主の候補）は、この情報を確認することができる。
【０５３３】
図４５は、図３３、図３５、図３７、図３９のように、新横浜駅から品川駅、東京駅方面に走る列車が、横浜駅から品川駅の区間で配信する広告の入札状況の例を示している。なお、図４５において、横軸は場所である。
【０５３４】
例えば、図４５における領域５２００は、ある装置（あるユーザ）から広告＃Ａを配信したいという要望があったことを意味している。ただし、広告＃Ａを配信するということは決定していないため、装置（ユーザ）が、他の広告での入札が可能である、ということも意味している。なお、領域５２００は、新横浜から地点＃２の区間に配信される広告であることを意味している。この点については、他の実施の形態で説明したとおりであるので詳細な説明を省略する。
【０５３５】
図４５における領域５２０１は、ある装置（あるユーザ）から広告＃Ｄを配信したいという要望があり、すでに、広告＃Ｄの配信が決定していることを意味している。なお、領域５２０１は、地点＃２から品川駅の区間に配信される広告であることを意味している。この点については、他の実施の形態で説明したとおりであるので詳細な説明を省略する。
【０５３６】
図４５における領域５２０２は、ある装置（あるユーザ）から広告＃Ｂを配信したいという要望があったことを意味している。ただし、広告＃Ｂを配信するということは決定していないため、装置（ユーザ）が、他の広告での入札が可能であるということも意味している。なお、領域５２０２は、新横浜から地点＃３の区間に配信される広告であることを意味している。この点については、他の実施の形態で説明したとおりであるので詳細な説明を省略する。
【０５３７】
図４５における領域５２０３は、ある装置（あるユーザ）からの広告配信の要望がないため、広告配信の入札可能な状態であることを意味している。なお、領域５２０３は、地点＃３から品川駅の区間に配信される広告であることを意味している。この点については、他の実施の形態で説明したとおりであるので詳細な説明を省略する。
【０５３８】
図４５における領域５２０４は、ある装置（あるユーザ）から広告＃Ｃを配信したいという要望があったことを意味している。この領域は、広告＃Ｄを配信するということが決定しているため、他の装置（他のユーザ）による広告の入札が不可能な状態であることを意味している。なお、領域５２０４は、新横浜駅から地点＃１の区間に配信される広告であることを意味している。この点については、他の実施の形態で説明したとおりであるので詳細な説明を省略する。
【０５３９】
図４５における領域５２０５は、ある装置（あるユーザ）からの広告配信の要望がないため、広告配信の入札可能な状態であることを意味している。なお、領域５２０５は、地点＃１から品川駅の区間に配信される広告であることを意味している。この点については、他の実施の形態で説明したとおりであるので詳細な説明を省略する。
【０５４０】
図４５における領域５２０６は、ある装置（あるユーザ）からの広告配信の要望がないため、広告配信の入札可能な状態であることを意味している。なお、領域５２０６は、新横浜駅から品川駅の区間に配信される広告であることを意味している。この点については、他の実施の形態で説明したとおりであるので詳細な説明を省略する。
【０５４１】
図４５における領域５２０７は、ある装置（あるユーザ）からの広告配信の要望がないため、広告配信の入札可能な状態であることを意味している。なお、領域５２０７は、新横浜駅から品川駅の区間に配信される広告であることを意味している。この点については、他の実施の形態で説明したとおりであるので詳細な説明を省略する。
【０５４２】
図４４の装置＃ｋ（５１０１＿ｋ）は、図４５の状況をデータ生成装置５１００から得て、状況を考慮して、広告配信の要望、入札を行うことになる。なお、装置＃ｋ（５１０１＿ｋ）は、入札に伴って、広告のコンテンツをデータ生成装置５１００に提供することになる。
【０５４３】
このとき、データ生成装置５１００は、装置＃ｋ（５１０１＿ｋ）が送信した広告のコンテンツが、不適切であると判断するチェック機能を有していてもよい。例えば、図４５の場合、新横浜駅周辺の広告、および、新横浜駅より前に停車した駅に関連する広告は、広告として適していない。したがって、データ生成装置５１００は、このような広告でないかをチェックする機能を有しているとよい。そして、不適切な広告と判断した広告は、通信装置３９００に提供しないことになる。
【０５４４】
そして、図４４のデータ生成装置５１００において、広告の入札が完了すると、通信装置３９００が具備するデータ選択部３９０１のデータが更新されることになる。例えば、次の「例７」又は「例８」のように、データが更新される。
【０５４５】
＜例７＞
通信装置３９００が具備するデータ選択部３９０１が広告自身を保有している場合、端末は、更新したデータにより、更新された広告を得ることになる。
【０５４６】
＜例８＞
通信装置３９００が具備するデータ選択部３９０１が、広告を提供するサーバの例えばＵＲＬの情報を得た場合、データ生成装置５１００は、コンテンツサーバとしての機能も有しているものとする。すると、端末は、通信装置３９００と通信を行い、データ生成装置５１００に誘導され、データ生成装置５１００から広告を受けることになる。なお、データ生成装置５１００がコンテンツサーバの機能を有しておらず、他のサーバが、広告のコンテンツを有し、提供している場合は、端末が、このサーバから更新された広告を得ることになる。
【０５４７】
なお、図４５の広告の入札状況はあくまでも一例である。例えば、列車の他の区間の広告の入札が行われてもよい。また、時間、時刻ごとに、広告の入札が行われてもよい。
【０５４８】
この点について、図４６を用いて説明する。図４６は、図４４のデータ生成装置５１００により生成される広告の入札状況の一例を示しており、例えば、図４４の装置＃ｋ（５１０１＿ｋ）は、図４６に相当する情報を得て、この状況に相当する情報を、装置＃ｋ（５１０１＿ｋ）の具備する表示部に表示することで、装置＃ｋ（５１０１＿ｋ）を使用するユーザ（広告主の候補）が、この情報を確認することができる。
【０５４９】
図４６は、図３３、図３５、図３７、図３９のように、新横浜駅から品川駅、東京駅方面に走る列車が、横浜駅から品川駅の区間で配信する広告の入札状況の例を示している。なお、図４５において、横軸は場所であり、縦軸は時刻である。
【０５５０】
例えば、図４６における領域５３００は、ある装置（あるユーザ）から広告＃Ａを配信したいという要望があり、すでに、広告＃Ａの配信が決定していることを意味している。なお、領域５３００は、新横浜から地点＃１の区間、時刻１０時から１２時の区間に配信される広告であることを意味している。この点については、他の実施の形態で説明したとおりであるので詳細な説明を省略する。
【０５５１】
図４６における領域５３０１は、ある装置（あるユーザ）から広告＃Ｂを配信したいという要望があったことを意味している。ただし、広告＃Ｂを配信するということは決定していないため、装置（ユーザ）が、他の広告での入札が可能である、ということを意味している。なお、領域５３０１は、地点＃１から地点＃３の期間、時刻１０時から１１時の区間に配信される広告であることを意味している。この点については、他の実施の形態で説明したとおりであるので詳細な説明を省略する。
【０５５２】
図４６における領域５３０２は、ある装置（あるユーザ）からの広告配信の要望がないため、広告配信の入札可能な状態であることを意味している。なお、領域５３０２は、地点＃３から品川駅の区間、時刻１０時から時刻１１時の区間に配信される広告であることを意味している。この点については、他の実施の形態で説明したとおりであるので詳細な説明を省略する。
【０５５３】
図４６における領域５３０３は、ある装置（あるユーザ）からの広告配信の要望がないため、広告配信の入札可能な状態であることを意味している。なお、領域５３０３は、地点＃１から地点＃２の区間、時刻１１から１２時の区間に配信される広告であることを意味している。この点については、他の実施の形態で説明したとおりであるので詳細な説明を省略する。
【０５５４】
図４６における領域５３０４は、ある装置（あるユーザ）から広告＃Ｃを配信したいという要望があり、すでに、広告＃Ｃの配信が決定していることを意味している。なお、領域５３０４は、地点＃２から品川駅の区間、時刻１１時から１２時の区間に配信される広告であることを意味している。この点については、他の実施の形態で説明したとおりであるので詳細な説明を省略する。
【０５５５】
図４４の装置＃ｋ（５１０１＿ｋ）は、図４６の状況をデータ生成装置５１００から得て、状況を考慮して、広告配信の要望、入札を行うことになる。なお、装置＃ｋ（５１０１＿ｋ）は、入札に伴って、広告のコンテンツをデータ生成装置５１００に提供することになる。
【０５５６】
このとき、データ生成装置５１００は、装置＃ｋ（５１０１＿ｋ）が送信した広告のコンテンツが、不適切であると判断するチェック機能を有していてもよい。例えば、図４６の場合、新横浜駅周辺の広告、および、新横浜駅より前に停車した駅に関連する広告は、広告として適していない。したがって、データ生成装置５１００は、このような広告でないかをチェックする機能を有しているとよい。そして、不適切な広告と判断した広告は、通信装置３９００に提供しないことになる。
【０５５７】
そして、図４４のデータ生成装置５１００において、広告の入札が完了すると、通信装置３９００が具備するデータ選択部３９０１のデータが更新されることになる。なお、更新の例については、上記「例７」、「例８」で説明したとおりである。
【０５５８】
なお、図４６の広告の入札状況はあくまでも一例であり、例えば、列車の他の場所の区間の広告の入札、列車の他の時間区間の広告の入札が行われてもよい。また、図４６において、領域では、１つの広告による入札を記載しているが、複数の装置によって、複数の広告により入札が可能であってもよい（つまり、領域で、複数の広告が配信されてもよい）。
【０５５９】
以上のように、広告データを生成することで、端末はより価値の高いデータの供給を受けることが可能となる。
【０５６０】
なお、本明細書において、「照明部」、「光源」と記載しているが、画像、動画、広告などを表示するディスプレイが光を発しており、その光に光変調信号が含まれているというような方法であってもよい。つまり、「照明部」、「光源」が光を発する機能以外の機能を有していてもよい。また、「照明部」、「光源」が、複数の「照明」、「光源」により構成されていてもよい。
【０５６１】
さらに、光変調信号を生成し、光を発する通信装置が用いる送信方法は、本明細書で記載された送信方法以外の方法であってもよい。また、光変調信号は、本明細書で説明した以外の情報が含まれていてもよい。
【０５６２】
（実施の形態１２）
本実施の形態では、実施の形態８、実施の形態９、実施の形態１０、実施の形態１１の変形例を説明する。特に、本実施の形態では、「歩行者」、「歩行者が保有する通信装置」、「車（または、乗り物、Vehicleなど）が搭載している通信装置」に対して、可視光通信を適用したときの実施例について説明する。
【０５６３】
図４７は、本実施の形態における「通信装置を保有している人」及び「少なくとも画像・動画を表示するモニター」の状態の例を示している。なお、「モニター」は、スピーカーが搭載されており、オーディオ（音）を出力してもよいものとする。
【０５６４】
図４７において、上が駅の「西口」、下が駅の「東口」であるものとする。「通信装置を保有している人４７１１」は、矢印４７１１＿１の方向に進んでいる、つまり、西口方面に向かっているものとする。同様に「通信装置を保有している人４７１２」は、矢印４７１２＿１の方向に進んでいる、つまり、西口方面に向かっているものとする。モニター４７５１は、矢印４７５１＿１の方向に対し、「画像・動画を表示」しているものとする。さらに、モニター４７５１は、光変調信号を送信していてもよい。なお、モニターの画像・動画を表示する画面から光変調信号が送信されてもよいし、光変調信号を送信するための発光部をモニターが具備していてもよい。
【０５６５】
同様に、モニター４７５２は、矢印４７５２＿１の方向に対し、「画像・動画を表示」しているものとする。さらに、モニター４７５２は、光変調信号を送信していてもよい。なお、モニターの画像・動画を表示する画面から光変調信号が送信されてもよいし、光変調信号を送信するための発光部をモニターが具備していてもよい。
【０５６６】
このとき、モニター４７５１、４７５２は、「通信装置を保有している人４７１１」および「通信装置を保有している人４７１２」が見る人の対象としているモニターである。そして、「通信装置を保有している人４７１１」および「通信装置を保有している人４７１２」は西口方面に向かっているため、この人たちにとって、「有益な情報」、「有益な広告」を提供する「モニター４７５１、４７５２」であることが望まれる。
【０５６７】
したがって、「モニター４７５１、４７５２」は、「西口方面における有益な情報、有益な広告」に関する画像・動画を表示するとよい。また、「モニター４７５１、４７５２」は、「西口方面における有益な情報、有益な広告」を含む光変調信号を送信してもよい。このようにすることで、「通信装置を保有している人（ユーザー）」に対し、有効な情報を提供することができる。
【０５６８】
「通信装置を保有している人４７２１」は、矢印４７２１＿１の方向に進んでいる、つまり、東口方面に向かっているものとする。同様に「通信装置を保有している人４７２２」は、矢印４７２２＿１の方向に進んでいる、つまり、東口方面に向かっているものとする。
【０５６９】
モニター４７６１は、矢印４７６１＿１の方向に対し、「画像・動画を表示」しているものとする。さらに、モニター４７６１は、光変調信号を送信していてもよい。なお、モニターの画像・動画を表示する画面から光変調信号が送信されてもよいし、光変調信号を送信するための発光部をモニターが具備していてもよい。
【０５７０】
同様に、モニター４７６２は、矢印４７６２＿１の方向に対し、「画像・動画を表示」しているものとする。さらに、モニター４７６２は、光変調信号を送信していてもよい。なお、モニターの画像・動画を表示する画面から光変調信号が送信されてもよいし、光変調信号を送信するための発光部をモニターが具備していてもよい。
【０５７１】
このとき、モニター４７６１、４７６２は、「通信装置を保有している人４７２１」および「通信装置を保有している人４７２２」が見る人の対象としているモニターである。そして、「通信装置を保有している人４７２１」および「通信装置を保有している人４７２２」は東口方面に向かっているため、この人たちにとって、「有益な情報」、「有益な広告」を提供する「モニター４７６１、４７６２」であることが望まれる。
【０５７２】
したがって、「モニター４７６１、４７６２」は、「東口方面における有益な情報、有益な広告」に関する画像・動画を表示するとよい。また、「モニター４７６１、４７６２」は、「東口方面における有益な情報、有益な広告」を含む光変調信号を送信してもよい。このようにすることで、「通信装置を保有している人（ユーザー）」に対し、有効な情報を提供することができる。
【０５７３】
以上のように、移動する方向に対応し、モニターが提供する情報が異なるようにすることで、ユーザーに有用な情報を提供することができる。
【０５７４】
また、４７０１が矢印４７１１＿１、４７１２＿１の方向に動くことができる「動く歩道（moving walkway）」、４７０２が矢印４７２１＿１、４７２２＿１の方向に動くことができる「動く歩道」であってもよい。このように場合についても、「通信装置を保有している人（ユーザー）」に対し、有効な情報を提供することができる。
【０５７５】
そして、図４７において、「モニター４７５１、４７５２」が発光する光変調信号の光の指向性方向と「モニター４７６１、４７６２」が発光する光変調信号の光の指向性が逆方向である。このため、光変調信号を受光する受信装置では、干渉する光を受光する可能性を低くすることができ、これにより、データの受信品質を向上させることができる。
【０５７６】
図４８は、本実施の形態における「通信装置を保有している人」及び「少なくとも画像・動画を表示するモニター」の状態について、図４７とは異なる例を示している。「モニター」は、スピーカーが搭載されており、オーディオ（音）を出力してもよいものとする。なお、「モニター」は、スピーカーが搭載されており、オーディオ（音）を出力してもよいものとし、また、図４７と同様に動作するものについては、同一番号を付している。
【０５７７】
図４８において、上が駅の「西口」、下が駅「東口」であるものとする。「通信装置を保有している人４７１１」は、矢印４７１１＿１の方向に進んでいる、つまり、西口方面に向かっているものとする。同様に「通信装置を保有している人４７１２」は、矢印４７１２＿１の方向に進んでいる、つまり、西口方面に向かっているものとする。
【０５７８】
モニター４７５１は、矢印４７５１＿１の方向に対し、「画像・動画を表示」しているものとする。さらに、モニター４７５１は、光変調信号を送信していてもよい。なお、モニターの画像・動画を表示する画面から光変調信号が送信されてもよいし、光変調信号を送信するための発光部をモニターが具備していてもよい。
【０５７９】
同様に、モニター４７５２は、矢印４７５２＿１の方向に対し、「画像・動画を表示」しているものとする。さらに、モニター４７５２は、光変調信号を送信していてもよい。なお、モニターの画像・動画を表示する画面から光変調信号が送信されてもよいし、光変調信号を送信するための発光部をモニターが具備していてもよい。
【０５８０】
このとき、モニター４７５１、４７５２は、「通信装置を保有している人４７１１」および「通信装置を保有している人４７１２」が見る人の対象としているモニターである。そして、「通信装置を保有している人４７１１」および「通信装置を保有している人４７１２」は西口方面に向かっているため、この人たちにとって、「有益な情報」、「有益な広告」を提供する「モニター４７５１、４７５２」であることが望まれる。
【０５８１】
したがって、「モニター４７５１、４７５２」は、「西口方面における有益な情報、有益な広告」に関する画像・動画を表示するとよい。また、「モニター４７５１、４７５２」は、「西口方面における有益な情報、有益な広告」を含む光変調信号を送信してもよい。このようにすることで、「通信装置を保有している人（ユーザー）」に対し、有効な情報を提供することができる。
【０５８２】
「通信装置を保有している人４７２１」は、矢印４７２１＿１の方向に進んでいる、つまり、東口方面に向かっているものとする。
【０５８３】
同様に「通信装置を保有している人４７２２」は、矢印４７２２＿１の方向に進んでいる、つまり、東口方面に向かっているものとする。
【０５８４】
モニター４７６１は、矢印４７６１＿１の方向に対し、「画像・動画を表示」しているものとする。さらに、モニター４７６１は、光変調信号を送信していてもよい。なお、モニターの画像・動画を表示する画面から光変調信号が送信されてもよいし、光変調信号を送信するための発光部をモニターが具備していてもよい。
【０５８５】
同様に、モニター４７６２は、矢印４７６２＿１の方向に対し、「画像・動画を表示」しているものとする。さらに、モニター４７６２は、光変調信号を送信していてもよい。なお、モニターの画像・動画を表示する画面から光変調信号が送信されてもよいし、光変調信号を送信するための発光部をモニターが具備していてもよい。
【０５８６】
このとき、モニター４７６１、４７６２は、「通信装置を保有している人４７２１」および「通信装置を保有している人４７２２」が見る人の対象としているモニターである。そして、「通信装置を保有している人４７２１」および「通信装置を保有している人４７２２」は東口方面に向かっているため、この人たちにとって、「有益な情報」、「有益な広告」を提供する「モニター４７６１、４７６２」であることが望まれる。
【０５８７】
したがって、「モニター４７６１、４７６２」は、「東口方面における有益な情報、有益な広告」に関する画像・動画を表示するとよい。また、「モニター４７６１、４７６２」は、「東口方面における有益な情報、有益な広告」を含む光変調信号を送信してもよい。
【０５８８】
このようにすることで、「通信装置を保有している人（ユーザー）」に対し、有効な情報を提供することができる。
【０５８９】
以上のように、移動する方向に対応し、モニターが提供する情報が異なるようにすることで、有用な情報を提供することができる。
【０５９０】
また、４７０１が矢印４７１１＿１、４７１２＿１の方向に動くことができる「動く歩道（moving walkway）」、４７０２が矢印４７２１＿１、４７２２＿１の方向に動くことができる「動く歩道」であってもよい。このとき、「動く歩道」の動く方向の先にあるところの情報・広告に関する動画・画像、および／または、情報を提供するモニターが動く歩道と隣接しているという特徴をもつ。これにより、「通信装置を保有している人（ユーザー）」に対し、有効な情報を、より的確に提供することができる。
【０５９１】
そして、図４８において、「モニター４７５１、４７５２」が発光する光変調信号の光の指向性方向と「モニター４７６１、４７６２」が発光する光変調信号の光の指向性が逆方向である。そのため、光変調信号を受光する受信装置では、干渉する光を受光する可能性を低くすることができ、これにより、データの受信品質を向上させることができる。
【０５９２】
本実施の形態において、「西口」「東口」という名を使って、説明を行ったが、「西口」「東口」という語句は説明の一例であって、この用語に限ったものではない。例えば、２つ以上の異なる地域、例えば、「西口」の代わりに「地域Ａ」、「東口」の代わりに「地域Ｂ」というようにし、本実施の形態を実施しても、同様に実施することができる。別の例として、「西口」の代わりに「「地域＃１、地域＃２、・・・、地域＃Ｎ（Ｎは２以上の整数とする）」とし、複数地域」を扱い、「東口」の代わりに「「地域＄１、地域＄２、・・・、地域＄Ｍ（Ｍは２以上の整数とする）」とし、複数地域」を扱うようにし、本実施の形態を実施しても、同様に実施することができる。なお、この点については、実施の形態１０などでも同様である。
【０５９３】
また、図４７、図４８の「モニター４７５１、４７５２」が、東口に関連する情報、画像・動画による広告を扱うこともあり得る。同様に、図４７、図４８の「モニター４７６１、４７６２」が、西口に関連する情報、画像・動画による広告を扱うこともあり得る。
【０５９４】
さらに、以下のような方法も考えられる。例えば、東口に、別の鉄道の駅が存在するものとする。この場合、東口方面に関する情報、広告として、鉄道の行き先となる地域の情報、広告を扱い、本実施の形態を実施してよい。
【０５９５】
図４７、図４８において、「通信装置を保有している人４７１１、４７１２、４７２１、４７２２」を「通信装置を具備している乗り物」、「通信装置を具備している車」と置き換えて本実施の形態を実施しても、同様に実施することが可能である。
【０５９６】
（実施の形態１３）
本実施の形態では、図４９の通信装置３９００におけるデータ選択部３９０１のデータ更新方法について説明する。
【０５９７】
図４９は、図３６とは異なる、通信システムの構成の一例を示している。なお、図４９において、図３６などと同様に動作するものについては、同一番号を付しており、すでに説明した部分については、説明を省略する。図４９の通信システムは、実施の形態１２を実施するための通信システムである。
【０５９８】
図４９における通信装置３９００は、図４７、図４８におけるモニター４７５１、４７５２、４７６１、４７６２に相当する。なお、図４９では通信装置３９００を一つしか記載していないが、複数存在していてもよい。
【０５９９】
図４９において、「照明部３９０３と画像・動画を表示する表示部４９０１」で構成する４９００を具備する機器をモニターとしてもよいし、通信装置３９００のように、４９００に加え、モデムに関する部分を具備するものをモニターとしてもよい。
【０６００】
図４４は、データ更新方法に関連する装置の接続例を示している。通信装置３９００は、データ生成装置５１００と通信を行っており、通信装置３９００が具備しているデータ選択部３９０１は、データ生成装置５１００で生成されたデータを得ることで、光変調信号により、端末に配信する情報・広告、および、表示部４９０１で表示する情報・広告・画像・動画の内容を更新することができる。
【０６０１】
データ生成装置５１００は、通信装置３９００以外に、装置＃ｋ（５１０１＿ｋ）と通信を行っている。なお、ｋは１以上Ｈ以下の整数であるものとする。このとき、Ｈは２以上の整数であるものとする。（ただし、Ｈは１でもよい。）このとき、装置＃ｋ（５１０１＿ｋ）は、広告（静止画・動画・オーディオ）、または、情報の具体的なコンテンツ、これらのコンテンツを配信する場所・区間に関する情報、入札金額などの情報をデータ生成装置５１００に送信することになる。
【０６０２】
図５０は、図４４のデータ生成装置５１００により生成される広告の入札状況の一例を示している。例えば、図４４の装置＃ｋ（５１０１＿ｋ）は、図５０に相当する情報を得て、この状況に相当する情報を、装置＃ｋ（５１０１＿ｋ）の具備する表示部に表示することで、装置＃ｋ（５１０１＿ｋ）を使用するユーザ（広告主の候補）は、この情報を確認することができる。
【０６０３】
図５０は、図４７、図４８のように、東口から西口に移動する際、東口から西口の区間で配信する広告の入札状況の例を示している。なお、図５０において、横軸は場所であり、図５０の広告の入札状況は、図４７、図４８における、例えば「モニター４７５１、４７５２」などの表示部（図４９の４９０１）に表示する広告の入札状況である。ただし、「広告」と記載しているが、広告以外の情報であってもよい。
【０６０４】
例えば、図５０における領域５０−００は、ある装置（あるユーザ）から、東口から地点＃２までの区間において、モニター等に「表示するための広告＃Ａ」を配信したいという要望があったことを意味している。ただし、「表示するための広告＃Ａ」を配信するということは決定していないため、装置（ユーザ）が、他の広告での入札が可能である、ということも意味している。なお、領域５０−００は、東口から地点＃２の区間に配信される広告であることを意味している。この点については、他の実施の形態で説明したとおりであるので詳細な説明を省略する。
【０６０５】
図５０における領域５０−０１は、ある装置（あるユーザ）から、地点＃２から西口までの区間においてモニター等に「表示するための広告＃Ｄ」を配信したいという要望があり、すでに、「表示するための広告＃Ｄ」の配信が決定していることを意味している。なお、領域５０−０１は、地点＃２から西口の区間に配信される広告であることを意味している。この点については、他の実施の形態で説明したとおりであるので詳細な説明を省略する。
【０６０６】
図５０における領域５０−０２は、ある装置（あるユーザ）から、東口から地点＃３までの区間においてモニター等に「表示するための広告＃Ｂ」を配信したいという要望があったことを意味している。ただし、「表示するための広告＃Ｂ」を配信するということは決定していないため、装置（ユーザ）が、他の広告での入札が可能であるということも意味している。なお、領域５０−０２は、東口から地点＃３の区間に配信される広告であることを意味している。この点については、他の実施の形態で説明したとおりであるので詳細な説明を省略する。
【０６０７】
図５０における領域５０−０３は、ある装置（あるユーザ）からの広告配信の要望がないため、広告配信の入札可能な状態であることを意味している。なお、領域５０−０３は、地点＃３から西口の区間に配信される広告であることを意味している。この点については、他の実施の形態で説明したとおりであるので詳細な説明を省略する。
【０６０８】
図５０における領域５０−０４は、ある装置（あるユーザ）から、東口から地点＃１までの区間においてモニター等に「表示するための広告＃Ｃ」を配信したいという要望があったことを意味している。この領域は、「表示するための広告＃Ｃ」を配信するということが決定しているため、他の装置（他のユーザ）による広告の入札が不可能な状態であることを意味している。なお、領域５０−０４は、東口から地点＃１の区間に配信される広告であることを意味している。この点については、他の実施の形態で説明したとおりであるので詳細な説明を省略する。
【０６０９】
図５０における領域５０−０５は、ある装置（あるユーザ）からの広告配信の要望がないため、広告配信の入札可能な状態であることを意味している。なお、領域５０−０５は、地点＃１から西口の区間に配信される広告であることを意味している。この点については、他の実施の形態で説明したとおりであるので詳細な説明を省略する。
【０６１０】
図５０における領域５０−０６は、ある装置（あるユーザ）からの広告配信の要望がないため、広告配信の入札可能な状態であることを意味している。なお、領域５０−０６は、東口から西口の区間に配信される広告であることを意味している。この点については、他の実施の形態で説明したとおりであるので詳細な説明を省略する。
【０６１１】
図５０における領域５０−０７は、ある装置（あるユーザ）からの広告配信の要望がないため、広告配信の入札可能な状態であることを意味している。なお、領域５０−０７は、東口から西口の区間に配信される広告であることを意味している。この点については、他の実施の形態で説明したとおりであるので詳細な説明を省略する。
【０６１２】
図４４の装置＃ｋ（５１０１＿ｋ）は、図５０の状況をデータ生成装置５１００から得て、状況を考慮して、広告配信の要望、入札を行うことになる。なお、装置＃ｋ（５１０１＿ｋ）は、入札に伴って、広告のコンテンツをデータ生成装置５１００に提供することになる。
【０６１３】
このとき、データ生成装置５１００は、装置＃ｋ（５１０１＿ｋ）が送信した広告のコンテンツが、不適切であると判断するチェック機能を有していてもよい。例えば、図５０の場合、東口周辺の広告は、広告として好適ではない。したがって、データ生成装置５１００は、このような広告でないかをチェックする機能を有しているとよい。そして、不適切な広告と判断した広告は、通信装置３９００に提供しないことになる。
【０６１４】
そして、図４４のデータ生成装置５１００において、広告の入札が完了すると、通信装置３９００が具備するデータ選択部３９０１のデータが更新されることになる。なお、図５０の広告の入札状況はあくまでも一例である。また、時間帯、時刻ごとに、広告の入札が行われてもよい。
【０６１５】
この点について、図５１を用いて説明する。図５１は、図４４のデータ生成装置５１００により生成される広告の入札状況の一例を示しており、例えば、図４４の装置＃ｋ（５１０１＿ｋ）は、図５１に相当する情報を得て、この状況に相当する情報を、装置＃ｋ（５１０１＿ｋ）の具備する表示部に表示することで、装置＃ｋ（５１０１＿ｋ）を使用するユーザ（広告主の候補）が、この情報を確認することができる。
【０６１６】
図５１は、図４７、図４８のように、東口から西口に移動する際、東口から西口の区間で配信する広告の入札状況の他の例を示している。なお、図５１において、横軸は場所であり、縦軸は時刻である。図５１の広告の入札状況は、図４７、図４８における、例えば「モニター４７５１、４７５２」などの表示部（図４９の４９０１）に表示する広告の入札状況である。ただし、「広告」と記載しているが、広告以外の情報であってもよい。
【０６１７】
例えば、図５１における領域５１−００は、ある装置（あるユーザ）から、東口から地点＃１までの区間において、モニター等に「表示するための広告＃Ａ」を配信したいという要望があり、すでに、「表示するための広告＃Ａ」の配信が決定していることを意味している。なお、領域５１−００は、東口から地点＃１の区間、時刻１０時から１２時の区間に配信される広告であることを意味している。この点については、他の実施の形態で説明したとおりであるので詳細な説明を省略する。
【０６１８】
図５１における領域５１−０１は、ある装置（あるユーザ）から、地点＃１から地点＃３までの区間において、モニター等に「表示するための広告＃Ｂ」を配信したいという要望があったことを意味している。ただし、「表示するための広告＃Ｂ」を配信するということは決定していないため、装置（ユーザ）が、他の広告での入札が可能である、ということを意味している。なお、領域５１−０１は、地点＃１から地点＃３の期間、時刻１０時から１１時の区間に配信される広告であることを意味している。この点については、他の実施の形態で説明したとおりであるので詳細な説明を省略する。
【０６１９】
図５１における領域５１−０２は、ある装置（あるユーザ）からの広告配信の要望がないため、広告配信の入札可能な状態であることを意味している。なお、領域５１−０２は、地点＃３から西口の区間、時刻１０時から時刻１１時の区間に配信される広告であることを意味している。この点については、他の実施の形態で説明したとおりであるので詳細な説明を省略する。
【０６２０】
図５１における領域５１−０３は、ある装置（あるユーザ）からの広告配信の要望がないため、広告配信の入札可能な状態であることを意味している。なお、領域５１−０３は、地点＃１から地点＃２の区間、時刻１１から１２時の区間に配信される広告であることを意味している。この点については、他の実施の形態で説明したとおりであるので詳細な説明を省略する。
【０６２１】
図５１における領域５１−０４は、ある装置（あるユーザ）から、地点＃２から西口までの区間において、モニター等に「表示するための広告＃Ｃ」を配信したいという要望があり、すでに、「表示するための広告＃Ｃ」の配信が決定していることを意味している。なお、領域５１−０４は、地点＃２から西口の区間、時刻１１時から１２時の区間に配信される広告であることを意味している。この点については、他の実施の形態で説明したとおりであるので詳細な説明を省略する。
【０６２２】
図４４の装置＃ｋ（５１０１＿ｋ）は、図５１の状況をデータ生成装置５１００から得て、状況を考慮して、広告配信の要望、入札を行うことになる。なお、装置＃ｋ（５１０１＿ｋ）は、入札に伴って、広告のコンテンツをデータ生成装置５１００に提供することになる。
【０６２３】
このとき、データ生成装置５１００は、装置＃ｋ（５１０１＿ｋ）が送信した広告のコンテンツが、不適切であると判断するチェック機能を有していてもよい。例えば、図５１の場合、東口周辺の広告は、広告として好適ではない。したがって、データ生成装置５１００は、このような広告でないかをチェックする機能を有しているとよい。そして、不適切な広告と判断した広告は、通信装置３９００に提供しないことになる。
【０６２４】
そして、図４４のデータ生成装置５１００において、広告の入札が完了すると、通信装置３９００が具備するデータ選択部３９０１のデータが更新されることになる。
【０６２５】
なお、図５１の広告の入札状況はあくまでも一例である。また、図５１において、領域では、１つの広告による入札を記載しているが、複数の装置によって、複数の広告により入札が可能であってもよい（つまり、領域で、複数の広告が配信されてもよい）。
【０６２６】
図５２は、図４４のデータ生成装置５１００により生成される、広告のさらに別の入札状況の一例を示している。例えば、図４４の装置＃ｋ（５１０１＿ｋ）は、図５２に相当する情報を得て、この状況に相当する情報を、装置＃ｋ（５１０１＿ｋ）の具備する表示部に表示することで、装置＃ｋ（５１０１＿ｋ）を使用するユーザ（広告主の候補）は、この情報を確認することができる。
【０６２７】
図５２は、図４７、図４８のように、東口から西口に移動する際、東口から西口の区間で配信する広告の入札状況の例を示している。なお、図５２において、横軸は場所であり、図５２の広告の入札状況は、図４７、図４８における、例えば「モニター４７５１、４７５２」などの照明部（図４９の３９０３）により送信（発光）される光変調信号に含まれる広告の入札状況である。ただし、「広告」と記載しているが、広告以外の情報であってもよい。
【０６２８】
例えば、図５２における領域５２−００は、ある装置（あるユーザ）から、東口から地点＃２までの区間において、モニター等に「送信するための広告＃ａ」を配信したいという要望があったことを意味している。ただし、「送信するための広告＃ａ」を配信するということは決定していないため、装置（ユーザ）が、他の広告での入札が可能である、ということも意味している。なお、領域５２−００は、東口から地点＃２の区間に配信される広告であることを意味している。この点については、他の実施の形態で説明したとおりであるので詳細な説明を省略する。
【０６２９】
図５２における領域５２−０１は、ある装置（あるユーザ）から、地点＃２から西口までの区間において、モニター等に「送信するための広告＃ｄ」を配信したいという要望があり、すでに、「送信するための広告＃ｄ」の配信が決定していることを意味している。なお、領域５２−０１は、地点＃２から西口の区間に配信される広告であることを意味している。この点については、他の実施の形態で説明したとおりであるので詳細な説明を省略する。
【０６３０】
図５２における領域５２−０２は、ある装置（あるユーザ）から、東口から地点＃３までの区間において、モニター等に「送信するための広告＃ｂ」を配信したいという要望があったことを意味している。ただし、「送信するための広告＃ｂ」を配信するということは決定していないため、装置（ユーザ）が、他の広告での入札が可能であるということも意味している。なお、領域５２−０２は、東口から地点＃３の区間に配信される広告であることを意味している。この点については、他の実施の形態で説明したとおりであるので詳細な説明を省略する。
【０６３１】
図５２における領域５２−０３は、ある装置（あるユーザ）からの広告配信の要望がないため、広告配信の入札可能な状態であることを意味している。なお、領域５２−０３は、地点＃３から西口の区間に配信される広告であることを意味している。この点については、他の実施の形態で説明したとおりであるので詳細な説明を省略する。
【０６３２】
図５２における領域５２−０４は、ある装置（あるユーザ）から、東口から地点＃１までの区間において、モニター等に「送信するための広告＃ｃ」を配信したいという要望があったことを意味している。この領域は、「送信するための広告＃ｃ」を配信するということが決定しているため、他の装置（他のユーザ）による広告の入札が不可能な状態であることを意味している。なお、領域５２−０４は、東口から地点＃１の区間に配信される広告であることを意味している。この点については、他の実施の形態で説明したとおりであるので詳細な説明を省略する。
【０６３３】
図５２における領域５２−０５は、ある装置（あるユーザ）からの広告配信の要望がないため、広告配信の入札可能な状態であることを意味している。なお、領域５２−０５は、地点＃１から西口の区間に配信される広告であることを意味している。この点については、他の実施の形態で説明したとおりであるので詳細な説明を省略する。
【０６３４】
図５２における領域５２−０６は、ある装置（あるユーザ）からの広告配信の要望がないため、広告配信の入札可能な状態であることを意味している。なお、領域５２−０６は、東口から西口の区間に配信される広告であることを意味している。この点については、他の実施の形態で説明したとおりであるので詳細な説明を省略する。
【０６３５】
図５２における領域５２−０７は、ある装置（あるユーザ）からの広告配信の要望がないため、広告配信の入札可能な状態であることを意味している。なお、領域５２−０７は、東口から西口の区間に配信される広告であることを意味している。この点については、他の実施の形態で説明したとおりであるので詳細な説明を省略する。
【０６３６】
図４４の装置＃ｋ（５１０１＿ｋ）は、図５２の状況をデータ生成装置５１００から得て、状況を考慮して、広告配信の要望、入札を行うことになる。なお、装置＃ｋ（５１０１＿ｋ）は、入札に伴って、広告のコンテンツをデータ生成装置５１００に提供することになる。
【０６３７】
このとき、データ生成装置５１００は、装置＃ｋ（５１０１＿ｋ）が送信した広告のコンテンツが、不適切であると判断するチェック機能を有していてもよい。例えば、図５２の場合、東口周辺の広告は、広告として好適ではない。したがって、データ生成装置５１００は、このような広告でないかをチェックする機能を有しているとよい。そして、不適切な広告と判断した広告は、通信装置３９００に提供しないことになる。
【０６３８】
そして、図４４のデータ生成装置５１００において、広告の入札が完了すると、通信装置３９００が具備するデータ選択部３９０１のデータが更新されることになる。
【０６３９】
なお、図５２の広告の入札状況はあくまでも一例である。また、時間、時刻ごとに、広告の入札が行われてもよい。
【０６４０】
この点について、図５３を用いて説明する。図５３は、図４４のデータ生成装置５１００により生成される広告の入札状況の別の一例を示しており、例えば、図４４の装置＃ｋ（５１０１＿ｋ）は、図５３に相当する情報を得て、この状況に相当する情報を、装置＃ｋ（５１０１＿ｋ）の具備する表示部に表示することで、装置＃ｋ（５１０１＿ｋ）を使用するユーザ（広告主の候補）が、この情報を確認することができる。
【０６４１】
図５３は、図４７、図４８のように、東口から西口に移動する際、東口から西口の区間で配信する広告の入札状況の例を示している。なお、図５３において、横軸は場所であり、縦軸は時刻である。図５３の広告の入札状況は、図４７、図４８における、例えば「モニター４７５１、４７５２」などの照明部（図４９の３９０３）により送信（発光）される光変調信号に含まれる広告の入札状況である。ただし、「広告」と記載しているが、広告以外の情報であってもよい。
【０６４２】
例えば、図５３における領域５３−００は、ある装置（あるユーザ）から、東口から地点＃１までの区間において、モニター等に「送信するための広告＃ａ」を配信したいという要望があり、すでに、「送信するための広告＃ａ」の配信が決定していることを意味している。なお、領域５３−００は、東口から地点＃１の区間、時刻１０時から１２時の区間に配信される広告であることを意味している。この点については、他の実施の形態で説明したとおりであるので詳細な説明を省略する。
【０６４３】
図５３における領域５３−０１は、ある装置（あるユーザ）から、地点＃１から地点＃３までの区間において、モニター等に「送信するための広告＃ｂ」を配信したいという要望があったことを意味している。ただし、「送信するための広告＃ｂ」を配信するということは決定していないため、装置（ユーザ）が、他の広告での入札が可能である、ということを意味している。なお、領域５３−０１は、地点＃１から地点＃３の期間、時刻１０時から１１時の区間に配信される広告であることを意味している。この点については、他の実施の形態で説明したとおりであるので詳細な説明を省略する。
【０６４４】
図５３における領域５３−０２は、ある装置（あるユーザ）からの広告配信の要望がないため、広告配信の入札可能な状態であることを意味している。なお、領域５３−０２は、地点＃３から西口の区間、時刻１０時から時刻１１時の区間に配信される広告であることを意味している。この点については、他の実施の形態で説明したとおりであるので詳細な説明を省略する。
【０６４５】
図５３における領域５３−０３は、ある装置（あるユーザ）からの広告配信の要望がないため、広告配信の入札可能な状態であることを意味している。なお、領域５３−０３は、地点＃１から地点＃２の区間、時刻１１から１２時の区間に配信される広告であることを意味している。この点については、他の実施の形態で説明したとおりであるので詳細な説明を省略する。
【０６４６】
図５３における領域５３−０４は、ある装置（あるユーザ）から、地点＃２から西口までの区間において、モニター等に「送信するための広告＃ｃ」を配信したいという要望があり、すでに、「送信するための広告＃ｃ」の配信が決定していることを意味している。なお、領域５３−０４は、地点＃２から西口の区間、時刻１１時から１２時の区間に配信される広告であることを意味している。この点については、他の実施の形態で説明したとおりであるので詳細な説明を省略する。
【０６４７】
図４４の装置＃ｋ（５１０１＿ｋ）は、図５３の状況をデータ生成装置５１００から得て、状況を考慮して、広告配信の要望、入札を行うことになる。なお、装置＃ｋ（５１０１＿ｋ）は、入札に伴って、広告のコンテンツをデータ生成装置５１００に提供することになる。
【０６４８】
このとき、データ生成装置５１００は、装置＃ｋ（５１０１＿ｋ）が送信した広告のコンテンツが、不適切であると判断するチェック機能を有していてもよい。例えば、図５３の場合、東口周辺の広告は、広告として好適ではない。したがって、データ生成装置５１００は、このような広告でないかをチェックする機能を有しているとよい。そして、不適切な広告と判断した広告は、通信装置３９００に提供しないことになる。
【０６４９】
そして、図４４のデータ生成装置５１００において、広告の入札が完了すると、通信装置３９００が具備するデータ選択部３９０１のデータが更新されることになる。なお、図５３の広告の入札状況はあくまでも一例である。また、図５３において、領域では、１つの広告による入札を記載しているが、複数の装置によって、複数の広告により入札が可能であってもよい（つまり、領域で、複数の広告が配信されてもよい）。
【０６５０】
以上のように、広告データを生成することで、端末およびユーザーはより価値の高いデータ、情報、広告、画像、動画の供給を受けることが可能となる。また、情報を提供する側も、より、価値の高いデータ、情報、広告、画像、動画を提供することが可能となる。
【０６５１】
なお、本明細書において、「照明部」、「光源」と記載しているが、画像、動画、広告などを表示するディスプレイが光を発しており、その光に光変調信号が含まれているというような方法であってもよい。つまり、「照明部」、「光源」が光を発する機能以外の機能を有していてもよい。また、「照明部」、「光源」が、複数の「照明」、「光源」により構成されていてもよい。
【０６５２】
さらに、光変調信号を生成し、光を発する通信装置が用いる送信方法は、本明細書で記載された送信方法以外の方法であってもよい。また、光変調信号は、本明細書で説明した以外の情報が含まれていてもよい。
【０６５３】
本実施の形態において、「西口」「東口」という名を使って、説明を行ったが、「西口」「東口」という語句は説明の一例であって、この用語に限ったものではない。例えば、２つ以上の異なる地域、例えば、「西口」の代わりに「地域Ａ」、「東口」の代わりに「地域Ｂ」というようにし、本実施の形態を実施しても、同様に実施することができる。別の例として、「西口」の代わりに「「地域＃１、地域＃２、・・・、地域＃Ｎ（Ｎは２以上の整数とする）」とし、複数地域」を扱い、「東口」の代わりに「「地域＄１、地域＄２、・・・、地域＄Ｍ（Ｍは２以上の整数とする）」とし、複数地域」を扱うようにし、本実施の形態を実施しても、同様に実施することができる。
【０６５４】
また、図４７、図４８の「モニター４７５１、４７５２」が、東口に関連する情報、画像・動画による広告を扱うこともあり得る。同様に、図４７、図４８の「モニター４７６１、４７６２」が、西口に関連する情報、画像・動画による広告を扱うこともあり得る。
【０６５５】
さらに、以下のような方法も考えられる。例えば、東口に、別の鉄道の駅が存在するものとする。この場合、東口方面に関する情報、広告として、鉄道の行き先となる地域の情報、広告を扱い、本実施の形態を実施してよい。
【０６５６】
図４７、図４８において、「通信装置を保有している人４７１１、４７１２、４７２１、４７２２」を「通信装置を具備している乗り物」、「通信装置を具備している車」と置き換えて本実施の形態を実施しても同様に実施することが可能である。
【０６５７】
（実施の形態１４）
本実施の形態では、他の実施の形態で説明した図４４のデータ生成装置５１００の構成例について説明する。
【０６５８】
図５４は、図４４のデータ生成装置５１００の構成の一例を示している。データ生成装置５１００は、処理を行うためのＡＰＩ（Application Programming Interface）を具備していることになる。例えば、図５４のように、データ生成装置５１００は、５４−０１＿１の認識層ＡＰＩ、５４−０１＿２の分析層ＡＰＩ、５４−０１＿３の学習層ＡＰＩ、５４−０１＿４の通信ネットワーク層ＡＰＩなどのＡＰＩを具備しており、これらのＡＰＩは、５４−０２のアプリケーション接続のＡＰＩと接続されている。そして、それぞれのＡＰＩは、情報を得て、処理を行い、処理データを出力することになる。
【０６５９】
そして、５４−０２のアプリケーション接続のＡＰＩは、入出力信号５４−０３が存在する。このとき、入出力信号５４−０３により、ＡＰＩの処理方法、処理アルゴリズムを変更することが可能である。また、各ＡＰＩの処理の順番を制御することが可能となる。
【０６６０】
第１通信部５４−０４は、図４４における装置＃ｋ（５１０１＿ｋ）と通信を行うための通信部となる。なお、ｋは１以上Ｈ以下の整数とする。第１通信部５４−０４は、装置＃ｋ（５１０１＿ｋ）から得た情報、例えば、入札の情報を、５４−０２のアプリケーション接続のＡＰＩに渡すことになる。
【０６６１】
そして、５４−０２のアプリケーション接続のＡＰＩは、装置＃ｋ（５１０１＿ｋ）から得た情報、例えば、入札の情報を、各ＡＰＩに引き渡すことになる。また、５４−０２のアプリケーション接続のＡＰＩは、各ＡＰＩから得た結果を、配信情報決定部５４−０６に引き渡すことになる。
【０６６２】
配信情報決定部５４−０６は、図４５、図４６、図５０、図５１、図５２、図５３、図５４のような、入札状況の情報を保持していることになる。
【０６６３】
配信情報決定部５４−０６は、入札状況の情報を、渡す必要があるＡＰＩに渡し、また、ＡＰＩが処理した結果、を得ることになる。そして、配信情報決定部５４−０６は、最終的な、広告配信内容を決定することになる。
【０６６４】
そして、配信情報決定部５４−０６は、決定した広告配信内容の情報を、第２通信部５４−０５を介し、図４４の通信装置３９００に伝送する。また、決定した広告配信の情報に基づき、第１通信部５４−０４は、入札結果を、装置＃ｋ（５１０１＿ｋ）にフィードバックする。
【０６６５】
以上のように動作することで、各実施の形態で説明した効果を得ることができることになる。なお、データ生成装置５１００の構成は、図５４の構成に限ったものではない。当然であるが、本明細書において説明した実施の形態、補足などのその他の内容を複数組み合わせて、実施してもよい。
【０６６６】
また、各実施の形態において、広告などの情報配信、画像・動画を配信する場所は、飛行機・航空機の内部であってもよい。この場合についても、各実施の形態を同様に実施することで、各実施の形態で述べた効果を同様に得ることができる。
【０６６７】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０６６８】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよく、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０６６９】
本明細書で説明した無線装置を具備しているのは、例えば、放送局、基地局、アクセスポイント、端末、携帯電話（mobile phone）等の通信・放送機器、テレビ、ラジオ、端末、パーソナルコンピュータ、携帯電話、アクセスポイント、基地局等の通信機器であることが考えられる。また、本明細書で説明した無線装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０６７０】
また、本明細書で説明した受信部を具備しているのは、例えば、放送局、基地局、アクセスポイント、端末、携帯電話（mobile phone）等の通信・放送機器、テレビ、ラジオ、端末、パーソナルコンピュータ、携帯電話、アクセスポイント、基地局等の通信機器であることが考えられる。
【０６７１】
本実施の形態における電波による無線通信では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、シンボルそれぞれの役割が重要となっている。
【０６７２】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Channel State Information）の推定）、信号の検出等を行うことになる。
【０６７３】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤでの設定情報等）を伝送するためのシンボルである。
【０６７４】
なお、本開示は各実施の形態に限定されず、種々変更して実施することが可能である。例えば、各実施の形態では、通信装置として行う場合について説明しているが、これに限られるものではなく、この通信方法をソフトウェア、ハードウェア、又は、ハードウェアと連携したソフトウェアで実現することが可能である。
【０６７５】
なお、例えば、上記通信方法を実行するプログラムを予めＲＯＭ（Read Only Memory）に格納しておき、そのプログラムをＣＰＵ（Central Processor Unit）によって動作させるようにしても良い。
【０６７６】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【０６７７】
そして、上記の各実施の形態の説明に用いた各機能ブロックは、部分的に又は全体的に、集積回路であるＬＳＩ（Large Scale Integration）として実現され、上記の各実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力とを備えてもよい。ＬＳＩは、集積度の違いにより、ＩＣ（Integrated Circuit）、システムＬＳＩ、スーパーＬＳＩ、ウルトラＬＳＩと呼称されることもある。集積回路化の手法はＬＳＩに限られるものではなく、専用回路、汎用プロセッサ又は専用プロセッサで実現しても良い。また、ＬＳＩ製造後に、プログラムすることが可能なＦＰＧＡ（Field Programmable Gate Array）またはＬＳＩ内部の回路セルの接続や設定を再構成可能なリコンフィギュラブル・プロセッサを利用してもよい。本開示は、デジタル処理又はアナログ処理として実現されてもよい。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０６７８】
なお、ＦＰＧＡ（Field Programmable Gate Array）およびＣＰＵ（Central Processing Unit）の少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵ少なくとも一方を動作させることにより、本開示において説明したデジタル信号処理を実行するようにしてもよい。
【０６７９】
このとき、ＦＰＧＡおよびＣＰＵの少なくとも一方を具備する機器は、通信モデムと無線または有線で接続し、この機器と通信モデムとにより、本開示において説明した通信方法を実現してもよい。
【０６８０】
例えば、本明細書で記載した基地局、ＡＰ、端末などの通信装置が、ＦＰＧＡおよびＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【産業上の利用可能性】
【０６８１】
本開示の一態様は、可視光通信システムに有用である。
【符号の説明】
【０６８２】
１００，４００，１０００，１４００Ａ，１４００Ｂ  機器
１０２，１４０４−１，１４０４−２  送信部
１０４，１４０６−１，１４０６−２  光源
１５０，４５０，１０５０  端末
１５１  受光部
１５３  受信部
１５５  データ解析部
１５７  表示部
４５３，２００２  無線装置
４７０，２０００  基地局
２００１  送信装置
３９００  通信装置
３９０１  データ選択部
３９０２  送信部
３９０３  照明部
３９２０  端末
５１００  データ生成装置
【図１】
2019003857.tif 000003
【図２】
2019003857.tif 000004
【図３】
2019003857.tif 000005
【図４Ａ】
2019003857.tif 000006
【図４Ｂ】
2019003857.tif 000007
【図５】
2019003857.tif 000008
【図６】
2019003857.tif 000009
【図７】
2019003857.tif 000010
【図８】
2019003857.tif 000011
【図９】
2019003857.tif 000012
【図１０】
2019003857.tif 000013
【図１１】
2019003857.tif 000014
【図１２】
2019003857.tif 000015
【図１３】
2019003857.tif 000016
【図１４】
2019003857.tif 000017
【図１５】
2019003857.tif 000018
【図１６】
2019003857.tif 000019
【図１７】
2019003857.tif 000020
【図１８】
2019003857.tif 000021
【図１９】
2019003857.tif 000022
【図２０】
2019003857.tif 000023
【図２１】
2019003857.tif 000024
【図２２】
2019003857.tif 000025
【図２３】
2019003857.tif 000026
【図２４】
2019003857.tif 000027
【図２５】
2019003857.tif 000028
【図２６】
2019003857.tif 000029
【図２７】
2019003857.tif 000030
【図２８】
2019003857.tif 000031
【図２９】
2019003857.tif 000032
【図３０】
2019003857.tif 000033
【図３１】
2019003857.tif 000034
【図３２】
2019003857.tif 000035
【図３３】
2019003857.tif 000036
【図３４】
2019003857.tif 000037
【図３５】
2019003857.tif 000038
【図３６】
2019003857.tif 000039
【図３７】
2019003857.tif 000040
【図３８】
2019003857.tif 000041
【図３９】
2019003857.tif 000042
【図４０】
2019003857.tif 000043
【図４１】
2019003857.tif 000044
【図４２】
2019003857.tif 000045
【図４３】
2019003857.tif 000046
【図４４】
2019003857.tif 000047
【図４５】
2019003857.tif 000048
【図４６】
2019003857.tif 000049
【図４７】
2019003857.tif 000050
【図４８】
2019003857.tif 000051
【図４９】
2019003857.tif 000052
【図５０】
2019003857.tif 000053
【図５１】
2019003857.tif 000054
【図５２】
2019003857.tif 000055
【図５３】
2019003857.tif 000056
【図５４】
2019003857.tif 000057
【国際調査報告】
2019003857.tif 000058
2019003857.tif 000059
2019003857.tif 000060
2019003857.tif 000061